(57)【特許請求の範囲】
【請求項１】
キャリアアグリゲーション下において、利用可能なブロードバンドスペクトルリソースを配分するためのスペクトルサーバであって、
前記スペクトルサーバは：
１つ又は複数のプロセッサ；及び
プログラム命令を記憶するメモリ
を備え、
前記プログラム命令は、前記１つ又は複数のプロセッサによって実行された場合に、前記１つ又は複数のプロセッサに：
（ａ）１つ又は複数の放送ネットワークによって利用可能となった放送スペクトルを指示する情報を受信するステップであって、前記受信するステップは、１つ又は複数の放送ネットワークを表す放送エクスチェンジサーバへの、利用可能な放送スペクトルを示す情報の問い合わせに応答して実行される、ステップ；
（ｂ）無線ブロードバンドネットワークからの要求に応答して、前記利用可能な放送スペクトルの少なくとも一部分を前記無線ブロードバンドネットワークに割り当てるステップであって、前記割り当てられる少なくとも一部分は、固定幅のリソースブロックへの、前記利用可能な放送スペクトルの分割に従って、リソースブロック番号の１つ若しくは複数の間隔によって定義される、ステップ；及び
（ｃ）前記無線ブロードバンドネットワークにメッセージを送信して、前記無線ブロードバンドネットワークが前記利用可能な放送スペクトルの前記少なくとも一部を使用できるようにするステップであって、前記メッセージは、前記リソースブロック番号の前記１つ又は複数の間隔を識別する、ステップ
を実施させる、スペクトルサーバ。
【請求項２】
前記プログラム命令は、以下の条件：
・前記分割のリソースブロックは、前記利用可能な放送スペクトルの中央に関して対称に分布する；
・前記１つ又は複数の部分を定義する前記１つ又は複数のリソースブロックが奇数個である場合、前記割り当ては、前記１つ又は複数のリソースブロックの半サブキャリアシフトを挿入するステップを含み、前記挿入は、前記無線ブロードバンドネットワークが前記少なくとも１つの部分に基づいてダウンリンクシグナルを生成する場合にシグナル出力がＤＣサブキャリアに割り当てられるのを回避する；
・前記分割のリソースブロックは、前記利用可能な放送スペクトルのエッジ部分を排除することにより、ラジオスペクトルの他の帯域上での送信との干渉を回避する
のうちの１つ又は複数が真となるように構成される、請求項１に記載のスペクトルサーバ。
【請求項３】
無線ブロードバンドネットワークの一部として動作して、スペクトルリソースの動的集合を可能とするための、ベースステーションであって、
前記ベースステーションは：
ブロードバンドスペクトルの一部分及び放送スペクトルの一部分を含む、集合したスペクトルリソースを用いて、ダウンリンクシグナルを１つ又は複数のデバイスに無線送信するよう構成された、回路構成
を備え、
前記放送スペクトルの前記一部分は、１つ又は複数の放送ネットワークによって利用可能とされており、１つ又は複数の放送ネットワークを表す放送エクスチェンジサーバへの問い合わせに応答してスペクトルサーバによって前記無線ブロードバンドネットワークに動的に割り当てられ、
前記放送スペクトルの前記一部分は、固定幅のリソースブロックへの、前記放送スペクトルのうちの隣接帯域の分割に従って、リソースブロック番号の１つ若しくは複数の間隔として前記スペクトルサーバによって指定される、ベースステーション。
【請求項４】
前記放送スペクトルの前記部分を定義する前記１つ又は複数のリソースブロックが奇数個である場合、前記回路構成は、前記１つ又は複数のリソースブロックの半サブキャリアシフトを挿入するよう構成され、
前記挿入は、シグナル出力が前記ダウンリンクシグナルのＤＣサブキャリアに割り当てられるのを回避する、請求項３に記載のベースステーション。
【請求項５】
前記隣接帯域の前記分割のリソースブロックは、前記隣接帯域のエッジ部分を排除することにより、ラジオスペクトルの他の帯域上での送信との干渉を回避する、請求項３に記載のベースステーション。
【請求項６】
前記回路構成は、１つ又は複数のＲＦトランシーバ、１つ又は複数のベースバンドプロセッサ、及び１つ又は複数の制御プロセッサを含む、請求項３に記載のベースステーション。
【請求項７】
スペクトルリソースの動的集合を可能とする、デバイスであって、
前記デバイスは：
無線ブロードバンドネットワークに関連する１つ又は複数のベースステーションと無線通信するよう構成された回路構成
を備え、
前記通信は、前記１つ又は複数のベースステーションのうちの第１のものによって送信されたダウンリンクシグナルを受信するステップを含み、
前記ダウンリンクシグナルは、ブロードバンドスペクトルの一部分及び放送スペクトルの一部分を含む、集合したスペクトルリソースを使用し、
前記放送スペクトルの前記一部分は、１つ又は複数の放送ネットワークによって利用可能とされており、１つ又は複数の放送ネットワークを表す放送エクスチェンジサーバへの問い合わせに応答してスペクトルサーバによって前記無線ブロードバンドネットワークに動的に割り当てられ、
前記放送スペクトルの前記一部分は、固定幅のリソースブロックへの、前記放送スペクトルのうちの隣接帯域の分割に従って、リソースブロック番号の１つ若しくは複数の間隔として前記スペクトルサーバによって指定される、デバイス。
【請求項８】
前記回路構成は、１つ又は複数のＲＦトランシーバ、１つ又は複数のベースバンドプロセッサ、及び１つ又は複数の制御プロセッサを含む、請求項７に記載のデバイス。
【請求項９】
無線ネットワークの一部として使用するための、ベースステーションであって、
前記ベースステーションは：
１つ又は複数の基本帯域（ＰＢ）ラジオ装置であって、各前記基本帯域（ＰＢ）ラジオ装置は、１つ又は複数の基本帯域のうちの少なくとも１つを通して送信を行うよう構成される、１つ又は複数の基本帯域（ＰＢ）ラジオ装置；
１つ又は複数の追加のラジオ装置であって、前記１つ又は複数の追加のラジオ装置はそれぞれ、ラジオスペクトル内の複数の周波数帯域のいずれに対して動的に整調できる、又はプログラムできる、キャリア周波数を有する、１つ又は複数の追加のラジオ装置；
コントローラ
を備え、
前記コントローラは：
周波数領域内の固定長のリソースブロック構造に適合する１つ又は複数のリソースブロックに関して特定される、第１の動的に配分されたスペクトルリソースを識別する情報を放送エクスチェンジサーバへの問い合わせに応答して受信し；
前記１つ又は複数の追加のラジオ装置のうちの第１のものを、前記第１の動的に配分されたスペクトルリソースに対応する第１のキャリア周波数へと整調又はプログラムし；
インフラストラクチャネットワークからのデータストリームを受信し；
前記データストリームを、複数のサブストリームの第１のセットに分割し；
それぞれ前記１つ又は複数の基本帯域（ＰＢ）ラジオ装置及び前記第１の追加のラジオ装置を用いて、前記第１のセットの前記サブストリームの並列送信を配向する
よう構成される、ベースステーション。
【請求項１０】
前記１つ又は複数の追加のラジオ装置は、複数の前記追加のラジオ装置を含み、
前記コントローラは更に：
前記追加のラジオ装置それぞれを、動的に配分されたスペクトルリソースそれぞれに対応する各キャリア周波数へと整調又はプログラムし；
前記データストリームを、複数のサブストリームの第２のセットに分割し；
それぞれ前記１つ又は複数の基本帯域（ＰＢ）ラジオ装置及び前記追加のラジオ装置を用いて、前記第２のセットの前記サブストリームの並列送信を配向する
よう構成される、請求項９に記載のベースステーション。
【請求項１１】
前記コントローラは更に：
第２の動的に配分されたスペクトルリソースを識別する方法を受信し；
前記追加のラジオ装置のうちの第２のものを、前記第２の動的に配分されたスペクトルリソースに対応する第２のキャリア周波数へと整調又はプログラムし；
前記データストリームを、複数のサブストリームの第２のセットに分割し；
それぞれ前記１つ又は複数の基本帯域（ＰＢ）ラジオ装置並びに前記第１及び第２の追加のラジオ装置を用いて、前記第２のセットの前記サブストリームの並列送信を配向する
よう構成される、請求項９に記載のベースステーション。
【請求項１２】
前記第１の動的に配分されたスペクトルリソースを識別する前記情報は：
前記第１の動的に配分されたスペクトルリソースの前記第１のキャリア周波数を指示する情報；及び
前記第１の動的に配分されたスペクトルリソースが前記ベースステーションに配分されていた第１の期間を指示する情報
を含む、請求項９に記載のベースステーション。
【請求項１３】
無線ブロードバンドネットワークの一部として動作するためのデバイスであって、
前記デバイスは：
１つ又は複数の基本帯域トランシーバであって、各前記基本帯域トランシーバは、ラジオスペクトル内の１つ又は複数の基本帯域のうちの１つを用いて、無線ブロードバンドネットワークのベースステーションと無線通信するよう構成される、１つ又は複数の基本帯域トランシーバ；
１つ又は複数のレシーバであって、前記１つ又は複数のレシーバはそれぞれ、ラジオスペクトル内の複数の周波数帯域のいずれに対して動的に整調できる又はプログラムできる、キャリア周波数を有する、１つ又は複数のレシーバ；
コントローラ
を備え、
前記コントローラは：
前記１つ又は複数の基本帯域トランシーバを用いて、前記無線ブロードバンドネットワークの前記ベースステーションから１つ又は複数のネットワークデータストリームを、放送エクスチェンジサーバへの問い合わせに応答して受信し；
前記ベースステーションから第１のメッセージを受信するのに応答して、前記１つ又は複数のレシーバのうちの第１のものを、前記ラジオスペクトルのうちの第１の現在利用可能なスペクトルリソースに対応する第１のキャリア周波数へと整調又はプログラムし、ここで前記第１のメッセージは、前記第１の現在利用可能なスペクトルリソースを識別するものであり；
前記第１のレシーバを整調又はプログラムした後に、前記第１のレシーバを使用して、前記ベースステーションから第１の追加のネットワークデータストリームを受信し；
前記１つ又は複数のネットワークデータストリーム及び前記第１の追加のネットワークデータストリームを合成して、集合データストリームを得る
よう構成され、
前記第１の現在利用可能なスペクトルリソースは、周波数領域内の固定長のリソース
ブロック構造に適合する１つ又は複数のリソースブロックに関して特定される、デバイス。
【請求項１４】
前記ベースステーションの地理的近傍にある１つ又は複数のブロードバンドトランスミッタは、放送エクスチェンジによって制御され、
前記放送エクスチェンジは、ある特定の時間に亘り、前記ベースステーションの地理的近傍において、前記第１の現在利用可能なスペクトルリソースを用いて放送を行わないことに合意している、請求項１３に記載のデバイス。
【請求項１５】
無線ブロードバンドネットワークの一部として動作するための、及び１つ又は複数の放送トランスミッタを含む放送ネットワークが送信する１つ又は複数の放送シグナルの受信のための、デバイスであって、
前記デバイスは：
１つ又は複数の基本帯域トランシーバであって、各前記基本帯域トランシーバは、ラジオスペクトル内の１つ又は複数の基本帯域のうちの１つを用いて、前記無線ブロードバンドネットワークのベースステーションと無線通信するよう構成される、１つ又は複数の基本帯域トランシーバ；
１つ又は複数のレシーバであって、前記１つ又は複数のレシーバはそれぞれ、ラジオスペクトル内の複数の周波数帯域のいずれに対して動的に整調できる、又はプログラムできる、キャリア周波数を有する、１つ又は複数のレシーバ；
コントローラ
を備え、
前記コントローラは：
前記１つ又は複数の基本帯域トランシーバを用いて、前記無線ブロードバンドネットワークの前記ベースステーションから１つ又は複数のネットワークデータストリームを受信し；
前記１つ又は複数のレシーバのうちの第１のものを、前記放送トランスミッタのうちの第１のものが送信する第１の放送シグナルに対応する第１の放送周波数に、放送エクスチェンジサーバへの問い合わせに応答して受信した動的に配分されたスペクトルリソースを示す情報を使用して整調又はプログラムし；
前記整調又はプログラムに応答して、前記第１のレシーバを用いて前記第１の放送シグナルから第１の放送データストリームを復元し、ここで前記第１の放送データストリームは、前記１つ又は複数の放送トランスミッタのうちの少なくとも１つを介した放送のために、前記無線ブロードバンドネットワークによって前記放送ネットワークへとオフロードされたデータを含む
よう構成される、デバイス。
【発明の詳細な説明】
【技術分野】
【０００１】
本出願は遠距離通信の分野に関し、より詳細には、放送ネットワーク及び無線ブロードバンドネットワークを有利に協調させることができるようにするための機構に関する。
【背景技術】
【０００２】
移動体通信は、Ｇｒａｎｄ  Ａｌｌｉａｎｃｅが１９９５年に最初のＡＴＳＣ規格を導入して以来、急速に使用されるようになった。無線ブロードバンドネットワークの迅速な進歩により、コンテンツの生成、配信及び消費方法は変化した。新しい世代の消費者は、ＡＴＳＣが考えられた時には予想されていなかった、常時接続されたインターネット、オンデマンドコンテンツ、世界的なソーシャルネットワーキングと共に育っている。過去２０年で、我々の生活、仕事及び遊びに深く影響を与える、大きな社会的、経済的及び技術的変化が発生している。以上を考慮して、移動体ブロードバンド通信において更なる改善が望まれている。
【０００３】
無線ブロードバンド技術の進歩にもかかわらず、放送は、多数の視聴者に同時にコンテンツを配信するための最もコスト効率が高い方法であり続けている。放送とブロードバンドとの調和は経済的課題である。多数の視聴者に同時に直線的なプログラム編成を供給する放送システムとは異なり、コンテンツ‐オンデマンドはユニキャストシステムを必要とし、この場合ユーザ数の増加に伴ってトランスポートコストが上昇する。ブロードバンドプロバイダは、非常に混雑している認可されたスペクトルから、非認可のスペクトル（Ｗｉ‐Ｆｉ、ホワイトスペース）へ、並びに放送ネットワーク及びスペクトルへと、トラフィックをオフロードする必要があり、これは放送局にとって大きな新規の収入の機会を意味している。
【発明の概要】
【発明が解決しようとする課題】
【０００４】
無線ブロードバンドシステム（例えばＬＴＥ）との調和は、ユーザの体験を向上させ、有益なスペクトルの共有を促進し、設備（トランスミッタ、ベースステーション、ユーザ機器（ＵＥ））が放送及び無線ブロードバンドの両方を最小のコスト増分でサポートできるようにする。
【０００５】
コンテンツ‐オンデマンドは、インターネット世代の好ましいユーザ体験であることは明らかである。従って、放送産業の長期的成功のために、従来の放送方式をユニキャスト方式のユーザ体験によってシームレスに向上することが望まれている。
【０００６】
次世代放送プラットフォーム（ＮＧＢＰ）は、従来の放送モデルを保持したまま、無線ブロードバンドを活用するために、放送局に追加の収入生成オプションを提供する。
【０００７】
移動体放送及びブロードバンドネットワークの、特にこれらのネットワークの輻輳に関連する更なる改善が望まれている。
【課題を解決するための手段】
【０００８】
ある一連の実施形態では、キャリアアグリゲーション下において、利用可能な放送スペクトルリソースを配分するためのスペクトルサーバを、以下のように構成できる。このスペクトルサーバは、１つ又は複数のプロセッサと、メモリとを含んでよい。メモリはプログラム命令を記憶し、このプログラム命令は、１つ又は複数のプロセッサによって実行された場合に、上記１つ又は複数のプロセッサに：（ａ）１つ又は複数の放送ネットワークによって利用可能となった放送スペクトル（例えば必ずしも隣接していない１つ又は複数のチャネル）を指示する情報を受信するステップ；（ｂ）無線ブロードバンドネットワークからの要求に応答して、上記利用可能な放送スペクトルの少なくとも一部分（場合によっては全て）を無線ブロードバンドネットワークに割り当てるステップであって、上記割り当てられる少なくとも一部分は、固定幅のリソースブロックへの、上記利用可能な放送スペクトルの分割に従って、リソースブロック番号の間隔（又はリソースブロック番号の１つ若しくは複数の間隔）によって定義される、ステップ；及び（ｃ）無線ブロードバンドネットワークにメッセージを送信するステップであって、上記メッセージは、リソースブロック番号の間隔を識別する（又はリソースブロック番号の１つ若しくは複数の間隔を識別する）、ステップを実施させる。
【０００９】
ある一連の実施形態では、キャリアアグリゲーション下において、利用可能な放送スペクトルリソースを配分するためのスペクトルサーバを、以下のように構成できる。このスペクトルサーバは、１つ又は複数のプロセッサと、メモリとを含んでよい。メモリはプログラム命令を記憶し、このプログラム命令は、１つ又は複数のプロセッサによって実行された場合に、上記１つ又は複数のプロセッサに：（ａ）１つ又は複数の放送ネットワークによって利用可能となった放送スペクトルのチャネルを合成して、隣接帯域を形成するステップ；（ｂ）無線ブロードバンドネットワークからの要求に応答して、上記隣接帯域の隣接部分を無線ブロードバンドネットワークに割り当てるステップであって、上記隣接部分は、固定幅のリソースブロックへの、上記隣接帯域の分割に従って、リソースブロック番号の間隔によって定義される、ステップ；及び（ｃ）無線ブロードバンドネットワークにメッセージを送信するステップであって、上記メッセージは、リソースブロック番号の間隔を識別する、ステップを実施させる。
【００１０】
ある一連の実施形態では、無線ブロードバンドネットワークの一部として動作させるためのベースステーションを以下のように構成できる。このベースステーションは、スペクトルリソースの動的集合を可能とすることができ、またこのベースステーションは、ブロードバンドスペクトルの一部分及び放送スペクトルの一部分を含む、集合したスペクトルリソースを用いて、ダウンリンクシグナル（例えばＯＦＤＭ）を１つ又は複数のデバイスに無線送信するよう構成された回路構成を含んでよい。放送スペクトルの上記一部分は、１つ又は複数の放送ネットワークによって利用可能とされており、スペクトルサーバによって無線ブロードバンドネットワークに動的に割り当てられる。放送スペクトルの上記一部分は、固定幅のリソースブロックへの、上記放送スペクトルのうちのある帯域の分割に従って、リソースブロック番号の間隔（又はリソースブロック番号の１つ若しくは複数の間隔）としてスペクトルサーバによって指定される。
【００１１】
ある一連の実施形態では、スペクトルリソースの動的集合を可能とするデバイスは、無線ブロードバンドネットワークと関連する１つ又は複数のベースステーションと無線通信するよう構成された回路構成を含んでよい。上記通信は、上記１つ又は複数のベースステーションのうちの第１のものによって送信されるダウンリンクシグナル（例えばＯＦＤＭ）を受信することを含んでよく、このダウンリンクシグナルは、ブロードバンドスペクトルの一部分及び放送スペクトルの一部分を含む、集合したスペクトルリソースを使用する。放送スペクトルの上記一部分は、１つ又は複数の放送ネットワークによって利用可能とされており、スペクトルサーバによって無線ブロードバンドネットワークに動的に割り当てられる。放送スペクトルの上記一部分は、固定幅のリソースブロックへの、上記放送スペクトルのうちのある隣接帯域の分割に従って、リソースブロック番号の間隔（又はリソースブロック番号の１つ若しくは複数の間隔）としてスペクトルサーバによって指定される。
【００１２】
ある一連の実施形態では、無線ブロードバンドネットワークの一部として動作させるためのデバイスは、１つ又は複数の基本帯域トランシーバ、１つ又は複数のレシーバ、及びコントローラを含んでよい。ＰＢトランシーバはそれぞれ、ラジオスペクトル内の１つ又は複数の基本帯域のうちの１つを用いて、無線ブロードバンドネットワークのベースステーションと無線通信するよう構成される。上記１つ又は複数のレシーバはそれぞれ、ラジオスペクトル内の複数の周波数帯域のいずれに対して動的に整調できる、又はプログラムできる、キャリア周波数を有する。上記コントローラは：（ａ）上記１つ又は複数のＰＢトランシーバを用いて、上記無線ブロードバンドネットワークのベースステーションから１つ又は複数のネットワークデータストリームを受信し；（ｂ）ベースステーションから第１のメッセージを受信するのに応答して、上記１つ又は複数のレシーバのうちの第１のものを、上記ラジオスペクトルのうちの第１の現在利用可能なスペクトルリソースに対応する第１のキャリア周波数へと整調又はプログラムし、ここで上記第１のメッセージは、上記第１の現在利用可能なスペクトルリソースを識別するものであり；（ｃ）上記第１のレシーバを整調又はプログラムした後に、上記第１のレシーバを使用して、上記ベースステーションから第１の追加のネットワークデータストリームを受信し；（ｄ）上記１つ又は複数のネットワークデータストリーム及び上記第１の追加のネットワークデータストリームを合成して、集合データストリームを得るよう構成してよい。
【００１３】
ある一連の実施形態では、無線ブロードバンドネットワークの一部として動作させるためのデバイスは、１つ又は複数の基本帯域トランシーバ、１つ又は複数のレシーバ、及びコントローラを含んでよい。ＰＢトランシーバはそれぞれ、ラジオスペクトル内の１つ又は複数の基本帯域のうちの１つを用いて、無線ブロードバンドネットワークのベースステーションと無線通信するよう構成される。上記１つ又は複数のレシーバはそれぞれ、ラジオスペクトル内の複数の周波数帯域のいずれに対して動的に整調できる、又はプログラムできる、キャリア周波数を有する。上記コントローラは：（ａ）上記１つ又は複数のＰＢトランシーバを用いて、上記無線ブロードバンドネットワークのベースステーションから１つ又は複数のネットワークデータストリームを受信し；（ｂ）ベースステーションから第１のメッセージを受信するのに応答して、上記１つ又は複数のレシーバのうちの第１のものを、上記ラジオスペクトルのうちの第１の現在利用可能なスペクトルリソースに対応する第１のキャリア周波数へと整調又はプログラムし、ここで上記第１のメッセージは、上記第１の現在利用可能なスペクトルリソースを識別するものであり；（ｃ）上記第１のレシーバを整調又はプログラムした後に、上記第１のレシーバを使用して、上記ベースステーションから第１の追加のネットワークデータストリームを受信し；（ｄ）上記１つ又は複数のネットワークデータストリーム及び上記第１の追加のネットワークデータストリームを合成して、集合データストリームを得るよう構成してよい。
【００１４】
ある一連の実施形態では、無線ブロードバンドネットワークの一部として動作させるための、及び１つ又は複数の放送トランスミッタを含む放送ネットワークによって送信される１つ又は複数の放送シグナルの受信のためのデバイスは、１つ又は複数の基本帯域トランシーバ、１つ又は複数のレシーバ、及びコントローラを含んでよい。ＰＢトランシーバはそれぞれ、ラジオスペクトル内の１つ又は複数の基本帯域のうちの１つを用いて、無線ブロードバンドネットワークのベースステーションと無線通信するよう構成される。上記１つ又は複数のレシーバはそれぞれ、ラジオスペクトル内の複数の周波数帯域のいずれに対して動的に整調できる、又はプログラムできる、キャリア周波数を有する。上記コントローラは：（ａ）上記１つ又は複数のＰＢトランシーバを用いて、上記無線ブロードバンドネットワークのベースステーションから１つ又は複数のネットワークデータストリームを受信し；（ｂ）上記１つ又は複数のレシーバのうちの第１のものを、上記放送トランスミッタのうちの第１のものが送信する第１の放送シグナルに対応する第１の放送周波数に整調又はプログラムし；（ｃ）上記整調又はプログラムに応答して、上記第１のレシーバを用いて上記第１の放送シグナルから第１の放送データストリームを復元し、ここで第１の放送データストリームは、上記１つ又は複数の放送トランスミッタのうちの少なくとも１つを介した放送のために、無線ブロードバンドネットワークによって放送ネットワークへとオフロードされたデータを含むよう構成してよい。
【００１５】
ある一連の実施形態では、（利用可能なスペクトルリソースのスペクトルサーバの、無線ブロードバンドプロバイダへの販売（例えば動的な販売、事前に取り決められた販売又は事前に準備された販売）を容易にするために）スペクトルサーバを動作させるための方法は：（ａ）あるスペクトルリソースの購入又は使用の要求を受信するステップであって、ここで上記要求は、無線ブロードバンドプロバイダから受信されるものである、ステップ；（ｂ）ある放送ネットワークが現在使用しているスペクトルリソースのリスト中の、ある特定のスペクトルリソースを識別するステップであって、ここで上記放送ネットワークは、複数の放送トランスミッタを介した送信のための、スペクトルリソースへの放送コンテンツストリームの配分を動的に制御する、ステップ；及び（ｃ）上記特定のスペクトルリソースを使用できるように上記無線ブロードバンドプロバイダを認証する情報を送信するステップを含んでよい。用語「販売（ｓａｌｅ）」は、幅広く解釈され得ることに留意されたい。（例えばオークションは、販売の一形態と考えられる。）
【００１６】
いくつかの実施形態では、本方法は、支払い、支払いの約束又はその他の考慮するべき事項を無線ブロードバンドプロバイダから受信することも含んでよい。このステップは、上述のステップ（ａ）〜（ｃ）に対していずれの順序で発生してよい。実際には、支払いはステップ（ａ）、（ｂ）、（ｃ）が完了した後（例えばずっと後）に発生し得る。いくつかの実施形態では、支払いの代わりに、又は支払いに加えて、何らかの形態の交換を実施してよい。
【００１７】
ある一連の実施形態では、（スペクトルリソースの購入、例えば動的購入を容易にするために）無線ブロードバンドネットワークの一部としてサーバを動作させる（ここで無線ブロードバンドネットワークのベースステーションは、一連の放送トランスミッタを含む放送ネットワークと同一の地理的領域において動作する）ための方法は：（ａ）無線ネットワーク中のベースステーションのうちの所定の１つが現在追加の帯域幅を必要としていることを示す、第１のメッセージを受信するステップ；（ｂ）上記第１のメッセージに応答して、上記所定のベースステーションの地理的近傍における、現在利用可能なスペクトルリソースの購入又は使用のために、要求を放送サーバに送信するステップ；及び（ｃ）特定の現在利用可能なスペクトルリソースを識別する第２のメッセージを放送サーバから受信するステップであって、上記放送ネットワークは、上記所定のベースステーションの地理的近傍内において、上記特定の現在利用可能なスペクトルリソースを用いて送信を行わないことに合意している、ステップを含んでよい。上記要求は、必ずしも購入の要求ではないことに留意されたい。いくつかの実施形態では、１つ又は複数の放送局と上記無線ブロードバンドネットワークとの間に、交換が存在し得る。例えば放送局側から見ると、放送局は、上記放送局の放送スペクトルの使用を、目的とする広告のための戻りチャネルとしての無線キャリアスペクトルの使用と交換できる。
【００１８】
ある一連の実施形態では、広告用サーバを動作させるための方法は、以下のように実施してよい。本方法は、無線ネットワークの一部として、無線ネットワークによる通信のため及び放送ネットワークの放送トランスミッタからの受信のために構成されたデバイスに、目的とする広告を提供するよう実施してよい。本方法は：（ａ）デバイスから視聴情報を受信するステップであって、上記視聴情報は、放送トランスミッタのうちの１つ又は複数を通して放送コンテンツを視聴する際の上記デバイスのユーザの挙動を特徴付けるものである、ステップ；（ｂ）上記視聴情報に基づいて、上記デバイスの上記ユーザに対する広告を選択するステップ；及び（ｃ）上記無線ネットワークの現在動作中のベースステーションを介して、選択された広告に対応するコンテンツストリームを上記デバイスに送信するステップを含んでよい。本方法はまた、上記デバイスから視聴者情報（例えば位置、アクティビティ、閲覧履歴、ソーシャルメディア情報又はセンサデータ等）を受信するステップも含んでよい。選択ステップ（ｂ）は、上記視聴者情報及び／又は上述の視聴情報に基づいて実施できる。
【００１９】
ある一連の実施形態では、広告用サーバを動作させるための方法は、以下のように実施してよい。本方法は、無線ネットワークの一部として、無線ネットワークによる通信のため及び放送ネットワークの放送トランスミッタからの受信のために構成されたデバイスに、目的とする広告を提供するよう実施してよい。本方法は：（ａ）デバイスから視聴情報を受信するステップであって、上記視聴情報は、放送トランスミッタのうちの１つ又は複数を通して放送コンテンツを視聴する際の上記デバイスのユーザの挙動を特徴付けるものである、ステップ；（ｂ）上記視聴情報を、メモリ媒体に記憶されたユーザ指定記録に追加するステップ；（ｃ）上記ユーザ指定記録の現在の状態に基づいて、上記デバイスの上記ユーザに対する広告を選択するステップ；及び（ｄ）上記無線ネットワークの現在動作中のベースステーションを介して、選択された広告に対応するコンテンツストリームを上記デバイスに送信するステップを含んでよい。
【図面の簡単な説明】
【００２０】
【図１】図１は、一実施形態による、コンテンツソースからユーザ機器（ＵＥ）デバイスへとコンテンツを配信する、放送／ブロードバンド輻輳システムを示す。
【図２Ａ】図２Ａは、現行の世代のチップセットのブロック図である。
【図２Ｂ】図２Ｂは、一実施形態による新世代のチップセットのブロック図である。
【図３】図３は、ＦＦＴ区間のパーセンテージとして表される複数の候補ＣＰ長と、既存のｅＭＢＭＳ  ＰＨＹ規格によって与えられるものを超えてシンボル区間を拡張するための、サブキャリア間隔の追加のスケーリングとを含むように、ＰＨＹを拡張する、表１を提示する。
【図４】図４は、ＦＦＴ区間のパーセンテージとして表される複数の候補ＣＰ長と、既存のｅＭＢＭＳ  ＰＨＹ規格によって与えられるものを超えてシンボル区間を拡張するための、サブキャリア間隔の追加のスケーリングとを含むように、ＰＨＹを拡張する、表２を提示する。
【図５】図５は、ＭＩＢ／ＳＩＢによるＲＦシステム構成を示す表３を提示する。
【図６】図６は、一実施形態による、未承諾ＨＡＲＱ再送に関する手順を示す。
【図７】図７は、一実施形態による修正されたｅＭＢＭＳフレーム構造を示す。
【図８】図８は、６ＭＨｚシグナル帯域幅及び１フレームあたり１０個のｅＭＢＭＳサブフレーム（ＳＦ）のうちの８個に関するシステムスループットを示す表４を提示する。
【図９】図９は、６ＭＨｚシグナル帯域幅及び１フレームあたり１０個のｅＭＢＭＳサブフレーム（ＳＦ）のうちの８個に関するシステムスループットを示す表５を提示する。
【図１０】図１０は、一実施形態による動的スペクトル共有を示す。
【図１１】図１１は、一実施形態による、スペクトル共有を動的に可能とするための、放送ネットワークとブロードバンドネットワークとの間の協調を示す、簡略化されたネットワークアーキテクチャを示す。
【図１２】図１２は、一実施形態によるチャネルエンコーディングスキームの例を示す表６を提示する。
【図１３】図１３は、一実施形態による、サポートされる帯域幅クラスのセットを示す表７を提示する。
【図１４】図１４は、一実施形態による、ＥＡＲＦＣＮ割り当て及びシステム構成の例を提供する。
【図１５】図１５は、キャリアアグリゲーション下において利用可能なスペクトルリソースを配分するためのスペクトルサーバの一実施形態を示す。
【図１６】図１６は、利用可能なスペクトルリソースを動的に集合させるための方法に関連して使用するためのベースステーションの一実施形態を示す。
【図１７】図１７は、利用可能なスペクトルリソースを動的に集合させるための方法に関連して使用するためのデバイスの一実施形態を示す。
【図１８】図１８は、動的キャリアアグリゲーションのためのベースステーションの一実施形態を示す。
【図１９】図１９は、動的キャリアアグリゲーションのためのデバイスの一実施形態を示す。
【図２０】図２０は、放送インフラストラクチャを使用したスペクトル共有のためのデバイスの一実施形態を示す。
【図２１】図２１は、無線ブロードバンドプロバイダに対する利用可能なスペクトルリソースの動的な販売を促進するようにスペクトルサーバを動作させるための方法の一実施形態を示す。
【図２２】図２２は、無線ネットワークのためのスペクトル購入サーバの一実施形態を示す。
【図２３】図２３は、広告用サーバを動作させるための方法の一実施形態を示す。
【図２４】図２４は、放送ＴＶシグナルを受信するためのレシーバシステムの一実施形態を示す。
【図２５】図２５は、放送ＴＶシグナルのためのトランスミッタシステムの一実施形態を示す。
【発明を実施するための形態】
【００２１】
本開示は様々な修正及び代替形態を許容するものであるが、その具体的な実施形態を例として図面に示し、また本明細書で詳細に説明する。しかしながら、上記具体的実施形態の図及び詳細な説明は、図示されている特定の形態に開示を限定することを意図したものではなく、反対に、添付の請求項によって定義されるような本開示の精神及び範囲内にある全ての修正例、均等物及び代替例を包含することを意図したものであることを理解されたい。本明細書において使用されている見出しは、単に組織化を目的としたものであり、これらの使用は本説明の範囲の限定を意味しない。本出願全体を通して使用される単語「してよい／し得る／できる（ｍａｙ）」は、許容の意味で（即ち「可能性がある」ことを意味して）使用されており、強制の意味で（即ち「しなければならない」ことを意味して）使用されるものではない。同様に、単語「含む（ｉｎｃｌｕｄｅ／ｉｎｃｌｕｄｉｎｇ／ｉｎｃｌｕｄｅｓ）」は、ある対象を含むもののそれに限定されないことを意味する。
【００２２】
フローチャートは、例示的実施形態を例示するために提供されるものであり、図示されている特定のステップに本開示を限定することを意図したものではない。様々な実施形態において、図示されている方法の要素のうちのいくつかを同時に実施してよく、図示したものと異なる順序で実施してよく、又は省略してよい。必要に応じて追加の方法要素を実施してもよい。
【００２３】
様々なユニット、回路又はその他の構成部品は、１つ又は複数のタスクを実施する「よう構成される（ｃｏｎｆｉｇｕｒｅｄ  ｔｏ）」として記載され得る。このような文脈において「よう構成される」は、動作中に上記１つ又は複数のタスクを実施する「回路構成を有する」ことを一般に意味する、構造の広範な説明である。従ってユニット／回路／構成部品は、ユニット／回路／構成部品が現在オンでなくても上記タスクを実施するよう構成できる。一般に「よう構成される」に対応する構造を形成する回路構成は、ハードウェア回路を含んでよい。同様に、記載を簡略化するために、様々なユニット／回路／構成部品は、１つ又は複数のタスクを実施するとして記載され得る。このような記載は「よう構成される」という語句を含むものとして解釈されるものとする。１つ又は複数のタスクを実施するよう構成されるユニット／回路／構成部品の列挙は、これらユニット／回路／構成部品に関して米国特許法第１１２条第６段落の解釈を援用しないことを明示的に意図したものである。より一般には、いずれの要素の列挙は、「…のための手段（ｍｅａｎｓ  ｆｏｒ）」又は「…のためのステップ（ｓｔｅｐ  ｆｏｒ）」という語句が具体的に使用されていない限り、上記要素に関して米国特許法第１１２条第６段落の解釈を援用しないことを明示的に意図したものである。
【００２４】
本特許において使用される頭字語のリスト
ＡＴＳＣ：次世代テレビジョン方式委員会
ＢＢ：ブロードバンド
ＢＣ：放送
ＣＡ：キャリアアグリゲーション
ＣＣ：コンポーネントキャリア
ＣＣＣＨ：共通制御チャネル
ＣＰ：サイクリックプレフィクス
ＤＣＣＨ：専用制御チャネル
ＤＬ：ダウンリンク
ＤＶＢ：デジタルビデオ放送
ＥＡＲＦＣＮ：Ｅ‐Ｕｔｒａ絶対ラジオ周波数チャネル番号
ｅＭＢＭＳ：発展型マルチメディア放送同報サービス
ＥＰＳ：発展型パケットシステム
ＧＩ：ガード間隔
ＧＷ：ゲートウェイ
ＨＤ  Ｒａｄｉｏ：高精細ラジオ
ＬＴＥ：ロングタームエボリューション
ＭＡＣ：媒体アクセス制御
ＭＩＢ：マスター情報ブロック
ＭＭＥ：モビリティ管理エンティティ
ＮＡＳ：非アクセス層
ＯＦＤＭ：直交周波数分割多重方式
ＰＢＣＨ：物理放送チャネル
ＰＤＣＰ：パケットデータ輻輳プロトコル
ＰＤＮ：パケットデータネットワーク
ＰＣＣ：ポリシー及び課金制御
ＰＤＳＣＨ：物理ダウンリンク共有チャネル
ＰＤＣＣＨ：物理ダウンリンク制御チャネル
ＰＨＩＣＨ：物理ハイブリッドＡＲＱインジケータチャネル
ＰＳＳ：１次同期シグナル
ＳＦ：サブフレーム
ＳＦＮ：単一周波数ネットワーク
ＳＩＢ：システム情報ブロック
ＳＲＢ：シグナリングラジオベアラ
ＳＳＳ：２次同期シグナル
ＵＥ：ユーザ機器
ＵＬ：アップリンク
【００２５】
本特許において使用される用語
メモリ媒体‐いずれの様々な種類のメモリデバイス又はストレージデバイス。用語「メモリ媒体」は、インストール媒体（例えばＣＤ−ＲＯＭ、フロッピーディスク若しくはテープデバイス）；コンピュータシステムメモリ若しくはＤＲＡＭ、ＤＤＲ、ＲＡＭ、ＳＲＡＭ、ＥＤＯ  ＲＡＭ、ラムバスＲＡＭ等のランダムアクセスメモリ；磁気メディア（例えばハードドライブ）、光学ストレージ若しくはＲＯＭ、ＥＰＲＯＭ、ＦＬＡＳＨ等の不揮発性メモリ；レジスタ又は他の同様のタイプのメモリ素子等を含むことを意図している。メモリ媒体はその他のタイプのメモリ又はその組み合わせも同様に含んでよい。更に、メモリ媒体は、プログラムを実行する第１のコンピュータシステム内に配置してよく、又はインターネット等のネットワークを介して第１のコンピュータシステムに接続された第２の異なるコンピュータシステム内に配置してよい。後者の場合、第２のコンピュータシステムは第１のコンピュータシステムに、実行のためのプログラム命令を提供してよい。用語「メモリ媒体」は、異なる位置、例えばネットワークを介して接続された異なるコンピュータシステム内にあってよい２つ以上のメモリ媒体を含んでよい。メモリ媒体は、１つ又は複数のプロセッサが実行できる、（例えばコンピュータプログラムとして実現される）プログラム命令を記憶してよい。
【００２６】
コンピュータシステム‐用語「コンピュータシステム」は、パーソナルコンピュータシステム（ＰＣ）、メインフレームコンピュータシステム、ワークステーション、ネットワーク家電、インターネット家電、パーソナルデジタルアシスタント（ＰＤＡ）、テレビジョンシステム、グリッドコンピューティングシステム若しくはその他のデバイス又はデバイスの組み合わせを含む、様々なタイプの計算又は処理システムのいずれかを指す。一般に、用語「コンピュータシステム」は、メモリ媒体からの命令を実行する少なくとも１つのプロセッサを有するいずれのデバイス（又は複数のデバイスの組み合わせ）を包含するものとして広く定義できる。
【００２７】
ユーザ機器（ＵＥ）（又は「ＵＥデバイス」）‐移動可能又は携帯可能であり、無線通信を実施する、いずれの様々なタイプのコンピュータシステムデバイス。ＵＥデバイスの例としては、携帯電話又はスマートフォン（例えばｉＰｈｏｎｅ（商標）、Ａｎｄｒｏｉｄ（商標）ベースの電話）、携帯型ゲームデバイス（例えばＮｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ＰＤＡ、携帯型インターネットデバイス、音楽プレイヤー、データ記憶デバイス、他のハンドヘルドデバイス、及び腕時計、ヘッドホン、ペンダント、イヤホン等のウェアラブルデバイスが挙げられる。一般に、用語「ＵＥ」又は「ＵＥデバイス」は、ユーザが容易に輸送でき、かつ無線通信が可能な、いずれの電子デバイス、計算デバイス及び／又は遠距離通信デバイス（又はデバイスの組み合わせ）を包含するよう、広範に定義できる。
【００２８】
ベースステーション‐用語「ベースステーション」は、この語が通常意味するところの全範囲を含み、少なくとも、固定位置に設置されて、無線携帯電話システム又はラジオシステムの一部として通信に使用される、無線通信ステーションを含む。
【００２９】
要素プロセッサ‐様々な要素又は要素の組み合わせを表す。要素プロセッサとしては例えば、ＡＳＩＣ（特定用途向け集積回路）等の回路、個々のプロセッサコアの部分若しくは回路、複数のプロセッサコア全体、個々のプロセッサ、フィールドプログラマブルゲートアレイ（ＦＰＧＡ）等のプログラマブルハードウェアデバイス、及び／又は多数のプロセッサを含むシステムの比較的大きな部分が挙げられる。
【００３０】
自動的に（ａｕｔｏｍａｔｉｃａｌｌｙ）‐その作用又は動作を直接指定又は実施するユーザ入力を必要とせずに、コンピュータシステム（例えばコンピュータシステムが実行するソフトウェア）又はデバイス（例えば回路構成、プログラム可能なハードウェア要素、ＡＳＩＣ等）が実施する動作又は操作について用いる。従って用語「自動的に」は、ユーザが手動で実施又は指定する操作（ここでユーザが操作を直接実施するために入力を提供する）と対照的なものである。自動処理は、ユーザが提供する入力によって開始される場合があるが、これに続く「自動的に」実施される動作は、ユーザが指定するものではなく、即ち「手動で」実施される（ユーザが各動作の実施を指定する）ものではない。例えばユーザが、各フィールドを選択し、（例えば情報をタイピングすることによって、チェックボックスを選択することによって、無線選択によって等で）情報を指定する入力を提供することによって、電子フォームを埋める場合、仮にコンピュータシステムがユーザの動作に応答して上記フォームを更新しなければならないとしても、これは上記フォームを手動で埋めたことになる。このようなフォームはコンピュータシステムによって自動で埋めることができ、この場合コンピュータシステム（例えばコンピュータシステム上で実行されるソフトウェア）は、フォームのフィールドを分析して、フィールドへの回答を指定するいずれのユーザ入力を必要とせずにフォームを埋める。上述のように、ユーザはフォームを自動で埋める動作を発動する場合はあるが、実際にフォームを埋める動作には関わらない（例えばユーザはフィールドへの回答を手動で指定せず、回答は自動的に完了する）。本明細書は、ユーザが行う動作に応答して自動的に実施される操作の様々な例を提供する。
【００３１】
図１は、コンテンツソースからユーザ機器（ＵＥ）デバイスへとコンテンツを配信する放送／ブロードバンド輻輳システム１００の一実施形態を示す。このシステムは、有意に向上した移動可能性を放送産業にもたらし、追加の収入源を放送産業にもたらし、共有によって追加のスペクトルを放送産業にもたらし、ユーザの体験を豊かにする。全ての既存のビジネスモデルを保持できるため、今日のシステムからこの新規のシステムに同期して移行する必要がない。
【００３２】
放送／ブロードバンド輻輳ネットワークアーキテクチャは、様々な２Ｇ／３Ｇ／４Ｇブロードバンドネットワーク及び様々な放送ネットワークに適用される。ＬＴＥ及びＡＴＳＣ輻輳を例として用いる。図１のシステム間の通信リンクは論理接続であり、必ずしも専用の物理リンクではない。例えば、共通ネットワーク（インターネット）を介して多数の通信リンクを発生させてよく、多数のシステムを同一の場所に配置するか又は１つに併合してよく、分散制御スキーム及び集中制御スキームの両方が可能である。図１の目的は、ネットワークの基本的な動作原理を図示することである。同一の目的を達成するために、様々な構成及びトポロジが可能である。
【００３３】
図１に示すように、放送／ブロードバンド輻輳ネットワークアーキテクチャは、以下のカテゴリ：コンテンツソース１０１、コアネットワーク１０２、ランダムアクセスネットワーク（ＲＡＮ）／スペクトル１０３及びユーザ機器１０４に関して編成できる。
【００３４】
コンテンツプロバイダ１０８のようなコンテンツプロバイダは、ＩＰコア１０６にコンテンツ（例えばビデオ情報）を供給できる。スペクトルエクスチェンジ１１０は、インターネット１１２へ／からコンテンツ及び／又は他の情報を送受信できる。無線ブロードバンドネットワークコア１１２は、無線ブロードバンドキャリア１１４からコンテンツを受信できる。
【００３５】
ＩＰコア１０６（又は放送エクスチェンジ）は、ＶＨＦトランスミッタ１１６及びＵＨＦトランスミッタ１１８等のトランスミッタにコンテンツストリームを提供できる。ＶＨＦトランスミッタは、シグナル１２６のようなＶＨＦ放送シグナル（例えばＡＴＳＣシグナル又はＡＴＳＣ３．０シグナル）を生成する。ＵＨＦトランスミッタは、シグナル１２８のようなＵＨＦ放送シグナル（例えばＡＴＳＣシグナル又はＡＴＳＣ３．０シグナル）を生成する。
【００３６】
無線ブロードバンドネットワークコア１１２（例えばＬＴＥ発展型パケットコア）は、ベースステーション１２０のような無線ブロードバンドベースステーションを用いて、ユーザへ／からデータストリームを送受信する。よって無線ベースステーションは、（ＬＴＥ等の）無線ブロードバンドサービス１３４をユーザデバイスに提供する。
【００３７】
非認可スペクトル１３６を用いてユーザと通信できる。例えばブロードバンドネットワークコア１１２及び／又はインターネット１１４は、アクセスポイント１２２のようなＷｉＦｉアクセスポイント及び／又はＴＶホワイトスペース機器１２４を介して、ユーザデバイスへ／からデータを送受信できる。更に動的スペクトルアクセス１３８（例えばコグニティブラジオ）を採用してよい。
【００３８】
スペクトルエクスチェンジ１１０は、放送局によって利用可能となったスペクトルリソースの、無線ブロードバンドプロバイダへの販売又は交換を媒介できる。スペクトルエクスチェンジはＩＰコア１０６及び無線ブロードバンドネットワークコア１１２に連結される。ＩＰコア１０６はまた、スペクトルエクスチェンジ１１０を迂回して、ブロードバンドネットワークコア１１２に更に直接連結でき、これにより例えばブロードバンドネットワークコア１１２は、１つ又は複数の放送ネットワークによる放送のためにデータをオフロードできるようになる。
【００３９】
ブロードバンドネットワークコア１２２は、ＩＰコア１０６へとコンテンツをオフロードでき、従ってこのコンテンツは、例えばスペクトル共有１３０によって示されているように、放送ネットワークの１つ又は複数のトランスミッタによって放送されることになる。この形態のスペクトル共有では、放送ネットワークはブロードバンドネットワークに代わって、オフロードされたコンテンツを送信する。従って放送ネットワークは、このようなオフロードサービスを提供することによって、ブロードバンドネットワークからの収入を生成できる。オフロードされたコンテンツは、ブロードバンドプロバイダの明示的な制御又は金銭的寄与なしにＵＥ１０４が受信できる通常の放送コンテンツであってもよく、このようにして、ブロードバンドスペクトルを他の使用（例えばユニキャスト）のために保持したまま、放送スペクトルを用いてコンテンツをＵＥへと効果的に配信する。
【００４０】
放送ネットワークはまた、ラジオスペクトルの複数の部分を、放送ネットワークが放送送信のための当該スペクトルの使用を計画していない場合に、ブロードバンドネットワークに対して利用可能とすることもできる。従ってＩＰコア１０６は、ラジオスペクトルの上述のような利用可能な部分を識別する情報を、スペクトルエクスチェンジに対して通信できる。スペクトルエクスチェンジ１１０は、上述の利用可能な部分のデータベースを維持でき、これらの部分をブロードバンドネットワークへの販売又はブロードバンドネットワークとの交換用に利用可能とすることができる。このようにして、放送ネットワークは、スペクトルの複数の部分においてアクティブに放送を行っていない時間中であっても、上記部分から収入を生成できる。この特徴を、図１においてスペクトル共有１３２によって示す。
【００４１】
輻輳システム１００によって、例えばテレビ１４０、ラップトップコンピュータ１４２、デスクトップコンピュータ１４４、タブレット１４６、移動体デバイス１４７、車載デバイス１４８又は他の乗り物に搭載されたデバイス等の幅広いＵＥデバイス１０４を利用できる。１５０において示すように、いくつかの実施形態では、（様々な可能なソースのうちの）シグナルソースは、視聴者にとって明らかであってよく、ハンドオフはシームレスであってよく、このシステムは、周波数に関して機敏な、かつ波形に関して機敏なシグナリングを提供し、波形はソフトウェア定義型であってよい。
【００４２】
放送モード
インターネット世代の放送モードは本質的には、既存の無線ブロードバンドネットワークをアップリンク（例えばＷｉ‐Ｆｉ、ＬＴＥ、ホワイトスペース等）として使用するオプションを有する、従来の放送方式である。２つのトランスポートが、放送スペクトルを単独で占有してＵＥの放送レシーバへの送信を行う放送局と、独立に動作する。ＵＥは、認可及び／又は非認可ブロードバンドスペクトルで動作する、双方向ＤＬ／ＵＬ通信を実行できる無線ブロードバンドトランシーバを内包してよい。
【００４３】
この放送モードには３つの使用シナリオが存在する。
【００４４】
ａ）非リアルタイムアップリンク：ユーザはＵＥにおいて、従来のＴＶの視聴と同様に放送レシーバを制御する放送ＴＶアプリケーションを動作させる。ＴＶアプリケーションは、ユーザの視聴傾向に関する統計及び他のデータを収集する。デバイスがブロードバンドネットワークに接続されると、レーティング、目的とする広告、及び他のデータマイニング目的の為に、収集されたデータを放送局サーバに転送する。
【００４５】
ｂ）リアルタイムアップリンク：リアルタイムインタラクティブモードのアップリンクのために、ブロードバンド接続を使用する。ユーザフィードバック及びユーザフィードバックに対する放送の応答は、瞬間的なものである。ユーザは、放送コンテンツを視聴しながら、ソーシャルネットワーキング、通信及びデータアクセスといった全てのインターネット体験を利用可能である。放送トランスポートとブロードバンド戻りチャネルとの間の関連は、ブロードバンドネットワークと放送ネットワークとの間で確立されたインターネット間接続プロトコルを介して達成される。
【００４６】
ｃ）無アップリンク：ユーザはアップリンクオプションを選択しない。データ収集、インタラクティビティ及びアップリンクが存在しない。従来のＴＶと同様である。
【００４７】
放送／ブロードバンドスペクトル共有モード
放送及びブロードバンドスペクトルの利用は一般に相補的である。例えばブロードバンドスペクトルの使用のピークは通常、昼間の就業時間中であり、放送収入生成のピークは夜間のゴールデンタイムに発生する。ユーザの視点からすると、オンデマンドコンテンツが一般に好まれるにも関わらず、ライブイベント、ニュース、人気のあるＴＶ番組の初回放映といった時間に依存する放送コンテンツは、オンデマンドへの嗜好例外である。スペクトル共有は、有用な複数のスペクトルを異なる時間における異なるペイロードの搬送に適用することによって戻りを最大化するための、追加の収入の機会を放送局に提供する。
【００４８】
放送エクスチェンジ
あるスペクトル共有モードでは、Ｓｉｎｃｌａｉｒ  Ｂｒｏａｄｃａｓｔ  Ｇｒｏｕｐが提案しているように、放送方式の経済から利益を得ることができるブロードバンドネットワークコンテンツを、輻輳放送ネットワークへとオフロードできる。例えば：１）Ｍａｒｋ  Ａ．  Ａｉｔｋｅｎ，  Ｍｉｋｅ  Ｓｉｍｏｎ，  “Ｅｘｐｌｏｒｉｎｇ  Ｉｎｎｏｖａｔｉｖｅ  Ｏｐｐｏｒｔｕｎｉｔｉｅｓ  ｉｎ  ＡＴＳＣ  Ｂｒｏａｄｃａｓｔｉｎｇ，”  ＡＴＳＣ  Ｓｙｍｐｏｓｉｕｍ  ｏｎ  Ｎｅｘｔ  Ｇｅｎｅｒａｔｉｏｎ  Ｂｒｏａｄｃａｓｔ  Ｔｅｌｅｖｉｓｉｏｎ，  １５  Ｆｅｂｒｕａｒｙ  ２０１１，  Ｒａｎｃｈｏ  Ｍｉｒａｇｅ，  Ｃａｌｉｆｏｒｎｉａ；２）  Ｍａｒｋ  Ａ．  Ａｉｔｋｅｎ，  “Ｂｒｏａｄｃａｓｔ  Ｃｏｎｖｅｒｇｅｎｃｅ  -  Ｂｒｉｎｇｉｎｇ  ｅｆｆｉｃｉｅｎｃｙ  ｔｏ  ａ  ｎｅｗ  ｐｌａｔｆｏｒｍ，”  Ｓｏｃｉｅｔｙ  ｏｆ  Ｍｏｔｉｏｎ  Ｐｉｃｔｕｒｅ  ＆  Ｔｅｌｅｖｉｓｉｏｎ  Ｅｎｇｉｎｅｅｒｓ  （ＳＭＰＴＥ）  ２０１１  Ａｎｎｕａｌ  Ｃｏｎｆｅｒｅｎｃｅ，  Ｏｃｔｏｂｅｒ  ２５-２７，  ２０１１，  Ｈｏｌｌｙｗｏｏｄ，  Ｃａｌｉｆｏｒｎｉａ；３）Ｍａｒｋ  Ａ．  Ａｉｔｋｅｎ，  “Ｂｒｏａｄｃａｓｔ  -  Ｔｈｅ  Ｔｅｃｈｎｏｌｏｇｙ  ａｎｄ  ｔｈｅ  Ｍｅｄｉｕｍ，”  Ｓｉｎｃｌａｉｒ  Ｂｒｏａｄｃａｓｔ  Ｇｒｏｕｐ，  ６１st  Ａｎｎｕａｌ  ＩＥＥＥ  Ｂｒｏａｄｃａｓｔ  Ｓｙｍｐｏｓｉｕｍ，  Ａｌｅｘａｎｄｒｉａ，  Ｖｉｒｇｉｎｉａ，  １９-２１  Ｏｃｔｏｂｅｒ  ２０１１を参照。
【００４９】
放送エクスチェンジが生成されることにより、地域ベース（例えば指定市場領域（ＤＭＡ））から国家ベースにまで及ぶある所定の地域における、放送局による放送スペクトル及び／又は放送インフラストラクチャ（例えば送信タワー）の集合が可能となる。放送エクスチェンジは、放送範囲、収入（例えば受信人数／Ｍｈｚ、収入／Ｍｈｚ）及びサービス品質（ＱＯＳ）の観点において最も効率的かつ効果的な方法で、欠乏したスペクトルリソースのプールを用いて、メンバーである放送局からコンテンツを配信する責任を果たす。
【００５０】
放送エクスチェンジを形成するためのスペクトルの集合は、放送局の任意の協働／合意によるものである。現行の放送モデルの維持を望む放送局も存在し得る。従って、放送／ブロードバンド輻輳ネットワークは、全ての既存のビジネスモデルをサポートできるように設計される。放送エクスチェンジの集中制御スキームは、新規の放送／ブロードバンド輻輳ネットワークが提供する、向上した移動受信性、階層型サービス（例えば無料の広告サポート型コンテンツから有料購読まで）、移動しやすくインターネットとの親和性が高いユーザ体験から利益を得るための要件ではない。
【００５１】
現行の放送モデルでは、多くのＴＶ局にとって、少数のプログラムがその収入及び利益の大半を生み出すにもかかわらず、放送局は、その独自の使用２７×７のために、１つの放送チャネル全体（例えば米国では６ＭＨｚ）を占有する。新規のモデルでは、放送エクスチェンジは、スペクトルの使用の非効率性を排除すること、（固定デバイスに最適化された）ＶＨＦ又は（移動体デバイスに最適化された）ＵＨＦ周波数／トランスミッタを通してコンテンツを配信できる最大限の柔軟性を提供すること、及びこのモデルのメンバーにとっての放送スペクトルの収入発展性を最大化することを目的としている。
【００５２】
例えば、解像度を（ＳＤ、ＨＤから４Ｋ以上まで）調整することによって、利用可能な帯域幅を異なる複数のコンテンツに対して分配するための、次世代コーデック及び効率的な市場主導型機構の採用によって、追加の帯域幅を解放できる。いくつかの放送局は、ゴールデンタイムの間だけコンテンツを放送し、昼間は他の使用のためにスペクトルをプールに解放して、より多くの収入を生成することを選択できる。放送エクスチェンジサーバは、メンバーである放送局にとって効率的にコンテンツを配信するため、及び無線キャリア、非リアルタイムデータ配信、放送局以外の他のコンテンツプロバイダのための配信機構、オーバー・ザ・トップ（ＯＴＴ）コンテンツ所有者、公共サービス等のための４Ｇデータオフロードを含むがこれに限定されない他の用途のために余剰のスペクトルを配分するために、放送スペクトルを効果的にリパックする。
【００５３】
スペクトルをリパックするステップ、又はＴＶ局をより小さなスペクトルのブロックにリパックするステップは、従来、ある制定過程によって規制当局（例えば米国のＦＣＣ）が行う機能である。法的手段を通したスペクトルのリパッキングとは異なり、放送エクスチェンジによって実行される集中型かつ協調的なスペクトルのリパッキングは、動的であり、市場主導的である。放送のスペクトル使用の効率を改善するだけでなく、放送エクスチェンジによるリアルタイム動的スペクトルリパッキングの制御は、低出力ブロードバンドネットワークが高出力放送ネットワークの近傍で動作しなければならなくなり得る場合に、非放送の使用のために、干渉を最小とした、価値の高い余剰スペクトルを生成するために有用である。
【００５４】
スペクトルエクスチェンジ
別のスペクトル共有モードでは、放送局は、放送スペクトルの１次ユーザとなる。放送局は、トランスミッタをシャットオフしてスペクトルの制御を無線ブロードバンドに譲渡することにより、放送スペクトルを無線ブロードバンドキャリアと共有できる。従来のスペクトル共有スキームとは異なり、放送ネットワークサーバとブロードバンドネットワークサーバとの間の協調により、スペクトル検出は不要となる。
【００５５】
スペクトル共有は、放送トランスポートスペクトルにおいて予備の容量が利用可能となれば、いつでも可能である。ブロードバンドネットワークは毎回、利用可能であるとして指定された（即ち放送ネットワークが使用していない）いずれのチャネルから容量を集合させる。未使用の放送チャネルの利用可能性は、市場／地形によって、並びに曜日及び／又は時刻によって変化し得る。放送チャネルの容量は、それが空である場合、放送ネットワークが放送への使用のためにこのチャネルスペクトルの使用を再要求するまで、ブロードバンドチャネルの容量を増大させるために再配向できる。
【００５６】
スペクトルエクスチェンジは、放送エクスチェンジから卸売のスペクトルブロックを取得し、これらを可変期間の複数のブロックにおけるブロードバンドでの使用のために利用可能とする。これらのブロックの長さ、チャネル利用可能性のスケジュール、いずれの地理的位置において利用可能なチャネル数は、事前に統計的に、又は市場の状況に基づいてリアルタイムで動的に、決定してよい。
【００５７】
スペクトルが無線ブロードバンドの制御下にある場合、無線オペレータは、放送タワーを、キャリア制御下の他のタワーに追加されるマクロタワーとして使用するオプションを有する。（用語「マクロタワー（ｍａｃｒｏ  ｔｏｗｅｒ）」は、大きなマクロセルを包含する高出力ベースステーションを指す。）ＬＴＥの場合、無線ブロードバンドオペレータは、ＬＴＥ、ＬＴＥ＋ｅＭＢＭＳ又はＬＴＥ＋強化型ｅＭＢＭＳを使用するオプションも有する。
【００５８】
キャリアアグリゲーション
キャリアアグリゲーションは、ブロードバンドキャリアに無線トラフィックをオフロードするためにブロードバンドスペクトルを適用する機構である。送信のみに制限されたブロードバンドスペクトルの場合、キャリアアグリゲーションは、ブロードバンドネットワークのためのダウンリンク（ＤＬ）トラフィックのみをオフロードするために使用される。法令がこのような用途を認めている場合、アップリンク及びダウンリンクオフロードの両方に対して放送スペクトルを使用することに対する技術的制限は存在しない。
【００５９】
キャリアではなくてもよいエンティティによって制御されるオフロードスペクトルを使用して、複数の無線ブロードバンドキャリアへの供給を行うことができる。これは、キャリアアグリゲーションに使用される全てのスペクトルを、単一のキャリアのネットワークに供給するという目的だけのために、上記単一のキャリアによって制御する、という従来の考えとは異なっている。
【００６０】
次世代ＵＥのためのプログラマブルラジオチップセット
図２Ｂは、放送ブロードバンド輻輳ネットワークの能力に大きな影響を及ぼす、新世代ユーザ機器（ＵＥ）２５０のアーキテクチャを示す。図２Ａに示すＵＥ２００のアーキテクチャのような過去のアーキテクチャとは異なり、ここで提案されるアーキテクチャにより、ＬＴＥ無線ブロードバンド規格の発展と同様に、経時的な発展が可能となる。（ＬＴＥは「ロングタームエボリューション）」の頭字語である。）ソフトウェア定義アーキテクチャを用いることにより、ＵＥ２５０は発展型の規格に適応可能となる。ここで提案されるアーキテクチャの１つの目的は、少なくとも我々の寿命までにおける最後のＴＶの変遷となることである。ＬＴＥとの調和により、放送及びブロードバンドの両方をサポートするためのコスト増分は最小となり、全ての固定及び移動体デバイスにおいて同一のチップセットを使用できる。
【００６１】
図２Ａに示すように、今日のラジオチップセット２０２は、マルチバンドＬＴＥトランシーバ２０４、ＬＴＥベースバンド加速器２０６、マルチコアアプリケーションプロセッサ２０８、ＡＴＳＣチューナ／レシーバ２１０、ＡＴＳＣ復調器２１２を含む。外部ＡＴＳＣチューナ／レシーバは、追加の部品表示（ｂｉｌｌ  ｏｆ  ｍａｔｅｒｉａｌｓ：ＢＯＭ）コスト、権利使用料、回路基板用の物的財、電力消費を招く。ＬＴＥ  ＲＦサポートは、（４０+３ＧＰＰ  ＬＴＥ帯域からの）いくつかの帯域に限定される。ベースバンド処理は、殆どの場合、柔軟性が制限されたハードウェア実現型回路構成である。放送及びブロードバンドは別個の機能である。
【００６２】
図２Ｂに示すように、新世代チップセット２５２は、プログラマブルトランシーバ２５４、プログラマブルベースバンドプロセッサ２５６、マルチコアアプリケーションプロセッサ２５８を含む。プログラマブルベースバンドプロセッサ２５６は、同一のハードウェアリソースを構成又はプログラミングすることによって、多数の波形をサポートする。（例えばＡＴＳＣ３．０及びＬＴＥを同時にサポートする。プログラマブルベースバンドプロセッサは単一のチップによるソリューションを可能とする。従って、別個のＡＴＳＣ又は放送サポートチップを必要としない。）ＲＦトランスミッタ／レシーバ２５４は、ＶＨＦ／ＵＨＦから最低５ＧＨｚまでの全ての帯域をサポートするようプログラム可能である。新世代チップセット２５２は、放送／ブロードバンド輻輳及びオフロードをサポートするためのソフトウェアスタックを含む。
【００６３】
ユーザ体験
ユーザの視点からすると、ＴＶチャネルへの整調という従来の考えは関係ない。移動体デバイスのアプリケーションを呼び出すことによって、ユーザはプログラム及び／又はコンテンツのリストを提示され、ユーザはそこから、固定チャネル番号を一切参照することなく選択を行うことができる。放送エクスチェンジによるコンテンツ配信のためのスペクトルの動的配分により、コンテンツストリームが配信されるチャネルはその時々で変化する場合があり、ユーザに対して明らかであってよく、チャネル間及び／又は放送インフラストラクチャとブロードバンドインフラストラクチャとの間でのシームレスなハンドオフを含む。
【００６４】
固定レシーバ（例えば接続型ＴＶ）における視聴体験は、放送／ブロードバンド輻輳ネットワークの「ＴＶ  Ｅｖｅｒｙｗｈｅｒｅ」性能によって同様に豊かになる。移動体デバイスの電力及びサイズの制約なしに、固定レシーバは、無線接続性、巨大なストレージ、自宅における（移動体デバイス及び接続型自動車を含む）全てのデバイスの相互接続に加えて、超高解像度ディスプレイ、地上インターネット接続性を可能とする。
【００６５】
強化型ｅＭＢＭＳ
以下の節では、ＬＴＥを介した放送サービス配信を可能とするために導入された発展型マルチメディア放送／マルチキャストサービス（ｅＭＢＭＳ）規格に対して提案される強化について説明する。提案されるサービス強化は以下のように分類できる：
（１）単一周波数ネットワーク（ＳＦＮ）展開に関連するものを含む放送システムの目標との適合性を改善することを目的とする、ＰＨＹ拡張（即ち物理レイヤ拡張）；
（２）ブロードバンドサービス配信を増大させるために、アイドリング状態であると考えられるスペクトルを放送コアネットワークが使用できるようにするよう適合された、キャリアアグリゲーション（ＣＡ）。
【００６６】
放送性能目標を満たすためのｅＭＢＭＳシステムの修正
提案されているｅＭＢＭＳの修正のリストは、主要な放送性能目標に関して更に好ましいようにＬＴＥを位置決めすることを目的とする、複数のＰＨＹ強化を含む。本開示は、ＬＴＥスペクトル、又は「動的スペクトル共有」の節において後で説明されるような、未使用の放送チャネルから集められたスペクトルにおける、放送／マルチキャストサービス配信のために構成された、ｅＭＢＭＳトランスポートに関連する。提案される強化は、ユニキャストサービス配信に関連する非ｅＭＢＭＳ  ＬＴＥトランスポートに影響を与えるようには構成されていない。
【００６７】
提案されるＰＨＹは、放送スペクトルにおける１対多数のトランスポートに使用される既存の規格を強制的に置換するものではないが、上記提案されるＰＨＹの態様を用いて、新規の放送動作モード及び規格を定義し得る。例えば、現行の８ｖｓｂベースのＡＴＳＣ規格は、現行のＡＴＳＣよりも多くの点で優れている上記提案されるＰＨＹに基づく放送ＴＶと共存できる。提案されるＰＨＹを新規のＡＳＴＣ規格の一部として採用する場合、このような構成は、有意に低い移行コストでの漸進的な以降を可能とする。新世代レシーバは、過去のレシーバが既存のＡＴＳＣ放送のみを受信し続ける一方で、両方の放送ストリームをサポートする。
【００６８】
ｅＭＢＭＳはＬＴＥ  ＰＨＹの拡張として考案され、低レイテンシ及び短縮されたシグナリング間隔を非常に重視する柔軟なユニキャストトランスポートの開発において求められる属性の多くを保持する。この目標を前提として、ＬＴＥは、サブフレーム（ＳＦ）あたり整数個のＯＦＤＭシンボルを消費する、１ｍｓのＳＦ境界に関連する間隔で動作する。従来の放送規格、例えばＤＶＢは、異なる量の遅延広がり公差を許容できるように、シンボル区間の可変性を許容する、即ち異なるＦＦＴサイズを採用する、遥かに長いタイムスケールで動作する。その一方でＬＴＥは、ＦＦＴサイズの増大に従ってシグナル帯域幅を拡張する代わりに、固定シンボル区間を使用する。
【００６９】
提案されるＰＨＹ拡張は、既存のｅＭＢＭＳ規格による以下の知覚可能な欠陥に対処するために導入されている：
・増大した遅延広がり公差；
・改善されたバーストノイズ耐性；
・より高いビットレート／増大したスループット。
【００７０】
遅延広がり公差
単一周波数ネットワークは、時間的に緊密に同期した様式で、多数のタワーから同一のシグナルコンテンツを同時に放送する。放送設備においてＳＦＮを使用して、セルの縁部のデバイスによる受信を改善する。多数のベースステーションからのシグナル構成成分は、セル間の重複領域に位置する受信側ステーションにおいてはマルチパスのようになる。その結果、ＳＦＮ展開は、下層のシグナルトランスポートに不可欠な部分として、追加の遅延広がり公差を必要とする。
【００７１】
遅延広がり公差は、サイクリックプレフィクス（ＣＰ）の形態で各ＯＦＤＭの前方に挿入されるガード間隔（ＧＩ）の長さによって直接決定される。サイクリックプレフィクスは、使用可能なＯＦＤＭシンボル区間‐ＴFFTのパーセンテージとして表すことができる。ＣＰを追加する前のＯＦＤＭシンボルの寄与に対応するＦＦＴ区間は、サブキャリア間隔の逆数として計算され、即ちＴFFT＝１／Δｆである。サブキャリア間隔を減少させるとシンボル区間が増大し、従って得られるＧＩの区間が増大する。これは、例えばＬＴＥ、ＤＶＢ、ＨＤラジオといった多数のＯＦＤＭシステムが採用する基本原理である。
【００７２】
ｅＭＢＭＳシステム構成
既存のｅＭＢＭＳ規格は、２つの放送動作モードを指定しており、これらは共に拡張されたＣＰ長を採用する。得られる遅延広がり公差を、規定された範囲のサブキャリア間隔に関して以下に示す：
拡張ＣＰ、１５ｋＨｚサブキャリア間隔：１６．６７μｓ遅延広がり公差；
拡張ＣＰ、７．５ｋＨｚサブキャリア間隔：３３μｓ遅延広がり公差。
【００７３】
提案されるＰＨＹ拡張
提案されるＰＨＹ拡張は、一般的なＬＴＥ  ＰＨＹ仕様との将来の調和を促進するための以下の指針を考慮して、遅延広がり公差の増大を可能とするために、サブキャリア間隔の可変性の増大と共に、多数のＣＰ長を導入する：
１）サンプリングレートは（Ｗ‐ＣＤＭＡチッピングレートに由来する）３．８４ＭＳ／ｓの整数倍のままである；
２）ＦＦＴ寸法は、ＮＦＦＴ＝３×２m、ｍ＝９として計算される１５３６を除いて、２乗〜数乗、即ちＮＦＦＴ＝２m、ｍ＝７：１１として計算される、既存のセット｛ＮＦＦＴ：１２８、２５６、５１２、１０２４、１５３６、２０４８｝及びその整数倍から選択される；
３）スペクトルは、固定リソースブロック（ＲＢ）帯域幅１８０ｋＨｚの整数倍
４）システムは、フレーム（１０ｍｓ）あたり１つのＣＰを含む整数個のＯＦＤＭシンボルを採用する。既存のＬＴＥ  ＰＨＹは、１ｍｓサブフレームあたり整数個のＯＦＤＭシンボルを採用する。この要件の緩和は、大幅なＣＰオーバヘッドを招くことなく要求される遅延広がり公差を達成するために有用であり得る。
【００７４】
表１、２（即ち図３、４）は、ＦＦＴ区間のパーセンテージとして表される複数の候補ＣＰ長と、既存のｅＭＢＭＳ  ＰＨＹ規格によって与えられるものを超えてシンボル区間を拡張するための、サブキャリア間隔の追加のスケーリングとを含むように、ＰＨＹを拡張する。他の構成も実行可能であると証明され得る。しかしながら、基本原理は：サブキャリア間隔をスケーリングして（例えば減少させて）、所望の遅延広がり公差を最小のオーバヘッドで配信するためのＣＰ長を選択することにより、シンボル区間を拡張することである。ＤＶＢと殆ど同様に、提案されるＰＨＹは、所定のシグナル帯域幅に関してサブキャリア間隔を増大させるための多数のＦＦＴ寸法（即ちＦＦＴサイズ）を可能とする。ＤＶＢとは異なり、ベース構成はいずれのシグナル帯域幅において１５ｋＨｚサブキャリア間隔で開始され、そこから（ＦＦＴ寸法が上昇するように、又は同等にサブキャリア間隔が減少するように）スケーリングされる。
【００７５】
ＬＴＥにおいて現在指定されているｅＭＢＭＳは、表１（即ち図３）の２つの網掛け列に示すようにそれぞれ１６．６７又は３３．３３μｓの遅延広がり公差を許容する、１５又は７．５ｋＨｚというサブキャリア間隔の２つの選択肢のみによって拡張されたＣＰを採用するが、その一方で地上波用ネットワークの遅延広がりは、２００又は３００ｋｍという所定のタワー間隔において、２００μｓ近くとなり得る。提案されるＰＨＹ拡張を用いると、より高いシステムスループットのためにＣＰオーバヘッドを低減しながら、必要な放送遅延広がり公差を超えるガード区間（ＧＩ）を容易に達成できる。
【００７６】
既存のフレーム構造は、ｅＭＢＭＳの使用を、フレームあたりの利用可能な複数のサブフレーム（ＳＦ）のサブセットに制限しており、これにより、上記制限を行わなければ放送送信によって阻害されることになるページング、同期又は共通シグナリングを包含できる。「システムスループット」と題された節において、本発明者らは、影響を受けるシグナリングが正しく処理される場合に、１０個のＳＦのうちの８個においてｅＭＢＭＳを可能とするようにこの制限を緩和できる可能性について調査している。この考察において、利用可能なシステムパラメータのセットは、ＳＦの配分（即ち１０個のＳＦのうちの６個対８個）に左右されるものとなり、修正されたｅＭＢＭＳ構成を特定するために追加のシグナリングが必要となる。
【００７７】
表１、２の最後の行（即ち「法（Ｍｏｄｕｌｕｓ）」の行）は、フレームあたりのシンボルの数が６又は８又は６及び８の両方で割り切れる構成を示している。１０個の利用可能なＳＦのうちの６個（又は８個）においてｅＭＢＭＳに従う構成を選択することにより、ｅＭＢＭＳ  ＰＨＹに放送サービスをマッピングするにあたって更なる柔軟性を実現できる。
【００７８】
シグナリング
新規のシステムパラメータの導入は、この新規のパラメータのセッティングをＵＥが発見できるようにするために、対応するシグナリング拡張を必要とする。マスター情報ブロック（ＭＩＢ）は、初期セルアクセスに必須の、個数が制限された最も頻繁に使用されるパラメータを含む。ＭＩＢは、ＲＦ構成を支配するパラメータ、例えばシグナル帯域幅及びＣＰタイプ（即ち通常タイプ又は拡張タイプ）を搬送する。セル構成は、物理レイヤにおいてダウンリンク共有チャネル上のユーザデータによって多重化されたシステム情報ブロック（ＳＩＢ）において搬送される。構成可能なシステムパラメータのセットを拡張することで、表３（即ち図５）に示すようなシステム展開における更なる柔軟性を実現できる。
【００７９】
バーストノイズ耐性
比較的低いＶＨＦ帯域は、かなりの区間のバーストとして表れる人為的ノイズ及びマシンノイズに悩まされる。従来の放送規格は、長ビット／シンボルインターリーブを採用することにより、バーストノイズ現象を克服しているが、これはＬＴＥに関して設定された低レイテンシの目標を台無しにしてしまう。
【００８０】
いくつかの実施形態では、本特許は、明示的なビット／シンボルインターリーブの代わりに、未承諾ハイブリッド自動反復要求（ＨＡＲＱ）の再送信を組み込むことによって、バーストノイズ耐性を改善する。これは更に、事前にスケジューリングされた自動再送信を可能とし、これにより非肯定応答モード（ＵＡＭ）での放送動作を可能とする。既存のＰＨＹ機構に基づいて、目的は、バースト区間を超えるようにデータ間隔を拡張し、ＬＴＥ  ＰＨＹ動作の他の態様、即ち１ｍｓのＳＦ間隔に基づく低レイテンシに関して不必要に妥協した機構を導入する必要を回避することである。
【００８１】
未承諾ＨＡＲＱ再送信の手順は、以下のようにまとめることができる。図６を参照されたい：
（Ａ）元の送信の後に、既存のＨＡＲＱ機構、即ち冗長バージョン（ＲＶ）及び循環バッファレートマッチングに基づいて自動的にスケジューリングされた連続的な再送信を続ける；
（Ｂ）ＵＡＭで動作することによって、従来のインターリーブと同様の様式で、時間ダイバーシティを許容する未承諾（即ちスケジューリングされた）再送信に増分冗長性を提供する；
（Ｃ）元の情報及びレシーバにおけるコードビットの観察を、過去の送信又は再送信から発見されたコードビットと組み合わせて、追加のバーストノイズ耐性を提供する。
例１：それぞれレートＲ＝１の３つの連続した送信（元送信１個＋再送信２個）により、３・８＋１＝２５ｍｓという同等のインターリーバの深さを提供しながら、全体としてのコーディングレートＲ＝１／３が得られる。
例２：１超、例えばＲ＝５／３のコーディングレートを導入することにより、最大４回の再送信を可能とすることができ、ここでもまた、（１＋４）・８＋１＝４１ｍｓという同等のインターリーバの深さを提供しながら、全体としてのコーディングレートＲ＝１／３が得られる。
【００８２】
ターボエンコーダ３０２は、元の情報ビットストリームを反映するシステマティックビット３０４、パリティビットの半分を表すパリティ０  ３０６、残りのパリティビットを表すパリティ１  ３０８へと解析される。システマティックビットは別個にインターリーブされ３１０、システマティックトランスポートバッファ３１６に渡される。パリティ０、パリティ１は共にインターリーブされ、パリティトランスポートバッファ３１８に渡される。各冗長バージョン（ＲＶ）により、ビットは、システマティックトランスポートバッファ３１６及びパリティトランスポートバッファ３１８から循環様式で出力３２０される。
【００８３】
システムスループット
ＯＦＤＭシステムのスループットは、変調されるサブキャリアの個数、選択された変調及び符号化スキーム（ＭＣＳ）、並びにＰＨＹトランスポートの階層化によって決定され、フレーミングオーバヘッド、例えば基準サブキャリア、同期及びシグナリングのために確保された特別な送信シンボル／シンボル期間が少なくなる。システムスループットの改善を目的とした、提案される拡張は、以下を含む：
【００８４】
（１）増大したスループットは、２つの認識されている方法の導入によって達成できる：
（１．１）高次変調：十分なＲＸ  ＳＮＲが利用可能である状況において使用するための既存の６４‐ＱＡＭ最大ＤＬ変調を超える、２５６‐ＱＡＭ最大ＤＬ変調を可能とする。
（１．２）多アンテナ技術：ｅＭＢＭＳがサポートする送信モードへと多アンテナ技術を拡張する空間的ダイバーシティ利得を提供する。
（１．２．１）空間周波数ブロックコーディング（ＳＦＢＣ）：ＲＸ  ＳＩＮＲ（シグナル‐干渉＋ノイズ比）の正味の改善を可能とする。ＳＦＢＣは、相関しない独立した複数のストリームをＲＸデバイスに並列に配信できるようにするためにサブキャリア全体に亘ってコーディングされた単一のｅＮＢからの複数の送信を含む。このアプローチにより、複数の送信タワー間の協調の必要なしに、従来の放送ネットワークが使用するＳＦＮと同様の様式で、セルの縁部におけるデータレートの上昇が得られる。
（１．２．２）ＳＦＢＣ＋周波数切替送信ダイバーシティ（ＦＳＴＤ）：ＳＦＢＣが、２×２を超えるアンテナ構成に関して非直交コードが存在しないという制限を克服できるようにする。ＦＳＴＤは、ＳＦＢＣが最大４つの送信アンテナを利用できるようにする切り替え時間ダイバーシティを付与する。
（１．２．３）２層空間多重化：高次変調によって達成される上限の〜２倍のオーダーでピークスループットを増大させる。
【００８５】
（２）シグナル帯域幅：放送の展開のために、シグナル帯域幅は、利用可能な放送チャネル帯域幅、即ち６／７／８を上限としてＲＢ（１８０ｋＨ）の整数倍で増分することになる。アイドリング状態と思われるスペクトルにおける、放送サービスのためのＬＴＥ動作を可能とするＤＳＳは、システム展開を簡略化するために、既存のＬＴＥシグナル帯域幅及びＲＢ配分を保持してよい。
【００８６】
（３）：フレーミングオーバヘッド：ｅＭＢＭＳ送信がフレームあたり１０個のＳＦのうちの６個に制限されていることにより、競合する放送規格に比べてスループット性能が大幅に制限される。１次及び２次同期シグナル（ＰＳＳ／ＳＳＳ）を既に搬送しているＳＦにおけるページングのスケジューリングは、追加のＳＦを制限する必要を排除し、システムスループットの正味の上昇（３３％）のために、ｅＭＢＭＳの使用を１０個のＳＦのうちの８個へと拡張する。ＭＩＢを搬送するＰＳＳ、ＳＳＳ及びＰＢＣＨは、既存の規格と同様に、ＳＦ０、５（図７に太字で示されている）におけるｅＭＢＭＳ送信を禁止することによって保護される。しかしながら、ＳＦ０、５へのページングの制限は同様に、追加の容量を復元させ、図７に示すように、ＳＦ４、９を含むようにｅＭＢＭＳの使用を拡張する。
【００８７】
図７に示すように、ｅＭＢＭＳフレーム４００は、０〜１９の番号が付された２０個のスロットを備える。２つの隣接するスロットはサブフレームを形成する。スロット０、４、９、１０は、個々のユーザデバイスに配信されるページング情報４０４を含むため、ＭＢＭＳトラフィックの搬送には利用できない。サブフレーム０及びサブフレーム５の一部分は、ＰＳＳ、ＳＳＳ、ＰＢＣＨの送信のために予約される４１０。関連するサブフレームは、放送容量を更に制限する放送トランスポートのためには利用できない。ページングをスロット０、１０に制限することにより、スロット４、９を含むサブフレームを、ＭＢＭＳトランスポートのために回収し、ｅＭＢＭＳによる放送容量を増大させる。従って、サブフレーム４１２ａ、サブフレーム４１２ｂは、本開示のように強化型ｅＭＢＭＳでの放送に利用可能である。
【００８８】
提案された変化によるシステムスループットの利得を、表４、５（即ち図８、９）にまとめる。
【００８９】
提案されるＰＨＹ強化の要約
［強化１］：遅延広がり公差の増大を達成する際のオーバヘッドを最小化するための、多数の候補ＣＰ長。ＭＩＢ／ＳＩＢパラメータセットをこれに従って拡張する。
［強化２］：固定シグナル帯域幅に対するシンボル区間を増大させるための、サブキャリア間隔の追加のスケーリング。ＭＩＢ／ＳＩＢパラメータセットをこれに従って拡張する。
［強化３］：追加のＣＰ長を包含するために、ＤＬ、ＵＬ制御チャネルシグナリングを拡張する。
［強化４］：サブキャリア間隔の追加の範囲を包含するために、ＤＬ、ＵＬ制御チャネルシグナリングを拡張する。
［強化５］：１次及び２次同期を実施するＳＦにおけるページング及び他のシグナリングをスケジューリングし、ｅＭＢＭＳに利用可能なＳＦの数を、フレームあたり６個から８個に増大させる。ＭＩＢ／ＳＩＢに基づいて広告を提供されるシステム構成を修正し、ユーザデバイスに、ページング及び他の制御シグナリングの使用を制限するように命令する。
［強化６］：利用可能なシステムパラメータのセット、即ちＣＰ長及びサブキャリア間隔を、規定されたｅＭＢＭＳ  ＳＦ配分に従って変化させ、遅延広がり公差に影響を与えるシステムパラメータの拡張性の完全な利用を保持したまま、フレームあたり１０個のＳＦのうちの６又は８個（又はその他）の使用を可能とする。
［強化７］：ビット／シンボルインターリーブの代わりに、ハイブリッド自動反復要求（ＨＡＲＱ）再送信を採用して、ＬＴＥに関して記載されている低レイテンシ原理について妥協することなく、バーストノイズ耐性を改善する。
［強化８］：自動（即ち事前にスケジューリングされた）再送信を可能とするようにＨＡＲＱを修正し、非肯定応答モード（ＵＡＭ）で放送サービスが動作している場合に増分冗長性を提供する。
［強化９］：増大した最大システム性能のために、高次変調（例えば既存の６４‐ＱＡＭを上回る２５６‐ＱＡＭ）を可能とする。
［強化１０］：多アンテナ技術を、ｅＭＢＭＳにおいてサポートされる送信モード（空間周波数ブロックコーディング（ＳＦＢＣ）、ＳＦＢＣ＋周波数切替送信ダイバーシティ（ＦＳＴＤ）、２層空間多重化（ＳＭ））へと拡張して、ＲＸ  ＳＩＮＲ及び／又はダウンリンクスループットを改善し、システム性能を最大化する。
［強化１１］：シグナル帯域幅を、固定リソースブロック（ＲＢ）構造（例えば１８０ｋＨｚ）の整数倍に拡張して、既存の帯域幅定義（例えば５ＭＨｚ）を、６／７／８ＭＨｚ放送チャネル帯域幅をより完全に占有できるように拡張する。この修正は、ＬＴＥ又はいくつかの変形例を用いて、占有されていないテレビジョンチャネルにおける放送トランスポートを置換するシナリオを対象としている。
【００９０】
輻輳放送‐ブロードバンドトランスポートにおける動的スペクトル共有
動的スペクトル共有（ＤＳＳ）は、ＬＴＥダウンリンクデータスループットを押し上げるために未使用のＴＶスペクトルを利用できる、スペクトル共有の新規の態様を導入する。ＤＳＳは、ダウンリンク方向において放送（ＢＣ）用ラジオスペクトルから集められたチャネルを追加する、キャリアアグリゲーション（ＣＡ）のある特定の変形例を使用し、図１０に示すように、ブロードバンド（ＢＢ）スペクトルにおいて固定二重配置によって分離された双方向トランスポートと共に動作する。
【００９１】
放送ネットワーク５０２は、チャネル利用を継続的に監視し、インターネット５０４を介して、キャリアアグリゲーションに利用可能なチャネルをトランスポートネットワーク５０３に報告５０６する。放送戻りチャネル５０８もまた、インターネット接続５０４を介して提供される。ブロードバンドスペクトル５１１の一部分は、固定二重間隔５１２によって分離されたＤＬチャネル及びＵＬチャネルに配分される。追加のＤＬ容量５１０は、集められた放送スペクトル５１３に配分される。配分された放送スペクトルは、トランスポートネットワークの制御下において放送ＲＸ又はユニキャストキャリアアグリゲーション（ＣＡ）５１４に割り当てられる。ユニキャストＲＸ５１６は、ＤＬブロードバンドスペクトルに割り当てられる。ユニキャストＴＸ又は放送戻りチャネル５１８は、ＵＬブロードバンドスペクトルに割り当てられる。
【００９２】
スペクトルサーバ
ＤＳＳはスペクトルサーバによって実現可能であり、このスペクトルサーバの役割は：登録されたｅＮＢからのトラフィック需要を監視すること；チャネル利用可能性に関して放送エクスチェンジに問い合わせること；続いて、トラフィックに対する需要と利用可能なスペクトルとを調和させることである。
【００９３】
新規のｅＮＢが登録されるとすぐに、スペクトルサーバは：
i．  ＣＡサポートのレベル、即ちサポートされる帯域、最大数のコンポーネントキャリア（ＣＣ）及び最大の集合帯域幅を決定し；
ii．ＣＣ更新頻度と、その後にアクセスを再度交渉しなければならない集合チャネル承諾の最大区間とを確立し；
iii．チャネル利用可能性に関して放送エクスチェンジに問い合わせる際に使用される更新頻度を確立する。
【００９４】
接続を確立すると、ｅＮＢは、ＵＥからそのＣＡ性能を決定する。その詳細については本文書において後に概説する。
【００９５】
輻輳ＢＣ‐ＢＢアーキテクチャ
図１１は、スペクトル共有を動的に可能とするための、放送ネットワークとブロードバンドネットワークとの間の協調を示す、簡略化されたネットワークアーキテクチャを示す。システム間の接続は論理接続を表し、様々な方法で物理的に実装できる。
【００９６】
このようにして運営すると、放送ゲートウェイからブロードバンドネットワークを提供するゲートウェイへと周期的に通信するチャネルの利用可能性により、放送スペクトルの利用が最大化され、予備の容量が所定の地理的領域において識別された場合は常に、ブロードバンドユニキャストスループットを増大させることができる。
【００９７】
図１１に示すように、スペクトル共有を行う輻輳トランスポートネットワーク６００は、ブロードバンド（ＢＢ）及び／又は放送（ＢＣ）用スペクトルを介して（ｅＮＢ６０６、６０８によって示唆される）複数のｅＮＢに接続された、（ＵＥ６０２、６０４によって示唆される）複数のＵＥを含む。各ｅＮＢは、各Ｓ１‐制御インタフェース（それぞれＳ１‐Ｃとして示される）を介して、関連するＭＭＥ６１０、６１２に接続される。各ＭＭＥからのＳ１１は、経路切替え及びラジオベアラ制御情報を表す。ユーザプレーンデータ（Ｓ１‐Ｕとして示される）は、スペクトルサーバ６１４によって構成されるサービングゲートウェイ（ＳＧＷ）を通過する。パケットデータネットワーク（ＰＤＮ）ＧＷ６１６は、ＩＰネットワーク６１８へのアクセスを提供する。放送ＧＷ６２２は、インターネット６２０を介して通信されるアクセスポリシー／規則／制御に基づいて、スペクトルサーバ６１４にチャネル利用可能性を中継する。放送トランスポートストリームは、放送ネットワーク６２０からＧＷ６２２に送られ、続いて放送モジュレータ６２８、６３０へとルーティングされる。各モジュレータ６２８、６３０は、放送スペクトルを介して、（レシーバ６３２、６３４によって示唆される）ＴＶレシーバへと送信を行う。
【００９８】
チャネル利用可能性
登録されたｅＮＢそれぞれの性能は、放送エクスチェンジによって利用可能と考えられるスペクトルを配分する方法を決定する際に考慮され、帯域毎に各放送チャネルに関して（１／０）が指定される。図６（即ち図１２）は、所定の規制地域における各帯域割り当てのための行／列配置に従って構成された、サンプルチャネルエンコーディングを示す。北米でのチャネル利用可能性は、１６バイトで通信でき；８２チャネルが７個の帯域に亘って査定された１２８ビットを必要とする。全マッピングは、スペクトルサーバからの各問合せに対して放送エクスチェンジによって広告を提供される。
【００９９】
ラジオリソース制御（ＲＲＣ）の手順
チャネルアクセスは、ラジオリソース制御（ＲＲＣ）手順［５］に従い、ラジオベアラに基づいて、ＬＴＥにおいて認められる。
【０１００】
ＬＴＥは２つの状態：シグナリングラジオベアラが確立されていない、即ちＲＲＣ接続が存在しない、ＲＣＣ＿Ｉｄｌｅと；シグナリングラジオベアラ（ＳＲＢ）が確立され、ＲＲＣ及びＮＡＳメッセージ：
（ａ）ＳＲＢ０：ＣＣＣＨ論理チャネルを用いたＲＲＣメッセージ；
（ｂ）ＳＲＢ１：ＤＣＣＨ論理チャネルを介してＮＡＳメッセージを送信するためのもの；
（ｃ）ＳＲＢ２：ＤＣＣＨ論理チャネルを介して送信される優先順位の高いＲＲＣメッセージのためのもの
を送信するために使用される、ＲＲＣ＿Ｃｏｎｎｅｃｔｅｄとをサポートする。
【０１０１】
ＲＣＣ手順は、指定されたベアラ割り当てに基づいて、以下を含む：
（１）ページング：ページング情報／システム情報をＲＣＣ＿ＩＤＬＥ状態のＵＥに送信する；
（２）ＲＲＣ接続確立：上の層がＲＲＣ＿ＩＤＬＥモードでのシグナリング接続を要求した場合にＵＥが開始する、ＳＲＢ１の確立；
（３）ＲＲＣ接続再構成：接続確立後又はハンドオーバ中に、ラジオベアラを確立／修正／解放する；
（４）ＲＲＣ接続再確立：ＲＲＣ接続を再確立して、ＳＲＢ１を再起動する；
（５）初期セキュリティ起動：ＲＲＣ確立の際にセキュリティを起動し、ｅＮＢを開始する：
（６）ＲＲＣ解放：ＳＲＢを解放する。
【０１０２】
ベアラ確立
登録されたｅＮＢは、集められた放送キャリアから配分された追加のラジオベアラを割り当てるための、ＲＲＣ接続再構成の拡張された使用を実施する。ＭＡＣはマルチプレクサとして機能し、各コンポーネントキャリアを、関連するチャネルコーディング、ＨＡＲＱ、データ変調、リソースマッピングと共にそれ自体のＰＨＹ層エンティティに割り当てる。次にＰＨＹは、利用可能なＲＢの列挙されたリストに従って、コンポーネントキャリアをその１つ又は複数のＲＦキャリアのチャネル帯域幅に関連させる。各ＲＦキャリアは、ＵＬ／ＤＬキャリア中央周波数を指定する一意のＥ‐ＵＴＲＡ絶対ラジオ周波数チャネル番号（ＥＡＲＦＣＮ）によって識別される。
【０１０３】
３ＧＰＰ様式において、アイドル状態の放送スペクトルからのキャリアアグリゲーションは、帯域間のものであり、これは、定義されたあるＬＴＥ帯域に存在する１次コンポーネントキャリア（ＰＣＣ）が、放送スペクトルを占有する２次コンポーネントキャリアと連結されることを意味する。この指定は、各コンポーネントキャリア帯域の近接度に関係なく維持され、これによってネットワークの分離が得られる。
【０１０４】
ＢＣ｜ＢＢ構成のためのキャリアの需要がまだ明確に表されていないため、放送スペクトルとブロードバンドスペクトルとの間の帯域間アグリゲーションは、新規の帯域の組み合わせの定義を必要とする。（新規の帯域の組み合わせは、放送スペクトル、即ちＶＨＦ（低／高）及び様々なＵＨＦ帯域を、選択されたＬＴＥ帯域、例えば帯域１（ＩＭＴ２１００）、帯域７（２．６ＧＨｚ）、帯域１３（ＵＳ７００ｃ  Ｕｐｐｅｒ）、帯域１４（米国公衆安全）とペアリングするにあたって必要となり得る。）キャリアアグリゲーションは、接続モードにおいてのみ起動される。ＵＥは好ましくは基本的なアクセス手順、即ちセル検索及びセル選択、システム情報の取得並びに初期ランダムアクセスを完了しており、これらはそれぞれ、ＤＬ及びＵＬのためのＰＣＣ上で実行される。ＳＣＣは、接続状態となると、シグナリング／制御のためにＰＣＣに関連する追加の送信リソースを導入する。
【０１０５】
ＵＥ性能評価
ランダムアクセス手順の構成要素としての競合解消に続くＥＰＳベアラ確立は、（非）隣接帯域内及び帯域間キャリアアグリゲーションにおける、特にサポートされる周波数帯域及び帯域幅クラスを決定するための、ＵＥ性能評価を含む。表７（即ち図１３）は、リリース１１においてサポートされている帯域幅クラスを示す。
【０１０６】
更に、ＵＥは、ある所定の周波数帯域（帯域内）又は帯域の組み合わせ（帯域間）におけるキャリアアグリゲーションに関するサポートを報告する。
【０１０７】
システム設計に関する考慮するべき事項
シグナリング
キャリアアグリゲーションのためのシグナリングは、プロトコル・スタック：ＲＲＣ、ＭＡＣ、ＰＨＹの層を選択することを伴う。残りの層は影響を受けない。例えば各ユーザデバイスは、サービングセルに、そのＰＣＣを介して接続される。セキュリティキーの交換及び可動性管理といった非アクセス層（ＮＡＳ）の機能は、１次サービングセル（ＰＣｅｌｌ）によって提供される。全ての２次コンポーネントキャリアは、単に追加の送信リソースを提供すると考えられる。結果として、キャリアアグリゲーションは、パケットデータ輻輳プロトコル（ＰＤＣＰ）及びラジオリンク制御（ＲＬＣ）層並びにＮＡＳにとって明らかである。ＲＬＣに対する唯一必要な変化は、高次ＭＩＭＯの場合と同様に高次のデータをサポートできるよう、バッファサイズを拡張しなければならないことである。
【０１０８】
ＰＳＳ、ＳＳＳは、各サービングセルにおける検出及び同期を可能とするために、ＰＣＣ及びいずれのＳＣＣ上で送られる。最高４つの２次セル（ＳＣｅｌｌ）を起動させることができる。各セルに関して、明らかなダウンリンクキャリア周波数を、このキャリアが追加される全てのデバイスに適用可能な共通情報、例えば帯域幅、ＰＨＩＣＨ及びＰＤＳＣＨ構成と共に示すＥＡＲＦＣＮと、特定の端末に適用可能な専用の情報、例えばクロスキャリアスケジューリングの起動及び使用とを含む、その物理的な識別情報が送られる。
【０１０９】
チャネル割り当て
スペクトルサーバは、放送ゲートウェイが集合スペクトルの利用可能性を更新するのに従って、登録されたｅＮＢそれぞれにおいてチャネル割り当てを周期的に修正する役割を果たす。チャネル割り当てのタスクは、新規のスペクトルを分配するにあたって、考慮しなければならないことが複数存在する。
【０１１０】
（Ａ）特定の２次セルに関連するユーザデバイスが、キャリアアグリゲーションをサポートするための限られた数のラジオレシーバを有する可能性を得るために、利用可能な放送スペクトルを隣接する帯域に集める。
【０１１１】
（Ｂ）固定ＲＢ帯域幅の整数倍の利用可能なスペクトルを割り当て、集められた帯域の中央にあるチャネルに従って、集合チャネル帯域幅を指定する。例えば、チャネル５１、５２、５３が隣接ブロックとして利用可能である場合、チャネル５２中央周波数の両側に＋／‐４９の番号を付された９８個のＲＢ（即ち３チャネル、それぞれ６ＭＨｚ＝１８ＭＨｚ／１８０ｋＨｚから、帯域エッジの間隔を保存するために２ＲＢを引く＝１００‐２＝９８をもたらす。ここでＲＢ帯域幅は１８０ｋＨｚである）を割り当てる。換言すると、９８個のＲＢに、｛‐４９、‐４８、‐４７、…、‐２、‐１、０、１、２、…、４７、４８｝のように番号を付与してよい。しかしながら、幅広い他の番号付与スキームも可能であり、考慮される。
【０１１２】
（Ｃ）奇数番号又は偶数番号の利用可能な放送チャネルからのキャリアアグリゲーションをもたらすチャネル番号付与スキームを定義する。チャネル５１、５２、５３、５４が隣接ブロックとして利用可能である場合、周波数を隔てるチャネル５２、５３の両側に＋／‐６６の番号を付された１３２個のＲＢ（即ち４チャネル、それぞれ６ＭＨｚ＝２４ＭＨｚ／１８０ｋＨｚから、帯域エッジの間隔を引く）を割り当てる。
【０１１３】
（Ｄ）集められたチャネルが奇数個である場合に対応する帯域中央指向性（ＢＣＯ）、又は集められたチャネルが偶数個である場合に対応する帯域エッジ指向性（ＢＥＯ）の２つのモードを指定する。
【０１１４】
（Ｅ）集合ＲＢの数を、放送チャネル帯域幅の関数として決定する、即ち規制地域に応じて６、７又は８ＭＨｚの整数倍で配分する。
【０１１５】
（Ｆ）固定ＲＢ帯域幅の偶数倍まで、集められたスペクトルに番号を付与する。
【０１１６】
（Ｇ）帯域中央周波数の両側に利用可能なＲＢを配分して、ＤＬ  ＯＦＤＭシグナルのＤＣサブキャリアにおけるシグナル出力を回避する。
【０１１７】
（Ｈ）所定の集合帯域幅において利用可能なＲＢの数を制限して、必要な帯域エッジ間隔を保存する。集められた帯域の中央の両側に配分されるＲＢの数は、利用可能なチャネル数（Ｎ）に、帯域エッジに必要な間隔未満の（規制地域毎の）シグナル帯域幅を乗算し、これを固定ＲＢ帯域幅で除算すること、即ち：
ｆｌｏｏｒ（（Ｎ×６／７／８‐２×帯域エッジ間隔）／ＲＢ＿ＢＷ／２）
によって決定される。「６／７／８ＭＨｚ」という記法は、「６ＭＨｚ又は７ＭＨｚ又は８ＭＨｚ」を意味する。
【０１１８】
クロスキャリアスケジュールリング
ＲＲＣシグナリングによって引き起こされるクロスキャリアスケジューリングにより、ＵＥは、ＰＤＣＣＨをＰＣＣ上で排他的にデコードできる。ＰＣＣ上でのＰＤＣＣＨシグナリングはまた、ＳＣＣに関連するリソース配分を復元するためにも使用される。クロスキャリアスケジューリングのためのサポートは、キャリア指示フィールド（ＣＩＦ）を含むようにダウンリンク制御情報（ＤＣＩ）フォーマットを拡張することを必要としていた。この新規のフィールド（３ビット）により、ＵＥは、いずれのコンポーネントキャリアのためにスケジューリングの決定が構成されるかを決定できる。ＰＤＳＣＨ‐開始は、クロスキャリアシグナリングの起動中にＵＥへとシグナリングされ、これによって、制御データのために各サブフレームの始点において予約されるＯＦＤＭシンボルの数（シグナル帯域幅に応じて１〜４）が示される。この情報はＰＣＦＩＣＨにおいて通常通り搬送されることになる。しかしながら、クロスキャリアスケジューリングでは、ＵＥは２次コンポーネントキャリアにおいてはＰＣＦＩＣＨをもはやデコードしない。
【０１１９】
同期
放送ネットワークの問い合わせ、及び利用可能なチャネルスペクトルへのアクセスの修正の周期性は、１ＰＰＳ  ＧＰＳ時間に同期させる必要がある。ブロードバンドシステムの同期は、１０ｍｓ毎に発生するＬＴＥフレーム境界に対する整列によって得られる。ブロードバンドネットワーク側でも同様の時間的整列を生成できる。
【０１２０】
表７、図１４
以下の表７は、ブロードバンドダウンリンク（ＤＬ）及びアップリンク（ＵＬ）チャネル割り当てを列挙する。図１４は、このようなチャネル割り当てに関連するセル構成パラメータを説明する。
【０１２１】
【表１】
0006640085.tif 000002
【０１２２】
提案されるＤＳＳ強化の要約
［強化１２］：未使用のＴＶスペクトル、即ち放送ネットワークオペレータが利用可能であると思われるチャネルを活用して、ＬＴＥダウンリンクスループット能力を押し上げる。
［強化１３］：所定の規制地域においてチャネル毎、帯域毎に（１／０）を指定して、放送ネットワークオペレータからスペクトルサーバへチャネル利用可能性を通信するために使用されるコンパクトなエンコーディングを考案する。
［強化１４］：（恐らく既存の番号付与スキームに従ったチャネル番号によって）放送チャネルをＬＴＥ帯域、例えば、帯域幅クラスＡ（ＮＲＢ，ａｇｇ≦１００、１ＣＣの最大値）をサポートする帯域内キャリアアグリゲーション、即ちチャネル５２及び帯域１３（ＵＳ７００ｃ  Ｕｐｐｅｒ）を指示するＣＡ＿５２Ａ＿１３Ａとペアリングする、新規の帯域の組み合わせを定義する。
［強化１５］：利用可能な放送スペクトルを隣接帯域に集合させて、エンドユーザデバイスにおいて必要なラジオレシーバの数を削減する。
［強化１６］：利用可能なスペクトルを固定ＲＢ帯域幅の整数倍で割り当て、集められた帯域の中央のチャネルに従って、集合チャネル帯域幅を指定する。
［強化１７］：奇数個又は偶数個の利用可能な放送チャネルからのキャリアアグリゲーションをもたらすチャネル番号付与スキームを定義する。
［強化１８］：集められたチャネルが奇数個である場合に対応する帯域中央指向性（ＢＣＯ）、又は集められたチャネルが偶数個である場合に対応する帯域エッジ指向性（ＢＥＯ）の２つのモードを指定する。
［強化１９］：集合ＲＢの数を、放送チャネル帯域幅、即ち規制地域に応じて６、７又は８ＭＨｚの関数として決定する。
［強化２０］：固定ＲＢ帯域幅の偶数倍まで、集められたスペクトルに番号を付与する。
［強化２１］：帯域中央周波数の両側に利用可能なＲＢを配分して、ＤＬ  ＯＦＤＭシグナルのＤＣサブキャリアにおけるシグナル出力を回避する。
［強化２２］：所定の集合帯域幅において利用可能なＲＢの数を制限して、必要な帯域エッジ間隔を保存する。
【０１２３】
参考文献
［１］  Ｍａｒｋ  Ａ．  Ａｉｔｋｅｎ，  Ｍｉｋｅ  Ｓｉｍｏｎ，  “Ｅｘｐｌｏｒｉｎｇ  Ｉｎｎｏｖａｔｉｖｅ  Ｏｐｐｏｒｔｕｎｉｔｉｅｓ  ｉｎ  ＡＴＳＣ  Ｂｒｏａｄｃａｓｔｉｎｇ，”  ＡＴＳＣ  Ｓｙｍｐｏｓｉｕｍ  ｏｎ  Ｎｅｘｔ  Ｇｅｎｅｒａｔｉｏｎ  Ｂｒｏａｄｃａｓｔ  Ｔｅｌｅｖｉｓｉｏｎ，  １５  Ｆｅｂｒｕａｒｙ  ２０１１，  Ｒａｎｃｈｏ  Ｍｉｒａｇｅ，  Ｃａｌｉｆｏｒｎｉａ．
［２］  Ｍａｒｋ  Ａ．  Ａｉｔｋｅｎ，  “Ｂｒｏａｄｃａｓｔ  Ｃｏｎｖｅｒｇｅｎｃｅ  -  Ｂｒｉｎｇｉｎｇ  ｅｆｆｉｃｉｅｎｃｙ  ｔｏ  ａ  ｎｅｗ  ｐｌａｔｆｏｒｍ，”  ＳＭＰＴＥ  ２０１１  Ａｎｎｕａｌ  Ｃｏｎｆｅｒｅｎｃｅ，  Ｏｃｔｏｂｅｒ  ２５-２７，  ２０１１，  Ｈｏｌｌｙｗｏｏｄ，  Ｃａｌｉｆｏｒｎｉａ．
［３］  Ｍａｒｋ  Ａ．  Ａｉｔｋｅｎ，  “Ｂｒｏａｄｃａｓｔ  -  Ｔｈｅ  Ｔｅｃｈｎｏｌｏｇｙ  ａｎｄ  ｔｈｅ  Ｍｅｄｉｕｍ，”  Ｓｉｎｃｌａｉｒ  Ｂｒｏａｄｃａｓｔ  Ｇｒｏｕｐ，  ６１st  Ａｎｎｕａｌ  ＩＥＥＥ  Ｂｒｏａｄｃａｓｔ  Ｓｙｍｐｏｓｉｕｍ，  Ａｌｅｘａｎｄｒｉａ，  Ｖｉｒｇｉｎｉａ，  １９-２１  Ｏｃｔｏｂｅｒ  ２０１１．
［４］  ３ＧＰＰ  ＴＳ  ３６．４４１，  “Ｌａｙｅｒ  １  ｆｏｒ  ｉｎｔｅｒｆａｃｅｓ  ｓｕｐｐｏｒｔｉｎｇ  Ｍｕｌｔｉｍｅｄｉａ  Ｂｒｏａｄｃａｓｔ  Ｍｕｌｔｉｃａｓｔ  Ｓｅｒｖｉｃｅ  （ＭＢＭＳ）  ｗｉｔｈｉｎ  Ｅ-ＵＴＲＡＮ  （Ｒｅｌｅａｓｅ  １１），”  Ｖ．１１．０．０，  Ｓｅｐ．，  ２０１２．
［５］  ＰＤ  ３６０６．７６３０．６２，  “Ｃａｒｒｉｅｒ  ａｇｇｒｅｇａｔｉｏｎ  -  （ｏｎｅ）  ｋｅｙ  ｅｎａｂｌｅｒ  ｆｏｒ  ＬＴＥ-Ａｄｖａｎｃｅｄ，”  Ｒｏｈｄｅ  ＆  Ｓｃｈｗａｒｚ  Ｔｅｃｈｎｉｃａｌ  Ａｒｔｉｃｌｅ，  Ｖ．０１．０１，  Ｏｃｔ．，  ２０１２．
【０１２４】
スペクトルサーバ
ある一連の実施形態では、図１５に示すようにスペクトルサーバ１５００は、１つ又は複数のプロセッサ１５００と、メモリ１５２０とを含むように構成してよい。スペクトルサーバは、キャリアアグリゲーションの下で利用可能なスペクトルリソースを配分するために使用できる。（スペクトルサーバ１５００はまた、上述の特徴、要素及び実施形態のいずれのサブセットも含んでよい。）メモリはプログラム命令を記憶し、このプログラム命令は、１つ又は複数のプロセッサによって実行された場合に、上記１つ又は複数のプロセッサに以下の動作（ａ）〜（ｃ）を実行させる。
【０１２５】
（ａ）１つ又は複数のプロセッサ１５１０は、１つ又は複数の放送ネットワークによって利用可能となった放送スペクトル（例えば必ずしも隣接していない１つ又は複数のチャネル）を指示する情報を受信してよい。
【０１２６】
（ｂ）１つ又は複数のプロセッサ１５１０は、無線ブロードバンドネットワークからの要求に応答して、上記利用可能な放送スペクトルの少なくとも一部分（場合によっては全て）を無線ブロードバンドネットワークに割り当ててよく、上記割り当てられる少なくとも一部分は、固定幅のリソースブロックへの、上記利用可能な放送スペクトルの分割に従って、リソースブロック番号の間隔（又はリソースブロック番号の１つ若しくは複数の間隔）によって定義される。
【０１２７】
（ｃ）１つ又は複数のプロセッサ１５１０は、無線ブロードバンドネットワークにメッセージを送信してよく、上記メッセージは、リソースブロック番号の間隔（又はリソースブロック番号の１つ若しくは複数の間隔）を識別する。
【０１２８】
いくつかの実施形態では、プログラム命令は、以下の条件のうちの１つ又は複数が真となるように構成される：
・上記分割のリソースブロックは、利用可能な放送スペクトルの中央に関して対称に分布する；
・上記少なくとも１つの部分を定義する上記１つ又は複数のリソースブロックが奇数個である場合、上記割り当ては、上記１つ又は複数のリソースブロックの半サブキャリアシフトを挿入するステップを含み、上記挿入は、無線ブロードバンドネットワークが上記少なくとも１つの部分に基づいてダウンリンクシグナルを生成する場合にシグナル出力がＤＣサブキャリアに割り当てられるのを回避する；
・上記分割のリソースブロックは、利用可能な放送スペクトルのエッジ部分を排除することにより、ラジオスペクトルの他の帯域上での送信との干渉を回避する。
【０１２９】
別の一連の実施形態では、プログラム命令は、１つ又は複数のプロセッサによって実行された場合に、上記１つ又は複数のプロセッサに以下の動作（１）〜（３）を実行させる。
【０１３０】
（１）１つ又は複数のプロセッサ１５１０は、１つ又は複数のブロードキャストネットワークによって利用可能となった放送スペクトルのチャネルを合成して、隣接帯域を形成してよい。例えば「チャネル割り当て」と題された上述の節を参照。いくつかの実施形態では、この合成ステップは省略できる。；
【０１３１】
（２）１つ又は複数のプロセッサ１５１０は、無線ブロードバンドネットワークからの要求に応答して、上記隣接帯域の隣接部分を無線ブロードバンドネットワークに割り当ててよく、上記隣接部分は、固定幅のリソースブロックへの、上記隣接帯域の分割に従って、リソースブロック番号の間隔によって定義される。上記分割のリソースブロックには、周波数の順に連続して番号を付与してよい。
【０１３２】
（３）１つ又は複数のプロセッサ１５１０は、無線ブロードバンドネットワークにメッセージを送信してよく、上記メッセージは、リソースブロック番号の間隔を識別する。例えば、リソースブロック番号の間隔［ｎA，ｎB］は、その終点ｎA，ｎBによって識別できる。無線ブロードバンドネットワークは、１つ又は複数のベースステーションがダウンリンク送信を実施する際に、割り当てられた隣接部分を、既に無線ブロードバンドネットワークに属しているブロードバンドスペクトルと合わせるよう構成される。
【０１３３】
他の実施形態では、１つ又は複数のプロセッサは、一連の利用可能な放送スペクトルの１つ又は複数の部分を割り当てて送信してよく、ここで上記１つ又は複数の部分は必ずしも連続した全体を形成せず、即ちこれらの部分のうちのいくつか又は全ての間にギャップが存在し得る。
【０１３４】
いくつかの実施形態では、プログラム命令は、以下の条件のうちの１つ又は複数が真となるように構成される：
（ａ）上記隣接帯域の上記分割のリソースブロックは、上記隣接帯域の中央に関して対称に分布する；
（ｂ）上記隣接部分を定義する上記リソースブロックが奇数個である場合、上記割り当ては、上記リソースブロックの半サブキャリアシフトを挿入するステップを含み、上記挿入は、無線ブロードバンドネットワークが上記隣接部分に基づいてダウンリンクＯＦＤＭシグナルを生成する場合にシグナル出力がＤＣサブキャリアに割り当てられるのを回避する；
（ｃ）上記隣接帯域の上記分割のリソースブロックは、上記隣接帯域のエッジ部分を排除することにより、ラジオスペクトルの他の帯域上での送信との干渉を回避する。
【０１３５】
スペクトルサーバ１５００は「スペクトルエクスチェンジ」と呼ばれる場合もあり、１つ又は複数の放送ネットワークと、１つ又は複数の無線ブロードバンドネットワークとの間の媒介として動作できる。スペクトルサーバは、上記１つ又は複数の放送ネットワークを表す放送エクスチェンジ１５３０と、１つ又は複数のブロードバンドネットワークを表す無線ブロードバンドネットワークコア１５３５と、相互作用できる。（ＬＴＥの文脈では、ブロードバンドネットワークコア１５３５は発展型パケットコア（ＥＰＣ）であってよい。代替実施形態では、スペクトルサーバ１５００は、放送ネットワークの一部又はブロードバンドネットワークの一部であってよい。
【０１３６】
スペクトルサーバ１５００は、利用可能な放送スペクトルの部分、即ち１つ又は複数の放送ネットワークが、少なくともある期間及び少なくとも何らかの地理的領域において利用可能としようとしている（そして自身では使用しない）、スペクトルの部分を指示するメッセージを、放送エクスチェンジ１５３０から受信してよい。スペクトルサーバは、上記１つ又は複数の部分を識別する情報を、その利用可能な放送スペクトルリソースのデータベースに追加する。スペクトルサーバ１５００はまた、利用可能な放送スペクトルの部分に対するアクセスを要求するメッセージを、ブロードバンドネットワークコア１５３５から受信してよい。
【０１３７】
いくつかの実施形態では、プログラム命令は、１つ又は複数のプロセッサによって実行された場合に、上記１つ又は複数のプロセッサに以下の動作Ａ〜Ｇを実行させる。
【０１３８】
Ａ．１つ又は複数のプロセッサ１５１０は、利用可能な放送スペクトルを隣接帯域に組み合わせてよい。（例えばスペクトルサーバは、放送エクスチェンジによって利用可能となった特定の放送チャネルを接合して、複数のチャネルの連合と同等の隣接帯域を形成できることを感知してよい。）利用可能な放送スペクトルを構成する動作は、特定の２次セルに関連するユーザデバイスが、キャリアアグリゲーションをサポートするための限られた数のラジオレシーバを有する可能性をもたらし得る。（本明細書において使用する場合、用語「２次セル（ｓｅｃｏｎｄａｒｙ  ｃｅｌｌ）」は、ユーザデバイスがそのシステム情報を得るサービングキャリア以外の、いずれの構成されたキャリアを意味する。）
【０１３９】
Ｂ．１つ又は複数のプロセッサは、固定リソースブロック（ＲＢ）帯域幅の整数倍で、利用可能なスペクトルをブロードバンドネットワークコアに割り当ててよい。（いくつかの実施形態では、集められたチャネル帯域幅は、集められた帯域の中央にあるチャネルに従って指定してよい。）この割り当てを識別する情報を、ブロードバンドネットワークに送信してよい。上記割り当て及び送信は、ブロードバンドネットワークからの要求に応答して発生してよい。
【０１４０】
Ｃ．１つ又は複数のプロセッサは、奇数番号又は偶数番号の利用可能な放送チャネルからのキャリアアグリゲーションをもたらすチャネル番号付与スキームを採用してよい。「チャネル割り当て」と題された上述の節を参照。
【０１４１】
Ｄ．１つ又は複数のプロセッサは、上述の２つのモードを採用してよく、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードである。
【０１４２】
Ｅ．１つ又は複数のプロセッサは、集合ＲＢの数を、放送チャネル帯域幅の関数として決定する（例えば規制地域に応じて６、７又は８ＭＨｚの整数倍で配分する）。
【０１４３】
Ｆ．１つ又は複数のプロセッサは、固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避する。
【０１４４】
Ｇ．１つ又は複数のプロセッサは、所定の集合帯域幅において利用可能なＲＢの数を制限して、必要な帯域エッジ間隔を保存してよく、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定される。
【０１４５】
ある一連の実施形態では、図１６に示すように、ベースステーション１６００は、１つ又は複数のユーザデバイス１６２５と無線通信してよい。（ベースステーション１６００は、上述の特徴、要素及び実施形態のいずれのサブセットを含んでよい。）ベースステーション１６００は、無線ブロードバンドネットワークの一部として動作して、スペクトルリソースの動的集合を可能とするように構成してよい。
【０１４６】
ベースステーション１６００は、ブロードバンドスペクトルの一部分及び放送スペクトルの一部分を含む、集合したスペクトルリソースを用いて、ダウンリンクシグナル（例えばＯＦＤＭ）を１つ又は複数のデバイスに無線送信するよう構成された回路構成を含んでよい。放送スペクトルの上記一部分は、１つ又は複数の放送ネットワークによって利用可能とされており、例えば既に様々に説明したように、スペクトルサーバによって無線ブロードバンドネットワークに動的に割り当てられる。放送スペクトルの上記一部分は、例えば既に様々に説明したように、固定幅のリソースブロックへの、上記放送スペクトルのうちの隣接帯域の分割に従って、リソースブロック番号の間隔（又はリソースブロック番号の１つ若しくは複数の間隔）としてスペクトルサーバによって指定してよい。いくつかの実施形態では、放送スペクトルの上記部分は隣接部分である。
【０１４７】
いくつかの実施形態では、放送スペクトルの上記部分を定義する１つ又は複数のリソースブロックが奇数個である場合、上記回路構成は、上記１つ又は複数のリソースブロックの半サブキャリアシフトを挿入するよう構成され、上記挿入は、シグナル出力がダウンリンクシグナルのＤＣサブキャリアに割り当てられるのを回避する。
【０１４８】
いくつかの実施形態では、上記分割のリソースブロックは、上記隣接帯域のエッジ部分を排除することにより、ラジオスペクトルの他の帯域上での送信との干渉を回避する。
【０１４９】
いくつかの実施形態では、ベースステーションは、ベースステーションが１つ又は複数のユーザデバイス１６２５との無線通信に使用できるスペクトルリソースを指示する情報を、ブロードバンドネットワークコア１５３５から受信してよい。上述のように、これらのスペクトルリソースは、スペクトルサーバが配分した放送スペクトルリソースを含んでよい。
【０１５０】
いくつかの実施形態では、上記回路構成は、以下のうちの１つ又は複数を実施するシステムに従って、１つ又は複数のユーザデバイス１６３５（例えば移動体デバイス及び／又は非移動体デバイス）と無線通信する（シグナルを送信及び／又は受信する）よう構成される：
（ａ）利用可能な放送スペクトルを隣接帯域へと合成する；
（ｂ）利用可能なスペクトルを固定リソースブロック（ＲＢ）帯域幅の整数倍で割り当て、集められたチャネル帯域幅は、集められた帯域の中央にあるチャネルに従って指定される；
（ｃ）奇数番号又は偶数番号の利用可能な放送チャネルからのキャリアアグリゲーションをもたらすチャネル番号付与スキームを採用する；
（ｄ）上述の２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードである；
（ｅ）集合ＲＢの数を、放送チャネル帯域幅の関数として決定する（例えば規制地域に応じて６、７又は８ＭＨｚの整数倍で配分する）；
（ｆ）固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避する；
（ｇ）所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定される。
【０１５１】
いくつかの実施形態では、上記回路構成は、１つ又は複数のＲＦトランシーバ、１つ又は複数のベースバンドプロセッサ、及び１つ又は複数の制御プロセッサを含む。
【０１５２】
ある一連の実施形態では、デバイス１７００（例えば移動体デバイス又は非移動体デバイス）は、スペクトルリソースの動的集合を可能とするよう構成してよい。このデバイスは、無線ブロードバンドネットワークに関連する１つ又は複数のベースステーション（ベースステーション１６００等）と無線通信するよう構成された回路構成を含んでよい。（デバイス１７００もまた、上述の特徴、要素及び実施形態のいずれのサブセットを含んでよい。）
【０１５３】
上記回路構成は、１つ又は複数のベースステーションのうちの第１のものによって送信されたダウンリンクシグナル（例えばＯＦＤＭシグナル）を受信するよう構成されてよく、ここでダウンリンクシグナルは、ブロードバンドスペクトルの一部分及び放送スペクトルの一部分を含む、集合したスペクトルリソースを使用する。放送スペクトルの上記一部分は、１つ又は複数の放送ネットワークによって利用可能とされており、スペクトルサーバによって無線ブロードバンドネットワークに動的に割り当てられる。放送スペクトルの上記一部分は、固定幅のリソースブロックへの、上記放送スペクトルのうちの隣接帯域の分割に従って、リソースブロック番号の間隔（又はリソースブロック番号の１つ若しくは複数の間隔）としてスペクトルサーバによって指定される。いくつかの実施形態では、放送スペクトルの上記部分は隣接部分である。
【０１５４】
いくつかの実施形態では、放送スペクトルの上記部分を定義する上記リソースブロックが奇数個である場合、上記回路構成は、上記リソースブロックの半サブキャリアシフトを挿入するよう構成され、上記挿入は、シグナル出力がダウンリンクシグナルのＤＣサブキャリアに割り当てられるのを回避する。
【０１５５】
いくつかの実施形態では、上記回路構成は、以下のうちの１つ又は複数を実施するシステムに従って、１つ又は複数のベースステーションと無線通信する（受信及び／又は送信する）よう構成してよい：
（ａ）利用可能な放送スペクトルを隣接帯域へと合成する；
（ｂ）利用可能なスペクトルを固定リソースブロック（ＲＢ）帯域幅の整数倍で割り当て、集められたチャネル帯域幅は、集められた帯域の中央にあるチャネルに従って指定される；
（ｃ）奇数番号又は偶数番号の利用可能な放送チャネルからのキャリアアグリゲーションをもたらすチャネル番号付与スキームを採用する；
（ｄ）上述の２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードである；
（ｅ）集合ＲＢの数を、放送チャネル帯域幅の関数として決定する（例えば規制地域に応じて６、７又は８ＭＨｚの整数倍で配分する）；
（ｆ）固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避する；
（ｇ）所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定される。
【０１５６】
いくつかの実施形態では、上記回路構成は、１つ又は複数のＲＦトランシーバ、１つ又は複数のベースバンドプロセッサ、及び１つ又は複数の制御プロセッサを含む。
【０１５７】
動的キャリアアグリゲーションのためのベースステーション
ある一連の実施形態では、無線ブロードバンドネットワークの一部として使用するためのベースステーション１８００は、図１８に示すように、１つ又は複数の基本帯域（ＰＢ）ラジオ装置１８１０、１つ又は複数の追加のラジオ装置１８１５、及びコントローラ１８２０を含んでよい。（ベースステーション１８００もまた、上述の特徴、要素及び実施形態のいずれのサブセットを含んでよい。）ベースステーションは、無線送信媒体１８２０を介して無線デバイスと通信するよう構成される。
【０１５８】
１つ又は複数のＰＢラジオ装置１８１０はそれぞれ、１つ又は複数の基本帯域（例えば無線ブロードバンドキャリアが有する１つ又は複数の帯域）のうちの少なくとも１つを通して送信を行うよう構成される。更に、上記１つ又は複数の追加のラジオ装置１８１５はそれぞれ、ラジオスペクトル内の複数の周波数帯域のいずれに対して動的に整調できる、又はプログラムできる、キャリア周波数を有する。
【０１５９】
コントローラ１８２０は：（ａ）第１の動的に配分されたスペクトルリソースを識別する情報を受信し；（ｂ）上記１つ又は複数の追加のラジオ装置のうちの第１のものを、上記第１の動的に配分されたスペクトルリソースに対応する第１のキャリア周波数へと整調又はプログラムし；（ｃ）インフラストラクチャネットワークからのデータストリームを受信し；（ｄ）上記データストリームを、複数のサブストリームの第１のセットに分割し；（ｅ）それぞれ上記１つ又は複数のＰＢラジオ装置及び第１の追加のラジオ装置を用いて、第１のセットのサブストリームの並列送信を配向するよう構成される。１つ又は複数のＰＢラジオ装置は、第１の追加のラジオが第１の動的に配分されたスペクトルリソースを介して送信を行う間に、上記１つ又は複数の基本帯域を介して送信を行ってよい。
【０１６０】
いくつかの実施形態では、各ＰＢラジオ装置は、複数の周波数帯域のいずれに対して動的に整調可能又はプログラム可能な、キャリア周波数を有する。
【０１６１】
いくつかの実施形態では、ＰＢラジオ装置のうちの少なくとも１つは、複数の周波数帯域のいずれに対して動的に整調可能又はプログラム可能な、キャリア周波数を有する。
【０１６２】
いくつかの実施形態では、上記複数の周波数帯域は、上記１つ又は複数の基本帯域及び１つ又は複数の追加の帯域を含む。
【０１６３】
いくつかの実施形態では、上記１つ又は複数の追加のラジオ装置は、複数の追加のラジオ装置を含み、コントローラは更に：（１）上記追加のラジオ装置それぞれを、動的に配分されたスペクトルリソースそれぞれに対応する各キャリア周波数へと整調又はプログラムし；（２）上記データストリームを、複数のサブストリームの第２のセットに分割し；（３）それぞれ上記１つ又は複数のＰＢラジオ装置及び上記追加のラジオ装置を用いて、第２のセットのサブストリームの並列送信を配向するよう構成される。
【０１６４】
いくつかの実施形態では、コントローラは更に：第２の動的に配分されたスペクトルリソースを識別する方法を受信し；上記追加のラジオ装置のうちの第２のものを、上記第２の動的に配分されたスペクトルリソースに対応する第２のキャリア周波数へと整調又はプログラムし；上記データストリームを、複数のサブストリームの第２のセットに分割し；それぞれ上記１つ又は複数のＰＢラジオ装置並びに第１及び第２の追加のラジオ装置を用いて、第２のセットのサブストリームの並列送信を配向するよう構成される。
【０１６５】
いくつかの実施形態では、第１の動的に配分されたスペクトルリソースを識別する情報は：第１の動的に配分されたスペクトルリソースの第１のキャリア周波数を指示する情報；及び第１の動的に配分されたスペクトルリソースがベースステーションに配分されていた第１の期間を指示する情報を含む。
【０１６６】
いくつかの実施形態では、コントローラは、それぞれデータサブストリームに基づいてＯＦＤＭシンボルストリームを生成するよう構成され、上記並列送信は、それぞれ上記１つ又は複数のＰＢラジオ装置及び第１の追加のラジオ装置を用いたＯＦＤＭシンボルの並列送信を含む。
【０１６７】
いくつかの実施形態では、コントローラは、それぞれデータサブストリームに基づいてシンボルストリームを生成するよう構成され、上記コントローラは、複数のサイクリックプレフィクス（ＣＰ）長オプションからプログラムによって選択されるＣＰ長の値を有するシンボルストリームのシンボルを生成するよう構成される。
【０１６８】
いくつかの実施形態では、コントローラは、固定シグナル帯域幅に対するシンボル区間を増大させるために、ＯＦＤＭサブキャリア間隔において追加のスケーリング（例えば、ＬＴＥ等の既存の無線通信規格が既に必要としているスケーリングに比べて追加のスケーリング）を提供するよう構成される。
【０１６９】
いくつかの実施形態では、コントローラは、（例えばｅＭＢＭＳに利用可能なＳＦの数を増大させるために）１次及び２次同期を実施するサブフレーム（ＳＦ）におけるページング及び他のシグナリングをスケジューリングするよう構成される。
【０１７０】
いくつかの実施形態では、ＭＩＢ／ＳＩＢに基づいて広告を提供されるシステム構成を使用して、ユーザデバイスに、ページング及び他の制御シグナリングの使用を制限するように指示するよう構成される。
【０１７１】
いくつかの実施形態では、コントローラは、１つ又は複数の利用可能なシステムパラメータ（例えばＣＰ長及びサブキャリア間隔といったパラメータ）を、規定されたｅＭＢＭＳ  ＳＦ配分に従って変化させるよう構成される（これは例えば、遅延広がり公差に影響を与えるシステムパラメータの拡張性の完全な利用を保持したまま、フレームあたり１０個のＳＦのうちの６又は８個又はその他の個数の使用を可能とする）。
【０１７２】
いくつかの実施形態では、コントローラは、（例えばＬＴＥに関して記載されている低レイテンシ要件について妥協することなく、バーストノイズ耐性を改善するために）ビットインターリーブ又はシンボルインターリーブの代わりに、ハイブリッド自動反復要求（ＨＡＲＱ）再送信を採用するよう構成される。
【０１７３】
いくつかの実施形態では、コントローラは、自動（即ち事前にスケジューリングされた）再送信を可能とするために、修正されたバージョンのＨＡＲＱを採用して、非肯定応答モード（ＵＡＭ）で放送サービスが動作している場合に増分冗長性を提供するよう構成される。
【０１７４】
いくつかの実施形態では、コントローラは、既存のＬＴＥ規格より高い変調位相（例えば既存の６４‐ＱＡＭを上回る２５６‐ＱＡＭ）を用いた変調を実施して、最大システム性能を増大させるよう構成される。
【０１７５】
いくつかの実施形態では、コントローラは、（例えばＲＸ  ＳＩＮＲ及び／又はダウンリンクスループットを改善し、システム性能を最大化するために）ｅＭＢＭＳにおいてサポートされる送信モードのうちの１つ又は複数又は全てのために、多アンテナ技術を採用するよう構成される。
【０１７６】
いくつかの実施形態では、第１の動的に配分されたスペクトルリソースは、周波数領域内の固定長のリソースブロック構造に適合する１つ又は複数のリソースブロックに関して特定される。
【０１７７】
いくつかの実施形態では、コントローラは、無線ブロードバンド通信のための既存の帯域幅の定義に比べて拡張された帯域幅の定義で動作するよう構成され、上記拡張された帯域幅の定義は、６／７／８ＭＨｚ放送チャネル帯域幅をより完全に占有する。
【０１７８】
動的キャリアアグリゲーションのためのデバイス
ある一連の実施形態では、図１９に示すように、デバイス１９００は、１つ又は複数の基本帯域トランシーバ１９１０、１つ又は複数のレシーバ１９１５、及びコントローラ１９２０を含んでよい。（デバイス１９００もまた、上述の特徴、要素及び実施形態のいずれのサブセットを含んでよい。）デバイス１９００は、無線送信媒体１９２０を介して通信するよう構成される。
【０１７９】
１つ又は複数のＰＢトランシーバ１９１０はそれぞれ、ラジオスペクトル内の１つ又は複数の基本帯域のうちの１つを用いて、無線ブロードバンドネットワークのベースステーションと無線通信するよう構成される。更に、１つ又は複数のレシーバ１９１５はそれぞれ、ラジオスペクトル内の複数の周波数帯域のいずれに対して動的に整調できる又はプログラムできる、キャリア周波数を有する。
【０１８０】
コントローラ１９２０は：（ａ）上記１つ又は複数のＰＢトランシーバを用いて、上記無線ブロードバンドネットワークのベースステーションから１つ又は複数のネットワークデータストリームを受信し；（ｂ）ベースステーションから第１のメッセージを受信するのに応答して、上記１つ又は複数のレシーバのうちの第１のものを、上記ラジオスペクトルのうちの第１の現在利用可能なスペクトルリソースに対応する第１のキャリア周波数へと整調又はプログラムし、ここで上記第１のメッセージは、上記第１の現在利用可能なスペクトルリソースを識別するものであり；（ｃ）上記第１のレシーバを整調又はプログラムした後に、上記第１のレシーバを使用して、上記ベースステーションから第１の追加のネットワークデータストリームを受信し；（ｄ）上記１つ又は複数のネットワークデータストリーム及び上記第１の追加のネットワークデータストリームを合成して、集合データストリームを得るよう構成される。第１のレシーバは、第１の現在利用可能なスペクトルリソースを介して、第１の追加のネットワークデータストリームを受信してよく、その一方で１つ又は複数のＰＢトランシーバ１９１０は、１つ又は複数の基本帯域を介して、１つ又は複数のネットワークデータストリームを受信する。
【０１８１】
いくつかの実施形態では、デバイスは移動体デバイスである。
【０１８２】
いくつかの実施形態では、デバイスは固定デバイス（例えばテレビジョン）である。
【０１８３】
いくつかの実施形態では、ベースステーションの地理的近傍にある１つ又は複数の放送トランスミッタは、放送エクスチェンジによって制御され、放送エクスチェンジは、ある特定の時間に亘り、ベースステーションの地理的近傍において、第１の現在利用可能なスペクトルリソースを用いて放送を行わないことに合意している。
【０１８４】
いくつかの実施形態では、ベースステーションの地理的近傍にある１つ又は複数の放送トランスミッタは、個別の放送局によって制御され、上記個別の放送局は、ある特定の時間に亘り、ベースステーションの地理的近傍において、第１の現在利用可能なスペクトルリソースを用いて放送を行わないことに合意している。
【０１８５】
いくつかの実施形態では、１つ又は複数のＰＢラジオ装置及び１つ又は複数の追加のラジオ装置はそれぞれ、共通のハードウェア設計に適合し、上記１つ又は複数のＰＢラジオ装置はそれぞれ、それぞれの基本帯域で動作できるようにプログラムされる。
【０１８６】
いくつかの実施形態では、コントローラは更に、集合データストリームを、デバイス上で実行されるアプリケーションに供給するよう構成される。
【０１８７】
いくつかの実施形態では、上記複数の周波数帯域は、少なくともＶＨＦ帯域及びＵＨＦ帯域を含む。
【０１８８】
いくつかの実施形態では、１つ又は複数のレシーバは複数のレシーバを備え、コントローラは更に：（１）ベースステーションから各メッセージを受信するのに応答して、現在利用可能なスペクトルリソースそれぞれに対応する各キャリア周波数へと、各レシーバを整調又はプログラムし、上記各メッセージは現在利用可能なスペクトルリソースを識別するものであり；（２）各レシーバについて、各レシーバを用いてベースステーションから追加のネットワークデータストリームをそれぞれ受信し；（３）上記１つ又は複数のネットワークデータストリームと、上記追加のネットワークデータストリームとを合成して、第２の集合データストリームを得るよう構成される。
【０１８９】
いくつかの実施形態では、コントローラは更に：ベースステーションから第２のメッセージを受信するのに応答して、第２の現在利用可能なスペクトルリソースに対応するキャリア周波数へと、上記レシーバのうちの第２のものを整調又はプログラムし、上記第２のメッセージは上記第２の現在利用可能なスペクトルリソースを識別するものであり；第２のレシーバを整調又はプログラムした後、この第２のレシーバを用いてベースステーションから第２の追加のネットワークデータストリームを受信するよう構成される。
【０１９０】
いくつかの実施形態では、第１の現在利用可能なスペクトルリソースを識別する第１のメッセージは、１つ又は複数のＰＢトランシーバのうちの少なくとも１つを用いて、ベースステーションから受信される。
【０１９１】
いくつかの実施形態では、第１のメッセージは：第１の動的に配分されたスペクトルリソースの第１のキャリア周波数を指示する情報；及び第１の動的に配分されたスペクトルリソースが、移動体ステーション又はベースステーションによって使用されるために配分されていた第１の期間を指示する情報を含む。
【０１９２】
いくつかの実施形態では、コントローラは、複数のサイクリックプレフィクス（ＣＰ）長オプションからプログラムによって選択されるＣＰ長の値を用いて、シンボルストリームからのシンボルからデータを抽出するよう構成され、上記シンボルストリームは第１のレシーバによって取得される。
【０１９３】
いくつかの実施形態では、コントローラは、ＯＦＤＭサブキャリア間隔において追加のスケーリング（例えば、ＬＴＥ等の既存の無線通信規格が既に必要としているスケーリングに比べて追加のスケーリング）を提供するよう構成される。
【０１９４】
いくつかの実施形態では、コントローラは、１つ又は複数の利用可能なシステムパラメータ（例えばＣＰ長及びサブキャリア間隔といったパラメータ）を、規定されたｅＭＢＭＳサブフレーム配分に従って変化させるよう構成される。
【０１９５】
いくつかの実施形態では、コントローラは、（例えばＬＴＥに関して記載されている低レイテンシ要件について妥協することなく、バーストノイズ耐性を改善するために）ビットインターリーブ又はシンボルインターリーブの代わりに、ハイブリッド自動反復要求（ＨＡＲＱ）再送信を採用するよう構成される。
【０１９６】
いくつかの実施形態では、コントローラは、自動（即ち事前にスケジューリングされた）再送信を可能とするために、修正されたバージョンのＨＡＲＱを採用して、非肯定応答モード（ＵＡＭ）で放送サービスが動作している場合に増分冗長性を提供するよう構成される。
【０１９７】
いくつかの実施形態では、コントローラは、既存のＬＴＥ規格より高い位相レベル（例えば既存の６４‐ＱＡＭを上回る２５６‐ＱＡＭ）を用いた復調を実施して、最大システム性能を増大させるよう構成される。
【０１９８】
いくつかの実施形態では、コントローラは、（例えばＲＸ  ＳＩＮＲ及び／又はダウンリンクスループットを改善し、システム性能を最大化するために）ｅＭＢＭＳにおいてサポートされる送信モードのうちの１つ又は複数又は全てのために、多アンテナ技術を採用して、するＲＸ  ＳＩＮＲ及び／又はダウンリンクスループットを改善し、システム性能を最大化するよう構成される。
【０１９９】
いくつかの実施形態では、第１の動的に配分されたスペクトルリソースは、周波数領域内の固定長のリソースブロック構造に適合する１つ又は複数のリソースブロックに関して特定される。
【０２００】
いくつかの実施形態では、コントローラは、無線ブロードバンド通信のための既存の帯域幅の定義に比べて拡張された帯域幅の定義で動作するよう構成され、上記拡張された帯域幅の定義は、６／７／８ＭＨｚ放送チャネル帯域幅をより完全に占有する。
【０２０１】
放送インフラストラクチャを用いたデバイス‐スペクトル共有
ある一連の実施形態では、デバイス２０００は、１つ又は複数の基本帯域トランシーバ２０１０、１つ又は複数のレシーバ２０１５、及びコントローラ２０２０を含んでよい。（デバイス２０００もまた、上述の特徴、要素及び実施形態のいずれのサブセットを含んでよい。）デバイス２０００は、無線ブロードバンドネットワークの一部として動作してよく、また同時に１つ又は複数の放送トランスミッタを含む放送ネットワークによって送信される１つ又は複数の放送シグナルを受信するよう動作してよい。
【０２０２】
１つ又は複数のＰＢトランシーバ２０１０はそれぞれ、ラジオスペクトル内の１つ又は複数の基本帯域のうちの１つを用いて、無線ブロードバンドネットワークのベースステーションと無線通信するよう構成される。更に、上記１つ又は複数のレシーバ２０１５はそれぞれ、ラジオスペクトル内の複数の周波数帯域のいずれに対して動的に整調できる、又はプログラムできる、キャリア周波数を有する。
【０２０３】
上記コントローラは：（ａ）上記１つ又は複数のＰＢトランシーバ２０１０を用いて、上記無線ブロードバンドネットワークのベースステーション２０３０から１つ又は複数のネットワークデータストリームを受信し；（ｂ）上記１つ又は複数のレシーバ２０１５のうちの第１のものを、上記放送トランスミッタのうちの第１のものが（例えば放送トランスミッタ２０３５が）送信する第１の放送シグナルに対応する第１の放送周波数に整調又はプログラムし；（ｃ）上記整調又はプログラムに応答して、上記第１のレシーバを用いて上記第１の放送シグナルから第１の放送データストリームを復元し、ここで第１の放送データストリームは、上記１つ又は複数の放送トランスミッタのうちの少なくとも１つを介した（例えば第１の放送トランスミッタ２０３５を介した）放送のために、無線ブロードバンドネットワークによって放送ネットワークへとオフロードされたデータを含むよう構成してよい。いくつかの実施形態では、第１のレシーバは、１つ又は複数のＰＢトランシーバ２９１９が１つ又は複数の基本帯域を介して１つ又は複数のデータストリームを受信する間に、第１の放送シグナルを受信してよい。
【０２０４】
いくつかの実施形態では、デバイスは移動体デバイスである。
【０２０５】
いくつかの実施形態では、デバイスは固定デバイス（例えばテレビジョン）である。
【０２０６】
いくつかの実施形態では、コントローラは、１つ又は複数のネットワークデータストリーム及び第１の放送データストリームを、デバイス上で実行される１つ又は複数のアプリケーションに提供するよう構成される。
【０２０７】
いくつかの実施形態では、コントローラは更に、ディスプレイデバイス（例えば上記デバイスに組み込まれた又は上記デバイスに連結されたディスプレイデバイス）を介して、ビデオシグナルを表示するよう構成され、上記ビデオシグナルは、第１の放送データストリームから生成される。
【０２０８】
いくつかの実施形態では、放送ネットワークは、１つ又は複数の放送トランスミッタを介した、放送のためのスペクトルリソースに対する放送コンテンツストリームの配分を動的に制御する。
【０２０９】
いくつかの実施形態では、コントローラは、表示されたコンテンツガイドから特定のコンテンツアイテムを選択するユーザ入力に応答して、第１の放送周波数へと第１のレシーバを整調又はプログラムするよう構成される。
【０２１０】
いくつかの実施形態では、コントローラは、ユーザの、放送トランスミッタを介して提供されたコンテンツの視聴に関する統計を収集し、この統計を無線ネットワークに送信するよう構成される。
【０２１１】
いくつかの実施形態では、上記統計の送信は、１つ又は複数のＰＢトランシーバを用いて実施される。いくつかの実施形態では、上記統計の送信は、（上記デバイスの一部として含まれている又は上記デバイスに連結されている）ＷｉＦｉトランスミッタを用いて実施される。いくつかの実施形態では、上記統計の送信は、非認可ラジオスペクトルを介して送信を行うよう構成されたラジオ装置を用いて実施される。
【０２１２】
いくつかの実施形態では、コントローラは、ＯＦＤＭを用いて１つ又は複数のネットワークデータストリームの上記受信を実施し；ＯＦＤＭを用いて第１の放送データストリームの上記受信を復元するよう構成される。
【０２１３】
スペクトルサーバを動作させるための方法
ある一連の実施形態では、スペクトルサーバを動作させるための方法２１００は、図２１に示す動作を含んでよい。（方法２１００もまた、上述の特徴、要素及び実施形態のいずれのサブセットを含んでよい。）本方法は、無線ブロードバンドプロバイダに対する利用可能なスペクトルリソースの販売を促進するために実施してよい。本方法は、記憶されているプログラム命令の実行に応答して、スペクトルサーバのプロセッサによって（又は１つ若しくは複数のプロセッサのセットによって）実施してよい。この販売は、例えば動的な形態、事前に交渉された形態、又は事前に構成された形態といった、様々な形態のいずれにおいて発生し得る。例えば販売の一形態として、オークションがある。
【０２１４】
２１１０では、プロセッサは、あるスペクトルリソースの購入又は使用の要求を受信してよく、この要求は、（例えばコンピュータネットワークを介して）無線ブロードバンドプロバイダ又は無線ブロードバンドプロバイダを代表するエンティティから受信される。
【０２１５】
２１１５では、プロセッサは、ある放送ネットワークが現在使用しているスペクトルリソースのリスト中の、ある特定のスペクトルリソースを識別してよく、ここで上記放送ネットワークは、複数の放送トランスミッタを介した送信のための、スペクトルリソースへの放送コンテンツストリームの配分を動的に制御する。例えばプロセッサはメモリにアクセスして、リストから情報を得てよい。
【０２１６】
２１２５では、プロセッサは、上記特定のスペクトルリソースを使用できる（例えば送信及び／又は受信できる）ように上記無線ブロードバンドプロバイダを認証する情報を（例えばコンピュータネットワークを介して）送信してよい。
【０２１７】
スペクトルサーバは、１つ又は複数のネットワークとインタフェース接続するためのネットワークインタフェースハードウェアを含んでよく、これにより無線ブロードバンドプロバイダとの通信を促進する。
【０２１８】
いくつかの実施形態では、本方法は、支払い、支払いの約束又はその他の考慮するべき事項を無線ブロードバンドプロバイダから受信することも含んでよい。このステップは、上述のステップ２１１０、２１１５、２１２５に対していずれの順序で発生してよい。実際には、支払いはこれらのステップが完了した後（例えばずっと後）に発生し得る。いくつかの実施形態では、例えば支払いの代わりに、又は支払いに加えて、１つ又は複数の放送局と無線ブロードバンドネットワークとの間で何らかの形態の交換を実施してよい。
【０２１９】
いくつかの実施形態では、方法２１００は、例えば支払い又は支払いの約束の上記受信に応答して、リストから上記特定のスペクトルリソースを除去するステップも含んでよい。あるいは、上記リストを更新して、例えばある期間だけ、無線ブロードバンドプロバイダに対して上記特定のスペクトルリソースが販売された又は配分されたことを指示してよい。
【０２２０】
いくつかの実施形態では、リスト上の各スペクトルリソースに関して、上記リストは、放送ネットワークが当該スペクトルリソースを使用しないことに合意している期間の指示を含む。
【０２２１】
いくつかの実施形態では、リスト上の各スペクトルリソースに関して、上記リストは、放送ネットワークが当該スペクトルリソース上での送信を行わないことに合意している地理的位置の指示を含む。
【０２２２】
いくつかの実施形態では、方法２１００はまた：放送ネットワークから利用可能なスペクトルリソースのブロックを購入するステップ；及び上記利用可能なスペクトルリソースをリストに追加するステップを含んでよい。
【０２２３】
いくつかの実施形態では、上記認証情報の送信に応答して、無線ブロードバンドプロバイダは、上記特定のスペクトルリソース上で無線送信を開始するよう、１つ又は複数のベースステーションに命令するように構成される。
【０２２４】
いくつかの実施形態では、スペクトルサーバは、以下のうちの１つ又は複数を実施するよう構成される：（ａ）（例えばユーザデバイスが、キャリアアグリゲーションをサポートするための限られた数のラジオレシーバを有する可能性を得るために）利用可能な放送スペクトルを隣接帯域へと集める；（ｂ）利用可能なスペクトルを固定リソースブロック（ＲＢ）帯域幅の整数倍で割り当て、集められたチャネル帯域幅は、集められた帯域の中央にあるチャネルに従って指定される；（ｃ）奇数番号又は偶数番号の利用可能な放送チャネルからのキャリアアグリゲーションをもたらすチャネル番号付与スキームを採用する；（ｄ）２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードである；（ｅ）集合ＲＢの数を、放送チャネル帯域幅の関数として決定する（例えば規制地域に応じて６、７又は８ＭＨｚの整数倍で配分する）；（ｆ）固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避する；（ｇ）所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定される。
【０２２５】
無線ネットワークのための動的スペクトル購入サーバ
ある一連の実施形態では、方法２２００は、図２２に示す動作を含んでよい。（方法２２００もまた、上述の特徴、要素及び実施形態のいずれのサブセットを含んでよい。）本方法は、スペクトルリソースの購入（例えば動的購入）を容易にするために、無線ブロードバンドネットワークの一部としてサーバを動作させるために採用してよい。無線ブロードバンドネットワークのベースステーションは、一連の放送トランスミッタを含む放送ネットワークと同一の地理的領域において動作してよい。方法２２００は、記憶されているプログラム命令の実行に応答して動作するプロセッサによって（又は１つ若しくは複数のプロセッサのセットによって）実施してよい。この購入は、例えば動的な形態、事前に交渉された形態、又は事前に構成された形態といった、様々な形態のいずれにおいて発生し得る。
【０２２６】
２２１０では、プロセッサは、無線ネットワーク中のベースステーションのうちの所定の１つが現在追加の帯域幅を必要としていることを示す、第１のメッセージを受信してよい。
【０２２７】
２２１５では、第１のメッセージの受信に応答して、プロセッサは、上記所定のベースステーションの地理的近傍における、現在利用可能なスペクトルリソースの購入又は使用のために、要求を放送サーバ（例えば上述のスペクトルサーバ１５００）に送ってよい。
【０２２８】
２２００では、プロセッサは、特定の現在利用可能なスペクトルリソースを識別する第２のメッセージを放送サーバから受信してよく、上記放送ネットワークは、上記所定のベースステーションの地理的近傍内において、上記特定の現在利用可能なスペクトルリソースを用いて送信を行わないことに合意している。
【０２２９】
いくつかの実施形態では、方法２２００は、支払い又は支払いの約束又はその他の考慮するべき事項を指示する情報を、特定の現在利用可能なスペクトルリソースの使用のために、放送サーバに送るステップも含んでよい。
【０２３０】
いくつかの実施形態では、方法２２００はまた、上記所定のベースステーションに第３のメッセージを送るステップも含んでよく、この第３のメッセージは、上記特定の現在利用可能なスペクトルリソースを識別し、上記所定のベースステーションが、上記特定の現在利用可能なスペクトルリソースを用いて送信を開始できるようにする。
【０２３１】
いくつかの実施形態では、第１のメッセージは、ブロードバンド無線ネットワークによるベースステーションの負荷の状態を監視する、負荷制御サーバから受信される。
【０２３２】
いくつかの実施形態では、放送サーバに送られる要求は、上記所定のベースステーションの位置の指示を含む。
【０２３３】
いくつかの実施形態では、放送サーバから受信される第２のメッセージは：上記特定の現在利用可能なスペクトルリソースが占有する周波数範囲を指示する情報；及び上記所定のベースステーションの地理的近傍内において、放送ネットワークが送信を行わないことに合意している期間を指示する情報を含む。
【０２３４】
広告用サーバを無線ネットワークの一部として動作させるための方法
ある一連の実施形態では、方法２３００は、図２３に示す動作を含んでよい。（方法２３００もまた、上述の特徴、要素及び実施形態のいずれのサブセットを含んでよい。）方法２３００は、デバイスに目的とする広告を提供するために、広告用サーバを無線ネットワークの一部として動作させるよう使用してよく、このデバイスは、無線ブロードバンドネットワークによる通信のため及び放送ネットワークの放送トランスミッタからの受信のために構成される。本方法は、記憶されているプログラム命令の実行に応答して動作するプロセッサ（又は１つ若しくは複数のプロセッサのセット）によって実施してよい。
【０２３５】
２３１０では、プロセッサは、デバイスから視聴情報を受信してよく、上記視聴情報は、放送トランスミッタのうちの１つ又は複数を通して放送コンテンツを視聴する際の上記デバイスのユーザの挙動を特徴付けるものである。
【０２３６】
いくつかの実施形態では、プロセッサは、上記視聴情報を、メモリ媒体中に記憶されたユーザ指定記録に追加してよい。
【０２３７】
２３２０では、プロセッサは、上記視聴情報に基づいて（又はユーザ指定記録の現在の状態に基づいて）、上記デバイスの上記ユーザに対する広告を選択してよい。
【０２３８】
２３２５では、プロセッサは、上記無線ネットワークの現在動作中のベースステーションを介して、選択された広告に対応するコンテンツストリームを上記デバイスに送信して（又はコンテンツの送信を上記デバイスに直接配向して）よい。
【０２３９】
いくつかの実施形態では、デバイスは移動体デバイスである。
【０２４０】
いくつかの実施形態では、デバイスは非移動体デバイス（例えばテレビジョン）である。
【０２４１】
いくつかの実施形態では、本方法はまた、上記デバイスから視聴者情報（例えばデバイスの位置、ユーザが実施するアクティビティ、ユーザの閲覧履歴、ソーシャルメディア情報又はセンサデータ等）を受信するステップも含んでよい。選択ステップ（ｂ）は、上記視聴者情報及び／又は上述の視聴情報に基づいて実施できる。
【０２４２】
いくつかの実施形態では、デバイスは、無線ネットワークの現在動作中のベースステーションを用いて、広告用サーバに視聴情報を送信する。
【０２４３】
いくつかの実施形態では、デバイスは、デバイスとＷｉＦｉアクセスポイントとの間のＷｉＦｉ接続を用いて、広告用サーバに視聴情報を送信する。
【０２４４】
いくつかの実施形態では、デバイスは、非認可スペクトル（例えばＷｉＦｉ又はホワイトスペース）を介した送信を用いて、広告用サーバに視聴情報を送信する。
【０２４５】
いくつかの実施形態では、視聴情報は以下のうちの１つ又は複数を含む：（１）デバイスのユーザが現在視聴している放送コンテンツアイテムの指示；（２）デバイスのユーザが現在視聴している放送コンテンツアイテムのタイトル；（３）放送ネットワークが放送した放送コンテンツアイテムの視聴期間；（４）デバイスのユーザが視聴した放送コンテンツアイテムのリスト。
【０２４６】
いくつかの実施形態では、ユーザ指定記録は、デバイスのユーザに対応する叙述的情報（例えば年齢、性別、興味のカテゴリ、学歴、所得範囲等）を含む。
【０２４７】
いくつかの実施形態では、ユーザに対する広告を選択する動作は、ユーザ特性決定情報と広告コンテンツアイテムとの間の所定の最適なマッピングに基づく。この最適なマッピングは、例えば実際のユーザの購入に対するフィードバック情報を用いた統計的最適化技術に基づいて決定してよい。
【０２４８】
いくつかの実施形態では、方法２３００はまた：ネットワーク（例えばインターネット）を介してユーザ指定視聴情報の購入のための要求を受信するステップ；メモリ媒体に記憶されたユーザ指定記録のうちの１つ又は複数からのデータを、要求を行っているエンティティに送信するステップ；ユーザ指定視聴情報の購入のための要求を行っているエンティティから、支払い又は支払いの約束又はその他の考慮するべき事項を受信するステップも含んでよい。
【０２４９】
いくつかの実施形態では、方法２３０はまた：（例えば過去にユーザ指定視聴情報を購入し、ユーザに直接広告を行う価値があると結論を下したエンティティから）デバイスのユーザに対して広告を行う権利の購入のための要求を受信するステップ；広告を行うための権利の購入のための要求を行っているエンティティから、支払い又は支払いの約束を受信するステップ；要求を行っているエンティティから広告コンテンツストリームを受信するステップ；無線ネットワークの現在動作中のベースステーションを介して、広告コンテンツストリームをデバイスに送信するステップも含んでよい。
【０２５０】
放送ＴＶシグナルを受信するためのレシーバシステム
ある一連の実施形態では、図２４に示すように、放送ＴＶシグナルを受信するためのレシーバシステム２４００は、ラジオレシーバ２４１０及び回路構成２４１５を含んでよい。（レシーバシステム２４００もまた、上述の特徴、要素及び実施形態のいずれのサブセットを含んでよい。）
【０２５１】
ラジオレシーバ２４１０は、複数の周波数帯域のいずれかへと整調又はプログラム可能である。更に、ラジオレシーバは、トランスミッタが放送する放送シグナルを受信するよう構成される。
【０２５２】
回路構成２４１５は、受信した放送シグナルからビデオデータストリームを復元するよう構成される。回路構成は更に、以下に説明する特徴（Ａ）〜（Ｋ）のうちの１つ又は複数をサポートするよう構成される。
【０２５３】
（Ａ）回路構成２４１５は、複数の候補サイクリックプレフィクス（ＣＰ）長から選択されるＣＰ長を用いて、ＯＦＤＭシンボルからデータを抽出して、増大した遅延広がり公差を達成するにあたってのオーバヘッドを最小化してよく、ＣＰ長は、拡張されたＭＩＢ／ＳＩＢパラメータセットを用いて、ベースステーションによってシグナリングされる。
【０２５４】
（Ｂ）回路構成２４１５は、固定シグナル帯域幅に対するシンボル区間を増大させるための、サブキャリア間隔の追加のスケーリングを採用してよく、この追加のスケーリングは、拡張されたＭＩＢ／ＳＩＢパラメータセットを用いて、ベースステーションによってシグナリングされる。
【０２５５】
（Ｃ）回路構成２４１５は、拡張されたＤＬ及びＵＬ制御チャネルシグナリングに応答して、追加のＣＰ長を包含してよい。
【０２５６】
（Ｄ）回路構成２４１５は、拡張されたＤＬ及びＵＬ制御チャネルシグナリングに応答して、サブキャリア間隔の追加の範囲を包含してよい。
【０２５７】
（Ｅ）回路構成２４１５は、ＭＩＢ／ＳＩＢ上のベースステーションによって広告される修正されたシステム構成に応答して、１次及び２次同期を支持するサブフレーム（ＳＦ）における、ページング及び他のシグナリングを監視してよく、上記修正されたシステム構成は、ユーザデバイスに、上記サブフレームに対するページング及び他の制御シグナリングの使用を制限することによって、ｅＭＢＭＳに利用可能なＳＦの数を増大させるように命令する。
【０２５８】
（Ｆ）回路構成２４１５は、ベースステーションによってシグナリングされるように規定されたｅＭＢＭＳ  ＳＦ配分に基づいて、利用可能なシステムパラメータのセット（例えばＣＰ長及びサブキャリア間隔）を決定してよい。
【０２５９】
（Ｇ）回路構成２４１５は、ビット／シンボルインターリーブの代わりに、ハイブリッド自動反復要求（ＨＡＲＱ）再送信を受け入れて、ＬＴＥに関して記載されている低レイテンシ要件について妥協することなく、バーストノイズ耐性を改善してよい。
【０２６０】
（Ｈ）回路構成２４１５は、自動（即ち事前にスケジューリングされた）再送信を受け入れることにより、非肯定応答モード（ＵＡＭ）で放送サービスが動作している場合に増分冗長性を提供してよい。
【０２６１】
（Ｉ）回路構成２４１５は、増大した最大システム性能のために、（既存の規格が要求するよりも）高次の位相を用いた復調を可能としてよい。
【０２６２】
（Ｊ）回路構成２４１５は、ｅＭＢＭＳにおいてサポートされる送信モードのための、多アンテナ技術の使用を可能とすることにより、ＲＸ  ＳＩＮＲ及び／又はダウンリンクスループットを改善して、システム性能を最大化してよい。
【０２６３】
（Ｋ）回路構成２４１５は、既存の基準に対して拡張されたシグナル帯域幅で動作してよく、上記シグナル帯域幅は、６／７／８ＭＨｚ放送チャネル帯域幅をより完全に占有できるよう、固定リソースブロック（ＲＢ）構造の整数倍に拡張される。
【０２６４】
いくつかの実施形態では、トランスミッタは送信専用ＴＶトランスミッタである。
【０２６５】
いくつかの実施形態では、トランスミッタは、ユニキャスト及び放送送信が可能なＬＴＥのベースステーションである。
【０２６６】
いくつかの実施形態では、レシーバシステムは移動体デバイスの一部である。
【０２６７】
いくつかの実施形態では、レシーバシステムは、（テレビジョン等の）非移動体デバイス又は固定デバイスの一部である。
【０２６８】
いくつかの実施形態では、レシーバシステムはテレビジョンの一部であるか、又はテレビジョンに連結される。
【０２６９】
ＴＶシグナルを放送するためのトランスミッタシステム
ある一連の実施形態では、図２５に示すように、ＴＶシグナルを放送するためのトランスミッタシステム２５００は、回路構成２５１０及びラジオトランスミッタ２５１５を含んでよい。（トランスミッタシステム２４００もまた、上述の特徴、要素及び実施形態のいずれのサブセットを含んでよい。）
【０２７０】
回路構成２５１０は、ビデオコンテンツストリームＶＣＳを受信して、このビデオコンテンツストリームに基づいてシンボルストリームＳＳを生成するよう構成される。ラジオトランスミッタ２５１５は、シンボルストリームに基づいて送信シグナルＴＳを生成して、送信シグナルを空中へと放送するよう構成される。
【０２７１】
回路構成２５１０は、以下に説明する特徴（Ａ）〜（Ｋ）のうちの１つ又は複数をサポートするよう構成してよい。
【０２７２】
（Ａ）回路構成２５１０は、複数の候補サイクリックプレフィクス（ＣＰ）長を採用して、増大した遅延広がり公差を達成するにあたってのオーバヘッドを最小化してよく、これに従ってＭＩＢ／ＳＩＢパラメータセットが拡張される。
【０２７３】
（Ｂ）回路構成２５１０は、固定シグナル帯域幅に対するシンボル区間を増大させるための、サブキャリア間隔の追加のスケーリングを採用してよく、これに従ってＭＩＢ／ＳＩＢパラメータセットが拡張される。
【０２７４】
（Ｃ）回路構成２５１０は、拡張されたＤＬ及びＵＬ制御チャネルシグナリングを採用して、追加のＣＰ長を包含してよい。
【０２７５】
（Ｄ）回路構成２５１０は、拡張されたＤＬ及びＵＬ制御チャネルシグナリングを採用して、サブキャリア間隔の追加の範囲を包含してよい。
【０２７６】
（Ｅ）回路構成２５１０は、１次及び２次同期を実施するサブフレーム（ＳＦ）における、ページング及び他のシグナリングをスケジューリングして、ｅＭＢＭＳのために利用可能なＳＦの数を増大させ、またＭＩＢ／ＳＩＢにおいて広告されるシステム構成を修正して、これに従ってユーザデバイスに、ページング及び他の制御シグナリングの使用を制限するように命令してよい。
【０２７７】
（Ｆ）回路構成２５１０は、規定されたｅＭＢＭＳ  ＳＦ配分に従って、利用可能なシステムパラメータのセット（例えばＣＰ長及びサブキャリア間隔）を変化させてよい（これは例えば、遅延広がり公差に影響を与えるシステムパラメータの拡張性の完全な利用を保持したまま、フレームあたり１０個のＳＦのうちの６又は８個（又はその他）の使用を可能とする）。
【０２７８】
（Ｇ）回路構成２５１０は、ビット／シンボルインターリーブの代わりに、ハイブリッド自動反復要求（ＨＡＲＱ）再送信を採用して、ＬＴＥに関して記載されている低レイテンシ要件について妥協することなく、バーストノイズ耐性を改善してよい。
【０２７９】
（Ｈ）回路構成２５１０は、自動の、即ち事前にスケジューリングされた再送信を可能とする、ＨＡＲＱの修正されたバージョンを採用して、非肯定応答モード（ＵＡＭ）で放送サービスが動作している場合に増分冗長性を提供してよい。
【０２８０】
（Ｉ）回路構成２５１０は、増大した最大システム性能のために、（既存の規格が要求するよりも）高次の位相を用いた変調を可能としてよい。
【０２８１】
（Ｊ）回路構成２５１０は、ｅＭＢＭＳにおいてサポートされる送信モードに対する、多アンテナ技術の使用を可能とすることにより、ＲＸ  ＳＩＮＲ及び／又はダウンリンクスループットを改善して、システム性能を最大化してよい。
【０２８２】
（Ｋ）回路構成２５１０は、既存の基準に対して拡張されたシグナル帯域幅で動作してよく、上記シグナル帯域幅は、６／７／８ＭＨｚ放送チャネル帯域幅をより完全に占有できるよう、固定リソースブロック（ＲＢ）構造の整数倍に拡張される。
【０２８３】
いくつかの実施形態では、トランスミッタは送信専用ＴＶトランスミッタである。
【０２８４】
いくつかの実施形態では、トランスミッタは、ユニキャスト及び放送送信が可能なＬＴＥのベースステーションである。
【０２８５】
いくつかの実施形態では、トランスミッタシステム２５００はまた、複数のアンテナを含んでよく、回路構成は、ビデオコンテンツストリームに基づいて複数のシンボルストリームを生成するよう構成され、ラジオトランスミッタは、シンボルストリームにそれぞれ基づいて送信シグナルを生成して、各上記アンテナを通して上記送信シグナルを空中へと通過させるよう構成される。
【０２８６】
以下の番号付きの段落は、様々な追加の実施形態を説明する。
【０２８７】
１．１  キャリアアグリゲーション下において、利用可能なスペクトルリソースを配分するためのスペクトルサーバであって、
上記スペクトルサーバは：
１つ又は複数のプロセッサ；及び
プログラム命令を記憶するメモリ
を備え、
上記プログラム命令は、上記１つ又は複数のプロセッサによって実行された場合に、上記１つ又は複数のプロセッサに、以下：
（例えば、特定の２次セルに関連するユーザデバイスが、キャリアアグリゲーションをサポートするための限られた数のラジオレシーバを有する可能性を得るために）利用可能な放送スペクトルを隣接帯域へと集めること；
固定リソースブロック（ＲＢ）帯域幅の整数倍で、利用可能なスペクトルを割り当てて、集合チャネル帯域幅を、集合帯域の中央にあるチャネルに従って指定すること；
奇数番号又は偶数番号の利用可能な放送チャネルからのキャリアアグリゲーションをもたらすチャネル番号付与スキームを採用すること；
２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードであること；
集合ＲＢの数を、放送チャネル帯域幅の関数として決定する（例えば規制地域に応じて６、７又は８ＭＨｚの整数倍で配分する）こと；
固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避すること；
所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定されること
のうちの１つ又は複数を実施させる、スペクトルサーバ。
【０２８８】
１．２  利用可能なスペクトルリソースを動的に集合させるための方法に関連して使用するための、ベースステーションであって、上記ベースステーションは回路構成を備え、この回路構成は：
（例えば、特定の２次セルに関連するユーザデバイスが、キャリアアグリゲーションをサポートするための限られた数のラジオレシーバを有する可能性を得るために）利用可能な放送スペクトルを隣接帯域へと集めること；
利用可能なスペクトルを固定リソースブロック（ＲＢ）帯域幅の整数倍で割り当て、集められたチャネル帯域幅は、集められた帯域の中央にあるチャネルに従って指定されること；
奇数番号又は偶数番号の利用可能な放送チャネルからのキャリアアグリゲーションをもたらすチャネル番号付与スキームを採用すること；
２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードであること；
集合ＲＢの数を、放送チャネル帯域幅の関数として決定する（例えば規制地域に応じて６、７又は８ＭＨｚの整数倍で配分する）こと；
固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避すること；
所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定されること
のうちの１つ又は複数を実施するシステムに従って、１つ又は複数のデバイス（例えば移動体デバイス及び／又は非移動体デバイス）と無線通信する（シグナルを送信及び／又は受信する）よう構成される、ベースステーション。
【０２８９】
１．３  上記回路構成は、１つ又は複数のＲＦトランシーバ、１つ又は複数のベースバンドプロセッサ、及び１つ又は複数の制御プロセッサを含む、段落１．２のベースステーション。
【０２９０】
１．４  利用可能なスペクトルリソースを動的に集合させるための方法に関連して使用するための、デバイス（例えば移動体デバイス又は非移動体デバイス）であって、上記デバイスは回路構成を備え、この回路構成は：
（例えば、特定の２次セルに関連するユーザデバイスが、キャリアアグリゲーションをサポートするための限られた数のラジオレシーバを有する可能性を得るために）利用可能な放送スペクトルを隣接帯域へと集めること；
利用可能なスペクトルを固定リソースブロック（ＲＢ）帯域幅の整数倍で割り当て、集められたチャネル帯域幅は、集められた帯域の中央にあるチャネルに従って指定されること；
奇数番号又は偶数番号の利用可能な放送チャネルからのキャリアアグリゲーションをもたらすチャネル番号付与スキームを採用すること；
２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードであること；
集合ＲＢの数を、放送チャネル帯域幅の関数として決定する（例えば規制地域に応じて６、７又は８ＭＨｚの整数倍で配分する）こと；
固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避すること；
所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定されること
のうちの１つ又は複数を実施するシステムに従って、１つ又は複数のベースステーションと無線通信する（受信及び／又は送信する）よう構成される、デバイス。
【０２９１】
１．５  上記回路構成は、１つ又は複数のＲＦトランシーバ、１つ又は複数のベースバンドプロセッサ、及び１つ又は複数の制御プロセッサを含む、段落１．４のデバイス。
【０２９２】
２．１  無線ネットワークの一部として使用するための、ベースステーションであって、
上記ベースステーションは：
１つ又は複数の基本帯域（ＰＢ）ラジオ装置であって、各上記ＰＢラジオ装置は、１つ又は複数の基本帯域（例えば無線ブロードバンドキャリアが有する１つ又は複数の帯域）のうちの少なくとも１つを通して送信を行うよう構成される、１つ又は複数のＰＢラジオ装置；
１つ又は複数の追加のラジオ装置であって、上記１つ又は複数の追加のラジオ装置はそれぞれ、ラジオスペクトル内の複数の周波数帯域のいずれに対して動的に整調できるキャリア周波数を有する、１つ又は複数の追加のラジオ装置；
コントローラ
を備え、
上記コントローラは：
第１の動的に配分されたスペクトルリソースを識別する情報を受信し；
上記１つ又は複数の追加のラジオ装置のうちの第１のものを、上記第１の動的に配分されたスペクトルリソースに対応する第１のキャリア周波数へと整調し；
インフラストラクチャネットワークからのデータストリームを受信し；
上記データストリームを、複数のサブストリームの第１のセットに分割し；
それぞれ上記１つ又は複数のＰＢラジオ装置及び上記第１の追加のラジオ装置を用いて、上記第１のセットの上記サブストリームの並列送信を配向する
よう構成される、ベースステーション。
【０２９３】
２．１Ｂ  各ＰＢラジオ装置は、複数の周波数帯域のいずれへと動的に整調可能なキャリア周波数を有する、段落２．１のベースステーション。
【０２９４】
２．１Ｃ  上記ＰＢラジオ装置のうちの少なくとも１つは、複数の周波数帯域のいずれに対して動的に整調可能なキャリア周波数を有する、段落２．１のベースステーション。
【０２９５】
２．１Ｄ  上記複数の周波数帯域は、上記１つ又は複数の基本帯域及び１つ又は複数の追加の帯域を含む、段落２．１のベースステーション。
【０２９６】
２．２  上記１つ又は複数の追加のラジオ装置は、複数の上記追加のラジオ装置を含み、
上記コントローラは更に：
上記追加のラジオ装置それぞれを、動的に配分されたスペクトルリソースそれぞれに対応する各キャリア周波数へと整調し；
上記データストリームを、複数のサブストリームの第２のセットに分割し；
それぞれ上記１つ又は複数のＰＢラジオ装置及び上記追加のラジオ装置を用いて、上記第２のセットの上記サブストリームの並列送信を配向する
よう構成される、段落２．１のベースステーション。
【０２９７】
２．２Ｂ  上記コントローラは更に：
第２の動的に配分されたスペクトルリソースを識別する方法を受信し；
上記追加のラジオ装置のうちの第２のものを、上記第２の動的に配分されたスペクトルリソースに対応する第２のキャリア周波数へと整調し；
上記データストリームを、複数のサブストリームの第２のセットに分割し；
それぞれ上記１つ又は複数のＰＢラジオ装置並びに上記第１及び第２の追加のラジオ装置を用いて、上記第２のセットの上記サブストリームの並列送信を配向する
よう構成される、段落２．１のベースステーション。
【０２９８】
２．３  上記第１の動的に配分されたスペクトルリソースを識別する上記情報は：
上記第１の動的に配分されたスペクトルリソースの上記第１のキャリア周波数を指示する情報；及び
上記第１の動的に配分されたスペクトルリソースが上記ベースステーションに配分されていた第１の期間を指示する情報
を含む、段落２．１のベースステーション。
【０２９９】
２．４  上記コントローラは、それぞれデータサブストリームに基づいてＯＦＤＭシンボルストリームを生成するよう構成され、
上記並列送信は、それぞれ上記１つ又は複数のＰＢラジオ装置及び上記第１の追加のラジオ装置を用いたＯＦＤＭシンボルの並列送信を含む、段落２．１のベースステーション。
【０３００】
２．５  コントローラは、それぞれデータサブストリームに基づいてシンボルストリームを生成するよう構成され、上記コントローラは、複数のサイクリックプレフィクス（ＣＰ）長オプションからプログラムによって選択されるＣＰ長の値を有するシンボルストリームのシンボルを生成するよう構成される、段落２．１のベースステーション。
【０３０１】
２．６  コントローラは、固定シグナル帯域幅に対するシンボル区間を増大させるために、ＯＦＤＭサブキャリア間隔において追加のスケーリング（例えば、ＬＴＥ等の既存の無線通信規格が既に必要としているスケーリングに比べて追加のスケーリング）を提供するよう構成される、段落２．１のベースステーション。
【０３０２】
２．７  コントローラは、（例えばｅＭＢＭＳに利用可能なＳＦの数を増大させるために）１次及び２次同期を実施するサブフレーム（ＳＦ）におけるページング及び他のシグナリングをスケジューリングするよう構成される、段落２．１のベースステーション。
【０３０３】
２．７Ｂ  ＭＩＢ／ＳＩＢに基づいて広告を提供されるシステム構成を使用して、ユーザデバイスに、ページング及び他の制御シグナリングの使用を制限するように指示するよう構成される、段落２．７のベースステーション。
【０３０４】
２．８  コントローラは、１つ又は複数の利用可能なシステムパラメータ（例えばＣＰ長及びサブキャリア間隔といったパラメータ）を、規定されたｅＭＢＭＳ  ＳＦ配分に従って変化させるよう構成される（これは例えば、遅延広がり公差に影響を与えるシステムパラメータの拡張性の完全な利用を保持したまま、フレームあたり１０個のＳＦのうちの６又は８個又はその他の個数の使用を可能とする）、段落２．１のベースステーション。
【０３０５】
２．９  コントローラは、（例えばＬＴＥに関して記載されている低レイテンシ要件について妥協することなく、バーストノイズ耐性を改善するために）ビットインターリーブ又はシンボルインターリーブの代わりに、ハイブリッド自動反復要求（ＨＡＲＱ）再送信を採用するよう構成される、段落２．１のベースステーション。
【０３０６】
２．１０  コントローラは、自動（即ち事前にスケジューリングされた）再送信を可能とするために、修正されたバージョンのＨＡＲＱを採用して、非肯定応答モード（ＵＡＭ）で放送サービスが動作している場合に増分冗長性を提供するよう構成される、段落２．１のベースステーション。
【０３０７】
２．１１  コントローラは、既存のＬＴＥ規格より高い変調レベル（例えば既存の６４‐ＱＡＭを上回る２５６‐ＱＡＭ）を用いた変調を実施して、最大システム性能を増大させるよう構成される、段落２．１のベースステーション。
【０３０８】
２．１２  コントローラは、ｅＭＢＭＳにおいてサポートされる送信モードのうちの１つ又は複数又は全てのために、多アンテナ技術を採用する（ことによって、例えばＲＸ  ＳＩＮＲ及び／又はダウンリンクスループットを改善し、システム性能を最大化する）よう構成される、段落２．１のベースステーション。
【０３０９】
２．１３  第１の動的に配分されたスペクトルリソースは、周波数領域内の固定長のリソースブロック構造に適合する１つ又は複数のリソースブロックに関して特定される、段落２．１のベースステーション。
【０３１０】
２．１４  コントローラは、無線ブロードバンド通信のための既存の帯域幅の定義に比べて拡張された帯域幅の定義で動作するよう構成され、上記拡張された帯域幅の定義は、６／７／８ＭＨｚ放送チャネル帯域幅をより完全に占有する、段落２．１のベースステーション。
【０３１１】
３．１  無線ブロードバンドネットワークの一部として動作するためのデバイスであって、
上記デバイスは：
１つ又は複数の基本帯域トランシーバであって、各上記ＰＢトランシーバは、ラジオスペクトル内の１つ又は複数の基本帯域のうちの１つを用いて、無線ブロードバンドネットワークのベースステーションと無線通信するよう構成される、１つ又は複数のＰＢトランシーバ；
１つ又は複数のレシーバであって、上記１つ又は複数のレシーバはそれぞれ、ラジオスペクトル内の複数の周波数帯域のいずれに対して動的に整調できる、キャリア周波数を有する、１つ又は複数のレシーバ；
コントローラ
を備え、
上記コントローラは：
上記１つは複数のＰＢトランシーバを用いて、上記無線ブロードバンドネットワークの上記ベースステーションから１つ又は複数のネットワークデータストリームを受信し；
上記ベースステーションから第１のメッセージを受信するのに応答して、上記１つ又は複数のレシーバのうちの第１のものを、上記ラジオスペクトルのうちの第１の現在利用可能なスペクトルリソースに対応する第１のキャリア周波数へと整調し、ここで上記第１のメッセージは、上記第１の現在利用可能なスペクトルリソースを識別するものであり；
上記第１のレシーバを整調した後に、上記第１のレシーバを使用して、上記ベースステーションから第１の追加のネットワークデータストリームを受信し；
上記１つ又は複数のネットワークデータストリーム及び上記第１の追加のネットワークデータストリームを合成して、集合データストリームを得る
よう構成される、デバイス。
【０３１２】
３．１Ｂ  デバイスは移動体デバイスである、段落３．１のデバイス。
【０３１３】
３．１Ｃ  デバイスは固定デバイス（例えばテレビジョン）である、段落３．１のデバイス。
【０３１４】
３．２  ベースステーションの地理的近傍にある１つ又は複数のブロードバンドトランスミッタは、放送エクスチェンジによって制御され、放送エクスチェンジは、ある特定の時間に亘り、ベースステーションの地理的近傍において、第１の現在利用可能なスペクトルリソースを用いて放送を行わないことに合意している、段落３．１のデバイス。
【０３１５】
３．２Ｂ  ベースステーションの地理的近傍にある１つ又は複数のブロードバンドトランスミッタは、個別の放送局によって制御され、上記個別の放送局は、ある特定の時間に亘り、ベースステーションの地理的近傍において、第１の現在利用可能なスペクトルリソースを用いて放送を行わないことに合意している、段落３．１のデバイス。
【０３１６】
３．３  １つ又は複数のＰＢラジオ装置及び１つ又は複数の追加のラジオ装置はそれぞれ、共通のハードウェア設計に適合し、上記１つ又は複数のＰＢラジオ装置はそれぞれ、それぞれの基本帯域で動作できるようにプログラムされる、段落３．１のデバイス。
【０３１７】
３．４  コントローラは更に、集合データストリームを、デバイス上で実行されるアプリケーションに供給するよう構成される、段落３．１のデバイス。
【０３１８】
３．５  上記複数の周波数帯域は、少なくともＶＨＦ帯域及びＵＨＦ帯域を含む、段落３．１のデバイス。
【０３１９】
３．６  １つ又は複数のレシーバは複数のレシーバを備え、コントローラは更に：（１）ベースステーションから各メッセージを受信するのに応答して、現在利用可能なスペクトルリソースそれぞれに対応する各キャリア周波数へと、各レシーバを整調し、上記各メッセージは現在利用可能なスペクトルリソースを識別するものであり；（２）各レシーバについて、各レシーバを用いてベースステーションから追加のネットワークデータストリームをそれぞれ受信し；（３）上記１つ又は複数のネットワークデータストリームと、上記追加のネットワークデータストリームとを合成して、第２の集合データストリームを得るよう構成される、段落３．１のデバイス。
【０３２０】
３．７  コントローラは更に：ベースステーションから第２のメッセージを受信するのに応答して、第２の現在利用可能なスペクトルリソースに対応するキャリア周波数へと、上記レシーバのうちの第２のものを整調し、上記第２のメッセージは上記第２の現在利用可能なスペクトルリソースを識別するものであり；第２のレシーバを整調した後、この第２のレシーバを用いてベースステーションから第２の追加のネットワークデータストリームを受信するよう構成される、段落３．１のデバイス。
【０３２１】
３．８  第１の現在利用可能なスペクトルリソースを識別する第１のメッセージは、１つ又は複数のＰＢトランシーバのうちの少なくとも１つを用いて、ベースステーションから受信される、段落３．１のデバイス。
【０３２２】
３．９  第１のメッセージは：第１の動的に配分されたスペクトルリソースの第１のキャリア周波数を指示する情報；及び第１の動的に配分されたスペクトルリソースが、移動体ステーション又はベースステーションによって使用されるために配分されていた第１の期間を指示する情報を含む、段落３．１のデバイス。
【０３２３】
３．１０  コントローラは、複数のサイクリックプレフィクス（ＣＰ）長オプションからプログラムによって選択されるＣＰ長の値を用いて、シンボルストリームからのシンボルからデータを抽出するよう構成される、上記シンボルストリームは第１のレシーバによって取得される、段落３．１のデバイス。
【０３２４】
３．１１  コントローラは、ＯＦＤＭサブキャリア間隔において追加のスケーリング（例えば、ＬＴＥ等の既存の無線通信規格が既に必要としているスケーリングに比べて追加のスケーリング）を提供するよう構成される、段落３．１のデバイス。
【０３２５】
３．１２  コントローラは、１つ又は複数の利用可能なシステムパラメータ（例えばＣＰ長及びサブキャリア間隔といったパラメータ）を、規定されたｅＭＢＭＳサブフレーム配分に従って変化させるよう構成される、段落３．１のデバイス。
【０３２６】
３．１３  コントローラは、（例えばＬＴＥに関して記載されている低レイテンシ要件について妥協することなく、バーストノイズ耐性を改善するために）ビットインターリーブ又はシンボルインターリーブの代わりに、ハイブリッド自動反復要求（ＨＡＲＱ）再送信を採用するよう構成される、段落３．１のデバイス。
【０３２７】
３．１４  コントローラは、自動（即ち事前にスケジューリングされた）再送信を可能とするために、修正されたバージョンのＨＡＲＱを採用して、非肯定応答モード（ＵＡＭ）で放送サービスが動作している場合に増分冗長性を提供するよう構成される、段落３．１のデバイス。
【０３２８】
３．１５  コントローラは、既存のＬＴＥ規格より高い位相レベル（例えば既存の６４‐ＱＡＭを上回る２５６‐ＱＡＭ）を用いた復調を実施して、最大システム性能を増大させるよう構成される、段落３．１のデバイス。
【０３２９】
３．１６  コントローラは、ｅＭＢＭＳにおいてサポートされる送信モードのうちの１つ又は複数又は全てのために、多アンテナ技術を採用して、ＲＸ  ＳＩＮＲ及び／又はダウンリンクスループットを改善し、システム性能を最大化するよう構成される、段落３．１のデバイス。
【０３３０】
３．１７  第１の動的に配分されたスペクトルリソースは、周波数領域内の固定長のリソースブロック構造に適合する１つ又は複数のリソースブロックに関して特定される、段落３．１のデバイス。
【０３３１】
３．１８  コントローラは、無線ブロードバンド通信のための既存の帯域幅の定義に比べて拡張された帯域幅の定義で動作するよう構成され、上記拡張された帯域幅の定義は、６／７／８ＭＨｚ放送チャネル帯域幅をより完全に占有する、段落３．１のデバイス。
【０３３２】
３．１９  無線ブロードバンドネットワークの一部として動作するための、及び１つ又は複数の放送トランスミッタを含む放送ネットワークが送信する１つ又は複数の放送シグナルの受信のための、デバイスであって、
上記デバイスは：
１つ又は複数の基本帯域トランシーバであって、各上記ＰＢトランシーバは、ラジオスペクトル内の１つ又は複数の基本帯域のうちの１つを用いて、上記無線ブロードバンドネットワークのベースステーションと無線通信するよう構成される、１つ又は複数のＰＢトランシーバ；
１つ又は複数のレシーバであって、上記１つ又は複数のレシーバはそれぞれ、ラジオスペクトル内の複数の周波数帯域のいずれに対して動的に整調できる、キャリア周波数を有する、１つ又は複数のレシーバ；
コントローラ
を備え、
上記コントローラは：
上記１つ又は複数のＰＢトランシーバを用いて、上記無線ブロードバンドネットワークの上記ベースステーションから１つ又は複数のネットワークデータストリームを受信し；
上記１つ又は複数のレシーバのうちの第１のものを、上記放送トランスミッタのうちの第１のものが送信する第１の放送シグナルに対応する第１の放送周波数に整調し；
上記整調に応答して、上記第１のレシーバを用いて上記第１の放送シグナルから第１の放送データストリームを復元し、ここで上記第１の放送データストリームは、上記１つ又は複数の放送トランスミッタのうちの少なくとも１つを介した放送のために、上記無線ブロードバンドネットワークによって上記放送ネットワークへとオフロードされたデータを含む
よう構成される、デバイス。
【０３３３】
３．１９Ｂ  デバイスは移動体デバイスである、段落３．１９のデバイス。
【０３３４】
３．１９Ｃ  デバイスは固定デバイス（例えばテレビジョン）である、段落３．１９のデバイス。
【０３３５】
３．１９Ｄ  コントローラは、１つ又は複数のネットワークデータストリーム及び第１の放送データストリームを、デバイス上で実行される１つ又は複数のアプリケーションに提供するよう構成される、段落３．１９のデバイス。
【０３３６】
３．２０  コントローラは更に、ディスプレイデバイス（例えば上記デバイスに組み込まれた又は上記デバイスに連結されたディスプレイデバイス）を介して、ビデオシグナルを表示するよう構成され、上記ビデオシグナルは、第１の放送データストリームから生成される、段落３．１９のデバイス。
【０３３７】
３．２１  放送ネットワークは、１つ又は複数の放送トランスミッタを介した、放送のためのスペクトルリソースに対する放送コンテンツストリームの配分を動的に制御する、段落３．１９のデバイス。
【０３３８】
３．２２  コントローラは、表示されたコンテンツガイドから特定のコンテンツアイテムを選択するユーザ入力に応答して、第１の放送周波数へと第１のレシーバを整調するよう構成される、段落３．１９のデバイス。
【０３３９】
３．２３  コントローラは、ユーザの、放送トランスミッタを介して提供されたコンテンツの視聴に関する統計を収集し、この統計を無線ネットワークに送信するよう構成される、段落３．１９のデバイス。
【０３４０】
３．２３Ｂ  上記統計の送信は、１つ又は複数のＰＢトランシーバを用いて実施される、段落３．２３のデバイス。
【０３４１】
３．２３Ｃ  上記統計の送信は、（上記デバイスの一部として含まれている又は上記デバイスに連結されている）ＷｉＦｉトランスミッタを用いて実施される、段落３．２３のデバイス。
【０３４２】
３．２３Ｄ  上記統計の送信は、非認可ラジオスペクトルを介して送信を行うよう構成されたラジオ装置を用いて実施される、段落３．２３のデバイス。
【０３４３】
３．２４  コントローラは、ＯＦＤＭを用いて１つ又は複数のネットワークデータストリームの上記受信を実施し；ＯＦＤＭを用いて第１の放送データストリームの上記受信を復元するよう構成される、段落３．１９のデバイス。
【０３４４】
４．１  スペクトルサーバを動作させて、無線ブロードバンドプロバイダに対する利用可能なスペクトルリソースの動的な販売を促進するための、方法であって：
上記スペクトルリソースの購入又は使用の要求を受信するステップであって、上記要求は、（例えばコンピュータネットワークを介して）無線ブロードバンドプロバイダから受信される、ステップ；
上記放送ネットワークが現在使用している上記スペクトルリソースのリスト中の、特定の上記スペクトルリソースを識別する情報を得るために、メモリにアクセスするステップであって、ここで上記放送ネットワークは、複数の放送トランスミッタを介した送信のための、上記スペクトルリソースへの放送コンテンツストリームの配分を動的に制御する、ステップ；
無線ブロードバンドプロバイダから支払い又は支払いの約束を受信するステップ；
上記特定のスペクトルリソースを使用できるように上記無線ブロードバンドプロバイダを認証する情報を（例えばコンピュータネットワークを介して）送信するステップ
を含む、方法。
【０３４５】
４．２  支払い又は支払いの約束の上記受信に応答して、リストから上記特定のスペクトルリソースを除去するステップを更に含む、段落４．１の方法。
【０３４６】
４．３  リスト上の各スペクトルリソースに関して、上記リストは、放送ネットワークが当該スペクトルリソースを使用しないことに合意している期間の指示を含む、段落４．１の方法。
【０３４７】
４．４  リスト上の各スペクトルリソースに関して、上記リストは、放送ネットワークが当該スペクトルリソース上での送信を行わないことに合意している地理的位置の指示を含む、段落４．１の方法。
【０３４８】
４．５  放送ネットワークから利用可能なスペクトルリソースのブロックを購入するステップ；及び上記利用可能なスペクトルリソースをリストに追加するステップを更に含む、段落４．１の方法。
【０３４９】
４．６  上記認証情報の送信に応答して、無線ブロードバンドプロバイダは、上記特定のスペクトルリソース上で無線送信を開始するよう、１つ又は複数のベースステーションに命令するように構成される、段落４．１の方法。
【０３５０】
４．７  スペクトルサーバは、以下：
（例えばユーザデバイスが、キャリアアグリゲーションをサポートするための限られた数のラジオレシーバを有する可能性を得るために）利用可能な放送スペクトルを隣接帯域へと集める；
利用可能なスペクトルを固定リソースブロック（ＲＢ）帯域幅の整数倍で割り当て、集められたチャネル帯域幅は、集められた帯域の中央にあるチャネルに従って指定される；
奇数番号又は偶数番号の利用可能な放送チャネルからのキャリアアグリゲーションをもたらすチャネル番号付与スキームを採用する；
２つのモードを採用し、第１のモードは、集められたチャネルが奇数個である場合に対応する帯域中央指向性（ＢＣＯ）のモードであり、第２のモードは、集められたチャネルが偶数個である場合に対応する帯域エッジ指向性（ＢＥＯ）のモードである；
集合ＲＢの数を、放送チャネル帯域幅の関数として決定する（例えば規制地域に応じて６、７又は８ＭＨｚの整数倍で配分する）；
固定ＲＢ帯域幅の偶数倍まで、集められたスペクトルに番号を付与し、帯域中央周波数の両側に利用可能なＲＢを配分して、ＤＬ  ＯＦＤＭシグナルのＤＣサブキャリアにおけるシグナル出力を回避する；
所定の集合帯域幅において利用可能なＲＢの数を制限して、必要な帯域エッジ間隔を保存し、ここで集められた帯域の中央の両側に配分されるＲＢの数は、例えば利用可能なチャネル数（Ｎ）に、帯域エッジに必要な間隔未満の（規制地域毎の）シグナル帯域幅を乗算し、これを固定ＲＢ帯域幅で除算することによって決定される。
のうちの１つ又は複数を実施するよう構成される、段落４．１の方法。
【０３５１】
４．８  スペクトルリソースの動的購入を容易にするために、無線ブロードバンドネットワークの一部としてサーバを動作させるための、方法であって、
上記無線ブロードバンドネットワークのベースステーションは、一連の放送トランスミッタを含む放送ネットワークと同一の地理的領域において動作し
上記方法は：
上記無線ネットワーク中の上記ベースステーションのうちの所定の１つが現在追加の帯域幅を必要としていることを示す、第１のメッセージを受信するステップ；
上記第１のメッセージに応答して、上記所定のベースステーションの地理的近傍における、現在利用可能なスペクトルリソースの購入のために、要求を放送サーバに送るステップ；
特定の上記現在利用可能なスペクトルリソースを識別する第２のメッセージを上記放送サーバから受信するステップであって、上記放送ネットワークは、上記所定のベースステーションの地理的近傍内において、上記特定の現在利用可能なスペクトルリソースを用いて送信を行わないことに合意している、ステップ
を含む、方法。
【０３５２】
４．８Ｂ  支払い又は支払いの約束を指示する情報を、特定の現在利用可能なスペクトルリソースの使用のために、放送サーバに送るステップを更に含む、段落４．８の方法。
【０３５３】
４．９  上記所定のベースステーションに第３のメッセージを送るステップであって、この第３のメッセージは、上記特定の現在利用可能なスペクトルリソースを識別し、上記所定のベースステーションが、上記特定の現在利用可能なスペクトルリソースを用いて送信を開始できるようにする、ステップを更に含む、段落４．８の方法。
【０３５４】
４．１０  第１のメッセージは、ブロードバンド無線ネットワークによるベースステーションの負荷の状態を監視する、負荷制御サーバから受信される、段落４．８の方法。
【０３５５】
４．１１  放送サーバに送られる要求は、上記所定のベースステーションの位置の指示を含む、段落４．８の方法。
【０３５６】
４．１２  放送サーバから受信される第２のメッセージは：
上記特定の現在利用可能なスペクトルリソースが占有する周波数範囲を指示する情報；及び
上記所定のベースステーションの地理的近傍内において、放送ネットワークが送信を行わないことに合意している期間を指示する情報
を含む、段落４．８の方法。
【０３５７】
５．１  デバイスに目的とする広告を提供するために、広告用サーバを無線ネットワークの一部として動作させるための、方法であって、
上記デバイスは、上記無線ネットワークによる通信のため及び放送ネットワークの放送トランスミッタからの受信のために構成される、方法において、
上記方法は：
上記デバイスから視聴情報を受信するステップであって、上記視聴情報は、上記放送トランスミッタのうちの１つ又は複数を通して放送コンテンツを視聴する際の上記デバイスのユーザの挙動を特徴付けるものである、ステップ；
視聴情報を、メモリ媒体に記憶されたユーザ指定記録に追加するステップ；
ユーザ指定記録の現在の状態に基づいて、上記デバイスの上記ユーザに対する広告を選択するステップ；
上記無線ネットワークの現在動作中の上記ベースステーションを介して、選択された広告に対応するコンテンツストリームを上記デバイスに送信するステップ
を含む、方法。
【０３５８】
５．１Ｂ  デバイスは移動体デバイスである、段落５．１の方法。
【０３５９】
５．１Ｃ  デバイスは非移動体デバイス（例えばテレビジョン）である、段落５．１の方法。
【０３６０】
５．１Ｂ  デバイスは、無線ネットワークの現在動作中のベースステーションを用いて、広告用サーバに視聴情報を送信する、段落５．１の方法。
【０３６１】
５．１Ｃ  デバイスは、デバイスとＷｉＦｉアクセスポイントとの間のＷｉＦｉ接続を用いて、広告用サーバに視聴情報を送信する、段落５．１の方法。
【０３６２】
５．１Ｄ  デバイスは、非認可スペクトル（例えばＷｉＦｉ又はホワイトスペース）を介した送信を用いて、広告用サーバに視聴情報を送信する、段落５．１の方法。
【０３６３】
５．２  視聴情報は：
デバイスのユーザが現在視聴している放送コンテンツアイテムの指示；
デバイスのユーザが現在視聴している放送コンテンツアイテムのタイトル；
放送ネットワークが放送した放送コンテンツアイテムの視聴期間；
デバイスのユーザが視聴した放送コンテンツアイテムのリスト
のうちの１つ又は複数を含む、段落５．１の方法。
【０３６４】
５．３  ユーザ指定記録は、デバイスのユーザに対応する叙述的情報（例えば年齢、性別、興味のカテゴリ、学歴、所得範囲等）を含む、段落５．１の方法。
【０３６５】
５．４  ユーザに対する広告の上記選択は、ユーザ特性決定情報と広告コンテンツアイテムとの間の所定の最適なマッピングに基づく、段落５．１の方法。
【０３６６】
５．５  ネットワーク（例えばインターネット）を介してユーザ指定視聴情報の購入のための要求を受信するステップ；
メモリ媒体に記憶されたユーザ指定記録のうちの１つ又は複数からのデータを、要求を行っているエンティティに送信するステップ；
ユーザ指定視聴情報の購入のための要求を行っているエンティティから、支払い又は支払いの約束を受信するステップ
を更に含む、段落５．１の方法。
【０３６７】
５．６  （例えば過去にユーザ指定視聴情報を購入し、ユーザに直接広告を行う価値があると結論を下したエンティティから）デバイスのユーザに対して広告を行う権利の購入のための要求を受信するステップ；
広告を行うための権利の購入のための要求を行っているエンティティから、支払い又は支払いの約束を受信するステップ；
要求を行っているエンティティから広告コンテンツストリームを受信するステップ；
無線ネットワークの現在動作中のベースステーションを介して、広告コンテンツストリームをデバイスに送信するステップ
を更に含む、段落５．１の方法。
【０３６８】
６．１  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、この回路構成は、以下の特徴：
複数の候補サイクリックプレフィクス（ＣＰ）長から選択されるＣＰ長を用いて、ＯＦＤＭシンボルからデータを抽出して、増大した遅延広がり公差を達成するにあたってのオーバヘッドを最小化し、ＣＰ長は、拡張されたＭＩＢ／ＳＩＢパラメータセットを用いて、ベースステーションによってシグナリングされる；
固定シグナル帯域幅に対するシンボル区間を増大させるための、サブキャリア間隔の追加のスケーリングを採用し、この追加のスケーリングは、拡張されたＭＩＢ／ＳＩＢパラメータセットを用いて、ベースステーションによってシグナリングされる；
拡張されたＤＬ及びＵＬ制御チャネルシグナリングに応答して、追加のＣＰ長を包含する；
拡張されたＤＬ及びＵＬ制御チャネルシグナリングに応答して、サブキャリア間隔の追加の範囲を包含する；
ＭＩＢ／ＳＩＢ上のベースステーションによって広告される修正されたシステム構成に応答して、１次及び２次同期を支持するサブフレーム（ＳＦ）における、ページング及び他のシグナリングを監視し、上記修正されたシステム構成は、ユーザデバイスに、上記サブフレームに対するページング及び他の制御シグナリングの使用を制限することによって、ｅＭＢＭＳに利用可能なＳＦの数を増大させるように命令する；
ベースステーションによってシグナリングされるように規定されたｅＭＢＭＳ  ＳＦ配分に基づいて、利用可能なシステムパラメータのセット（例えばＣＰ長及びサブキャリア間隔）を決定し；
ビット／シンボルインターリーブの代わりに、ハイブリッド自動反復要求（ＨＡＲＱ）再送信を受け入れて、ＬＴＥに関して記載されている低レイテンシ要件について妥協することなく、バーストノイズ耐性を改善し；
自動（即ち事前にスケジューリングされた）再送信を受け入れることにより、非肯定応答モード（ＵＡＭ）で放送サービスが動作している場合に増分冗長性を提供し；
増大した最大システム性能のために、（既存の規格が要求するよりも）高次の位相を用いた復調を可能とし；
ｅＭＢＭＳにおいてサポートされる送信モードのための、多アンテナ技術の使用を可能とすることにより、ＲＸ  ＳＩＮＲ及び／又はダウンリンクスループットを改善して、システム性能を最大化し；
既存の基準に対して拡張されたシグナル帯域幅で動作し、上記シグナル帯域幅は、６／７／８ＭＨｚ放送チャネル帯域幅をより完全に占有できるよう、固定リソースブロック（ＲＢ）構造の整数倍に拡張される
のうちの１つ又は複数をサポートするよう構成される、回路構成
を備える、レシーバシステム。
【０３６９】
６．１Ｂ  トランスミッタは送信専用ＴＶトランスミッタである、段落６．１のレシーバシステム。
【０３７０】
６．１Ｃ  トランスミッタは、ユニキャスト及び放送送信が可能なＬＴＥのベースステーションである、段落６．１のレシーバシステム。
【０３７１】
６．２  レシーバシステムは移動体デバイスの一部である、段落６．１のレシーバシステム。
【０３７２】
６．３  レシーバシステムは、（テレビジョン等の）非移動体デバイス又は固定デバイスの一部である、段落６．１のレシーバシステム。
【０３７３】
６．３  レシーバシステムはテレビジョンの一部であるか、又はテレビジョンに連結される、段落６．２のレシーバシステム。
【０３７４】
６．４  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、複数の候補サイクリックプレフィクス（ＣＰ）長から選択されるＣＰ長を用いて、ＯＦＤＭシンボルからデータを抽出して、増大した遅延広がり公差を達成するにあたってのオーバヘッドを最小化するよう構成され、ＣＰ長は、拡張されたＭＩＢ／ＳＩＢパラメータセットを用いて、ベースステーションによってシグナリングされる、回路構成
を備える、レシーバシステム。
【０３７５】
６．５  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、固定シグナル帯域幅に対するシンボル区間を増大させるための、サブキャリア間隔の追加のスケーリングを採用するよう構成され、この追加のスケーリングは、拡張されたＭＩＢ／ＳＩＢパラメータセットを用いて、ベースステーションによってシグナリングされる、回路構成
を備える、レシーバシステム。
【０３７６】
６．６  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、ＭＩＢ／ＳＩＢ上のベースステーションによって広告される修正されたシステム構成に応答して、１次及び２次同期を支持するサブフレーム（ＳＦ）における、ページング及び他のシグナリングを監視するよう構成され、上記修正されたシステム構成は、ユーザデバイスに、上記サブフレームに対するページング及び他の制御シグナリングの使用を制限することによって、ｅＭＢＭＳに利用可能なＳＦの数を増大させるように命令する、回路構成
を備える、レシーバシステム。
【０３７７】
６．７  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、ベースステーションによってシグナリングされるように規定されたｅＭＢＭＳ  ＳＦ配分に基づいて、利用可能なシステムパラメータのセット（例えばＣＰ長及びサブキャリア間隔）を決定するよう構成される、回路構成
を備える、レシーバシステム。
【０３７８】
６．８  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、ビット／シンボルインターリーブの代わりに、ハイブリッド自動反復要求（ＨＡＲＱ）再送信を受け入れて、ＬＴＥに関して記載されている低レイテンシ要件について妥協することなく、バーストノイズ耐性を改善するよう構成される、回路構成
を備える、レシーバシステム。
【０３７９】
６．９  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、自動（即ち事前にスケジューリングされた）再送信を受け入れることにより、非肯定応答モード（ＵＡＭ）で放送サービスが動作している場合に増分冗長性を提供するよう構成される、回路構成
を備える、レシーバシステム。
【０３８０】
６．１０  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、増大した最大システム性能のために、（既存の規格が要求するよりも）高次の位相を用いた復調を可能とするよう構成される、回路構成
を備える、レシーバシステム。
【０３８１】
６．１１  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、ｅＭＢＭＳにおいてサポートされる送信モードのための、多アンテナ技術の使用を可能とすることにより、ＲＸ  ＳＩＮＲ及び／又はダウンリンクスループットを改善して、システム性能を最大化するよう構成される、回路構成
を備える、レシーバシステム。
【０３８２】
６．１２  放送ＴＶシグナルを受信するためのレシーバシステムであって、上記レシーバは：
複数の周波数帯域のいずれかへと整調できるラジオレシーバであって、このラジオレシーバは、トランスミッタが放送する放送シグナルを受信するよう構成される、ラジオレシーバ；及び
受信した放送シグナルからビデオデータストリームを復元するよう構成される、回路構成であって、このデジタル回路構成は、既存の基準に対して拡張されたシグナル帯域幅で動作するよう構成され、上記シグナル帯域幅は、６／７／８ＭＨｚ放送チャネル帯域幅をより完全に占有できるよう、固定リソースブロック（ＲＢ）構造の整数倍に拡張される、回路構成
を備える、レシーバシステム。
【０３８３】
７．１  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、以下の特徴：
複数の候補サイクリックプレフィクス（ＣＰ）長を採用して、増大した遅延広がり公差を達成するにあたってのオーバヘッドを最小化し、これに従ってＭＩＢ／ＳＩＢパラメータセットが拡張される；
固定シグナル帯域幅に対するシンボル区間を増大させるための、サブキャリア間隔の追加のスケーリングを採用し、これに従ってＭＩＢ／ＳＩＢパラメータセットが拡張される；
拡張されたＤＬ及びＵＬ制御チャネルシグナリングを採用して、追加のＣＰ長を包含する；
拡張されたＤＬ及びＵＬ制御チャネルシグナリングを採用して、サブキャリア間隔の追加の範囲を包含する；
１次及び２次同期を実施するサブフレーム（ＳＦ）における、ページング及び他のシグナリングをスケジューリングして、ｅＭＢＭＳのために利用可能なＳＦの数を増大させ、またＭＩＢ／ＳＩＢにおいて広告されるシステム構成を修正して、これに従ってユーザデバイスに、ページング及び他の制御シグナリングの使用を制限するように命令する；
規定されたｅＭＢＭＳ  ＳＦ配分に従って、利用可能なシステムパラメータのセット（例えばＣＰ長及びサブキャリア間隔）を変化させる（これは例えば、遅延広がり公差に影響を与えるシステムパラメータの拡張性の完全な利用を保持したまま、フレームあたり１０個のＳＦのうちの６又は８個（又はその他）の使用を可能とする）；
ビット／シンボルインターリーブの代わりに、ハイブリッド自動反復要求（ＨＡＲＱ）再送信を採用して、ＬＴＥに関して記載されている低レイテンシ要件について妥協することなく、バーストノイズ耐性を改善する；
自動の、即ち事前にスケジューリングされた再送信を可能とする、ＨＡＲＱの修正されたバージョンを採用して、非肯定応答モード（ＵＡＭ）で放送サービスが動作している場合に増分冗長性を提供する；
増大した最大システム性能のために、（既存の規格が要求するよりも）高次の位相を用いた変調を可能とする；
ｅＭＢＭＳにおいてサポートされる送信モードに対する、多アンテナ技術の使用を可能とすることにより、ＲＸ  ＳＩＮＲ及び／又はダウンリンクスループットを改善して、システム性能を最大化する；
既存の基準に対して拡張されたシグナル帯域幅で動作し、上記シグナル帯域幅は、６／７／８ＭＨｚ放送チャネル帯域幅をより完全に占有できるよう、固定リソースブロック（ＲＢ）構造の整数倍に拡張される
のうちの１つ又は複数をサポートするよう構成されるトランスミッタシステム。
【０３８４】
７．１Ｂ  トランスミッタは送信専用ＴＶトランスミッタである、段落７．１のトランスミッタシステム。
【０３８５】
７．１Ｃ  トランスミッタは、ユニキャスト及び放送送信が可能なＬＴＥのベースステーションである、段落７．１のトランスミッタシステム。
【０３８６】
７．２  複数のアンテナを更に備え、ここで回路構成は、ビデオコンテンツストリームに基づいて複数のシンボルストリームを生成するよう構成され、ラジオトランスミッタは、シンボルストリームにそれぞれ基づいて送信シグナルを生成して、各上記アンテナを通して上記送信シグナルを空中へと通過させるよう構成される、段落７．１のトランスミッタシステム。
【０３８７】
７．３  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、複数の候補サイクリックプレフィクス（ＣＰ）長を採用して、増大した遅延広がり公差を達成するにあたってのオーバヘッドを最小化するよう構成され、これに従ってＭＩＢ／ＳＩＢパラメータセットが拡張される、トランスミッタシステム。
【０３８８】
７．４  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、固定シグナル帯域幅に対するシンボル区間を増大させるための、サブキャリア間隔の追加のスケーリングを採用するよう構成され、これに従ってＭＩＢ／ＳＩＢパラメータセットが拡張される、トランスミッタシステム。
【０３８９】
７．５  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、１次及び２次同期を実施するサブフレーム（ＳＦ）における、ページング及び他のシグナリングをスケジューリングして、ｅＭＢＭＳのために利用可能なＳＦの数を増大させ、またＭＩＢ／ＳＩＢにおいて広告されるシステム構成を修正して、これに従ってユーザデバイスに、ページング及び他の制御シグナリングの使用を制限するように命令するよう構成される、トランスミッタシステム。
【０３９０】
７．６  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、規定されたｅＭＢＭＳ  ＳＦ配分に従って、利用可能なシステムパラメータのセット（例えばＣＰ長及びサブキャリア間隔）を変化させるよう構成される（これは例えば、遅延広がり公差に影響を与えるシステムパラメータの拡張性の完全な利用を保持したまま、フレームあたり１０個のＳＦのうちの６又は８個（又はその他）の使用を可能とする）、トランスミッタシステム。
【０３９１】
７．７  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、ビット／シンボルインターリーブの代わりに、ハイブリッド自動反復要求（ＨＡＲＱ）再送信を採用して、ＬＴＥに関して記載されている低レイテンシ要件について妥協することなく、バーストノイズ耐性を改善するよう構成される、トランスミッタシステム。
【０３９２】
７．８  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、自動の、即ち事前にスケジューリングされた再送信を可能とする、ＨＡＲＱの修正されたバージョンを採用して、非肯定応答モード（ＵＡＭ）で放送サービスが動作している場合に増分冗長性を提供するよう構成される、トランスミッタシステム。
【０３９３】
７．９  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、増大した最大システム性能のために、（既存の規格が要求するよりも）高次の位相を用いた変調を可能とするよう構成される、トランスミッタシステム。
【０３９４】
７．１０  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、ｅＭＢＭＳにおいてサポートされる送信モードに対する、多アンテナ技術の使用を可能とすることにより、ＲＸ  ＳＩＮＲ及び／又はダウンリンクスループットを改善して、システム性能を最大化するよう構成される、トランスミッタシステム。
【０３９５】
７．１１  ＴＶシグナルを放送するためのトランスミッタシステムであって、上記トランスミッタは：
ビデオコンテンツストリームを受信して、このビデオコンテンツストリームに基づいてシンボルストリームを生成するよう構成される、回路構成；
シンボルストリームに基づいて送信シグナルを生成して、送信シグナルを空中へと放送するよう構成される、ラジオトランスミッタ
を備え、
回路構成は、既存の基準に対して拡張されたシグナル帯域幅で動作するよう構成され、上記シグナル帯域幅は、６／７／８ＭＨｚ放送チャネル帯域幅をより完全に占有できるよう、固定リソースブロック（ＲＢ）構造の整数倍に拡張される、トランスミッタシステム。
【０３９６】
本明細書に記載の様々な実施形態のいずれは、例えばコンピュータ実装型の方法として、コンピュータ可読メモリ媒体として、コンピュータシステムとして等の様々な形態のいずれにおいて実現できる。システムは、特定用途向け集積回路（ＡＳＩＣ）等の１つ若しくは複数の専用設計のハードウェアデバイスによって、フィールドプログラマブルゲートアレイ（ＦＰＧＡ）等の１つ若しくは複数のプログラマブルハードウェア要素によって、記憶されているプログラム命令を実行する１つ若しくは複数のプロセッサによって、又は以上のいずれの組み合わせによって、実現できる。
【０３９７】
いくつかの実施形態では、非一時的コンピュータ可読メモリ媒体は、プログラム命令及び／又はデータを記憶するよう構成してよく、このプログラム命令は、コンピュータシステムによって実行された場合に、上記コンピュータシステムに、例えば本明細書に記載の方法実施形態のうちのいずれか、又は本明細書に記載の方法実施形態のうちのいずれかの組み合わせ、又は本明細書に記載の方法実施形態のうちのいずれかのいずれのサブセット、又はこのようなサブセットのいずれの組み合わせである、方法を実施させる。
【０３９８】
いくつかの実施形態では、コンピュータシステムは、プロセッサ（又はプロセッサのセット）及びメモリ媒体を含むよう構成してよく、メモリ媒体はプログラム命令を記憶し、ここでプロセッサは、メモリ媒体からプログラム命令を読み出して実行するよう構成され、プログラム命令は、本明細書に記載の様々な方法実施形態のうちのいずれか（又は本明細書に記載の方法実施形態のうちのいずれかの組み合わせ、又は本明細書に記載の方法実施形態のうちのいずれかのいずれのサブセット、又はこのようなサブセットのいずれの組み合わせ）を実装するために実行可能である。このコンピュータシステムは、様々な形態のいずれにおいて実現できる。例えばこのコンピュータシステムは、（その様々な実現形態のいずれにおける）パーソナルコンピュータ、ワークステーション、カード上のコンピュータ、ボックス内の特定用途向けコンピュータ、サーバコンピュータ、クライアントコンピュータ、ハンドヘルドデバイス、移動体デバイス、ウェアラブルコンピュータ、感知デバイス、テレビジョン、ビデオ取得デバイス、生体埋め込み型コンピュータ等であってよい。コンピュータシステムは、１つ又は複数のディスプレイデバイスを含んでよい。本明細書で開示されている様々な計算結果のいずれは、ディスプレイデバイスによって表示してよく、又はそうでない場合はユーザインタフェースデバイスを介した出力として提示してよい。
【０３９９】
好ましい実施形態との関連で以上の実施形態について説明したが、本明細書に記載した具体的形態に上記好ましい実施形態を限定することは意図されておらず、反対に、添付の請求項によって定義されるような本発明の実施形態の精神及び範囲内に合理的に含まれ得るような代替例、修正例、均等物を上記好ましい実施形態が包含することが意図されている。
【図１】
0006640085.tif 000003
【図２Ａ】
0006640085.tif 000004
【図２Ｂ】
0006640085.tif 000005
【図３】
0006640085.tif 000006
【図４】
0006640085.tif 000007
【図５】
0006640085.tif 000008
【図６】
0006640085.tif 000009
【図７】
0006640085.tif 000010
【図８】
0006640085.tif 000011
【図９】
0006640085.tif 000012
【図１０】
0006640085.tif 000013
【図１１】
0006640085.tif 000014
【図１２】
0006640085.tif 000015
【図１３】
0006640085.tif 000016
【図１４】
0006640085.tif 000017
【図１５】
0006640085.tif 000018
【図１６】
0006640085.tif 000019
【図１７】
0006640085.tif 000020
【図１８】
0006640085.tif 000021
【図１９】
0006640085.tif 000022
【図２０】
0006640085.tif 000023
【図２１】
0006640085.tif 000024
【図２２】
0006640085.tif 000025
【図２３】
0006640085.tif 000026
【図２４】
0006640085.tif 000027
【図２５】
0006640085.tif 000028